(57)【要約】  書類用紙が複数枚綴じられた書類の形態においても書類用紙毎のタグ情報を読出せ、また、さらに両面印刷がされた書類用紙では、その裏表の別を簡素な構成で検知して書類用紙のページ毎のタグ情報を読出すことを図る。無線ＩＣタグ（１）を、リーダからの電波を受けたときのリーダとの情報のやりとりに関し、外光を受光して得られた受光信号に基づき、その受光信号によってはリーダへの応答を行わず、又は、やりとりするタグ情報が少なくともその一部にその受光信号に応じた受光情報を含むものとする。これによって、無線ＩＣタグ（１）は、それが１つであっても、そのタグが設けられた書類用紙への外光となる照明光の方向・向きを変えることによって、タグ情報を、外光を受光できる方向・向きの数だけ、その照明光の方向・向き毎に、それぞれ異なるものとすることができる。
2007105634.tif 000002
【特許請求の範囲】
【請求項１】
有体物に付けられて又はその一部に含められて設けられ、情報の記憶ができ、かつ、電力が無線で供給され、そして、電磁誘導又は電波で、前記有体物の外部に存するリーダとの間でデータ通信を行って、当該タグが記憶する情報、その他のタグ情報を前記リーダとやりとりすることができる無線ＩＣタグであって、
当該タグが設けられた前記有体物に対する複数の所定の方向・向きのそれぞれにおける外光を互いに区別して受光することができる外光受光手段を含み備え、
前記リーダからの所定の電波などを受けたとき、前記リーダとの情報のやりとりに関し、前記外光受光手段が前記外光を受光して得られたその受光信号に基づき、その受光信号によっては前記リーダへの応答を行わず、又は、やりとりする前記タグ情報を少なくともその一部にその受光信号に応じた受光情報を含むものとすることを特徴とする無線ＩＣタグ。
【請求項２】
前記外光受光手段は、当該素子それぞれが前記所定の方向・向きに向いた複数の受光素子であることを特徴とする請求項１記載の無線ＩＣタグ。
【請求項３】
前記外光受光手段は、当該部それぞれが前記所定の方向・向きから照射された光を当該タグの内部へ透過させる複数の光透過部と、当該素子それぞれが前記光透過部の一に対応してその対応した前記光透過部を透過した光を受光する複数の受光素子とからなることを特徴とする請求項１記載の無線ＩＣタグ。
【請求項４】
有体物に付けられて又はその一部に含められて設けられ、情報の記憶ができ、かつ、電力が無線で供給され、そして、電磁誘導又は電波で、前記有体物の外部に存するリーダとの間でデータ通信を行って、当該タグが記憶する情報、その他のタグ情報を前記リーダとやりとりすることができる無線ＩＣタグであって、
当該部それぞれが、当該タグが設けられた前記有体物に対する所定の方向・向きから照射された光を、当該タグの内部へ透過させる複数の光透過部と、
前記光透過部を透過した光を受光する１以上の受光素子と、
を含み備え、
複数の前記光透過部は、それぞれ、光の透過率が、光が透過する方向に対した少なくとも一の方向において、一様ではなく、かつ、他のいずれとも互いに異なったパターンを成し、
当該タグは、複数の前記光透過部のいずれかを透過した光を前記受光素子にて受光し、そして、前記リーダからの所定の電波などを受けたとき、前記リーダとの情報のやりとりに関し、光の透過率の成す前記パターンに対応した受光信号に基づき、その受光信号によっては前記リーダへの応答を行わず、又は、やりとりする前記タグ情報を少なくともその一部にその受光信号に応じた受光情報を含むものとすることを特徴とする無線ＩＣタグ。
【請求項５】
前記光透過部は、光の透過率が、その光が透過する方向に対した２つの互いに直交する方向それぞれに前記パターンを成していることを特徴とする請求項４記載の無線ＩＣタグ。
【請求項６】
光の透過率が成した前記パターンは、そのパターンの成す方向におけるその一端側と他端側との間で、それらの中央を横切る軸に対して線対称であることを特徴とする請求項４記載の無線ＩＣタグ。
【請求項７】
光の透過率が成した前記パターンは、そのパターンの成す方向における端部での光の透過率が、複数の前記光透過部の全てについて同じであることを特徴とする請求項４記載の無線ＩＣタグ。
【請求項８】
有体物に付けられて又はその一部に含められて設けられ、情報の記憶ができ、かつ、電力が無線で供給され、そして、電磁誘導又は電波で、前記有体物の外部に存するリーダとの間でデータ通信を行って、当該タグが記憶する情報、その他のタグ情報を前記リーダとやりとりすることができる無線ＩＣタグであって、
光に対する反射率が１次元又は２次元の方向において一様ではないパターンを成すように変えることができる面を所定の方向・向きに有した外光反射手段を含み備え、
前記リーダからの所定の通信を受けて、その通信された情報に基づく所定のパターンを前記外光反射手段における前記面に現すことを特徴とする無線ＩＣタグ。
【請求項９】
前記外光反射手段を複数備えてそれぞれの前記パターンが成される前記面が所定の方向・向きに面したものである、又は、一の前記外光反射手段が前記面を複数有してその各面が所定の方向・向きに面したものであることを特徴とする請求項８記載の無線ＩＣタグ。
【請求項１０】
前記パターンが成される前記面は、光に対する反射率が１次元又は２次元の方向において一様ではない前記パターンを液晶にて成すものであることを特徴とする請求項８記載の無線ＩＣタグ。
【請求項１１】
前記外光反射手段が成す前記パターンは、１次元又は２次元のバーコード模様であることを特徴とする請求項８記載の無線ＩＣタグ。
【請求項１２】
複数の前記所定の方向・向きは、前記有体物のおもて面が面した向きと、その裏面が面した向きとであることを特徴とする請求項１、４又は９記載の無線ＩＣタグ。
【請求項１３】
前記受光情報は、前記受光信号のその内容自体を示す受光信号情報、又はその受光信号情報を含んだものであることを特徴とする請求項１又は４記載の無線ＩＣタグ。
【請求項１４】
光を受けて電圧又は電流を発生する受光素子と、電荷を蓄える蓄電手段とを含み備え、
前記受光素子によって得られる電力を前記蓄電手段に蓄えて当該タグの電気回路のための電力の少なくとも一部とすることを特徴とする請求項１又は４記載の無線ＩＣタグ。
【請求項１５】
請求項１から１４のいずれか１項に記載の無線ＩＣタグが設けられたことを特徴とする紙、フィルムその他の書類用媒体。
【請求項１６】
有体物に付けられて又はその一部に含められて設けられ、情報の記憶ができ、かつ、電力が無線で供給され、さらに、前記有体物に対する複数の所定の方向・向きから照射される光を区別して受光する機能を有した無線ＩＣタグとの間で、電磁誘導又は電波でデータ通信が行え、前記無線ＩＣタグが記憶する情報、前記光の受光に係る受光情報その他のタグ情報をやりとりする無線ＩＣタグ・リーダであって、
前記タグ情報から、前記無線ＩＣタグが前記有体物に対する複数の所定の方向・向きから照射される光を区別して受光して得たその受光情報を抽出することができ、そして、その情報をもとに、前記有体物への光の照射の方向・向きを識別する光照射方向識別手段を含み備え、
前記無線ＩＣタグとの間にて電波などでデータ通信を行って情報のやりとりをし、受信したタグ情報のおける受光情報をもとに、前記光照射方向識別手段によって前記有体物への光の照射の方向・向きを識別して、前記無線ＩＣタグが設けられた有体物の姿勢の方向・向きを特定することができることを特徴とする無線ＩＣタグ・リーダ。
【請求項１７】
照射域が有体物の一の面において一定の方向に相対的に移動され又は走査される光を照射する光照射手段を含み備えたことを特徴とする請求項１６記載の無線ＩＣタグ・リーダ。
【請求項１８】
紙などを媒体とした書類などについてその媒体面上の画像を読取るなどの処理を行う情報処理装置であって、
画像読取りの照明として照射域が前記媒体の一の面において一定の方向に相対的に移動され又は走査される光を照射する照明手段と、
前記照明手段による光を前記媒体への照明光としてその媒体面上の画像を光学的に読取る画像読取り部と、
前記媒体に付けられて又はその一部に含められて設けられ、情報の記憶ができ、かつ、電力が無線で供給され、さらに、前記媒体に対する複数の所定の方向・向きから照射される光を区別して受光する機能を有した無線ＩＣタグとの間で、電磁誘導又は電波でデータ通信が行え、前記無線ＩＣタグが記憶する情報、前記光の受光に係る受光情報その他のタグ情報をやりとりする無線ＩＣタグ・リーダと、
前記タグ情報から、前記無線ＩＣタグが前記媒体に対する複数の所定の方向・向きから照射される光を区別して受光して得たその受光情報を抽出することができ、そして、その情報をもとに、前記媒体への光の照射の方向・向きを識別する光照射方向識別手段と、
を含み備え、
前記無線ＩＣタグとの間にて電波などでデータ通信を行って情報のやりとりをし、受信したタグ情報のおける受光情報をもとに、前記光照射方向識別手段によって前記媒体への前記照明光の照射の方向・向きを識別して、前記無線ＩＣタグが設けられた媒体の姿勢の方向・向きを特定することができることを特徴とする情報処理装置。
【請求項１９】
光に対する反射率が１次元又は２次元の方向において一様ではないパターンを成すように変えることができる面を所定の方向・向きに有した無線ＩＣタグが設けられた紙などを媒体とした書類などについてその媒体面上の画像を読取るなどの処理を行う情報処理装置であって、
画像読取りの照明として照射域が前記媒体の一の面において一定の方向に相対的に移動され又は走査される光を照射する照明手段と、
前記照明手段による光を前記媒体への照明光としてその媒体面上の画像を光学的に読取る画像読取り部と、
前記画像内から特定のパターンを抽出してそのパターンが表わした情報を認識するパターン認識手段と、
前記媒体に付けられて又はその一部に含められて設けられ、情報の記憶ができ、かつ、電力が無線で供給される無線ＩＣタグとの間で、電磁誘導又は電波でデータ通信が行え、前記無線ＩＣタグが記憶する情報その他のタグ情報をやりとりする無線ＩＣタグ・リーダと、
を含み備え、
前記無線ＩＣタグ・リーダが、前記無線ＩＣタグに対し、光に対する反射率が１次元又は２次元の方向において一様ではない所定のパターンを成すよう指示する通信を行った後、前記パターン認識手段がその所定のパターンを抽出してそのパターンが表わした情報を認識できたとき、その認識された情報に基づきその無線ＩＣタグとそのタグ情報のやりとりを行うことを特徴とする情報処理装置。
【請求項２０】
画像を紙などの媒体に印刷出力するなどの処理を行う情報処理装置であって、
前記媒体を搬送して当該装置の外部へ送り出す媒体搬送手段と、
前記媒体に付けられて又はその一部に含められて設けられ、情報の記憶ができ、かつ、電力が無線で供給され、さらに、前記媒体に対する複数の所定の方向・向きから照射される光を区別して受光する機能を有した無線ＩＣタグとの間で、電磁誘導又は電波でデータ通信が行え、前記無線ＩＣタグが記憶する情報、前記光の受光に係る受光情報その他のタグ情報をやりとりする無線ＩＣタグ・リーダと、
前記媒体への印刷がされる面へ光を照射する光照射手段と、
を含み備え、
印刷出力の際、前記媒体搬送手段が前記媒体を搬送している時に前記光照射手段が光を照射し、そのもとで、前記タグ情報における少なくとも前記無線ＩＣタグが記憶する情報についてのやりとりを行うことを特徴とする情報処理装置。
【請求項２１】
機密情報を含んだ又は機密情報に関連した情報の印刷出力の処理において、機密情報についてはそれ自体又はその機密情報へのアクセスのための情報を前記無線ＩＣタグに記憶させ、そして、紙などの前記媒体上には機密に係るものを除いた情報を画像として印刷することを特徴とする請求項２０記載の情報処理装置。
【発明の詳細な説明】
【技術分野】
【０００１】
本発明は、情報の記憶ができ、かつ、無線で電力が供給されて電磁誘導又は電波でデータ通信を行うことができる無線ＩＣタグ、及び、そのタグとの間で情報のやりとりを行うリーダ、並びに、そのタグが設けられた紙、フィルムなど（以下、単に紙とも呼ぶ）を書類用紙又は印刷用紙として、その書類の紙面上の画像を読取って原稿とし、その原稿を別の用紙に印刷して書類の複写などを行うデジタル複合機などの情報処理装置に関する。
【背景技術】
【０００２】
紙、フィルムなどを記録の媒体とした書類（以下、書類の記録媒体を書類用紙と呼ぶ）についてその紙面上の画像を読取って原稿とし、その原稿を別の紙に印刷して書類の複写などを行うデジタル複合機において、その複写の際、読取った画像を原稿画像としてその原稿画像データを記憶装置に保存すると共にその原稿画像データを指し示す情報を含めさせたバーコードなどの模様画像を原稿画像に添えて印刷しておき、その後、その印刷がされた紙（印刷紙と呼ぶ）を書類用紙とした書類が当該デジタル複合機にて複写されるとき、その紙面上のバーコードを読取り、そのバーコードが有する情報を基に、その原稿画像データを記憶装置内から検索し、取出して、そのデータに基づいて印刷を行うことにより、先の複写物である印刷紙を元にした複写を繰返しても印刷された画像の画質が劣化しないものが商品化されている。ここで、バーコードなどの模様画像は、そこに含まれた情報がバーコードリーダなどの光学的な手段によって非接触の状態にてかつ容易に読み出される情報の簡便な保持の手段として機能している。【０００３】
そして、このような機能を有したバーコードなどに相当するものとして、近年、バーコードよりもかなり多くの情報を保持することができる非接触型ＩＣ（集積回路）カードや無線ＩＣタグなど、微小なＩＣメモリーチップを含んで、その対応するリーダ（データ読取り機）によって、非接触で、その電力が供給され、またそこに保持されたデータの読出しができるものが、交通機関の定期券や郵便物、荷物など、日常の様々な物に付けられて広く普及してきている。【０００４】
ところで、その無線ＩＣタグ（単にタグとも呼ぶ）は、そこに保持される情報、その機能・動作の制御に係る情報その他の情報（タグ情報と総称する）のデータを、タグに対向してその授受を行う無線ＩＣタグ・リーダ（単にリーダとも呼ぶ。なお、本明細書においては、タグからの情報の読取りに限らずタグに対する情報の書込みの機能を含んだ物についても、単に「リーダ」の語を用いる。また、「やりとり」の語はその読取り及び書込みの総称として用いる。）とのデータの授受を電磁誘導又は電波で行うので、その指向性などに応じた範囲内において、バーコードに比べ、リーダとの間における、方向・向き、光学的遮蔽その他の空間条件の制限が少ない。ただ、郵便物、荷物などや印刷用紙に使用される場合には、定期券などのように１枚毎にリーダとのデータの授受ができる場合では発生しない特有の問題がある。【０００５】
すなわち、無線ＩＣタグは、郵便物、荷物などや印刷用紙に使用された場合、多数のタグが互いに近接して存在する状況がしばしばありえ、その状況においてもリーダとのデータの授受ができることが求められるが、このようなとき、各タグでは、近接した他のタグとの間で、それぞれのタグに内蔵されたアンテナどうしの相互インダクタンスの影響により、ＩＣが作動するのに十分な電力を受電できない状態が発生する。【０００６】
そこで、特許文献１に示された無線ＩＣタグでは、タグ内の特定の位置に受光素子を内蔵し、外部からの光を受光したときのみ、タグのアンテナで受信した電波（搬送波）を内部の電源生成手段に供給して、リーダとのデータの授受を行うものとしている。これにより、多数のタグが一群となった状態に対してもその特定の位置に対して光を当てることで、複数のタグが同時に動作することを防止し、そして対象のタグに必要十分な電力を供給できるとしている。【０００７】
一方、プリンタやデジタル複合機においても、前述のバーコードなどの模様画像に代えてこのような無線ＩＣタグを利用し、その印刷用紙をその一部にタグが貼付されたものとして、原稿画像の印刷がされた先の印刷紙を元にした複写を繰返したときの印刷画質の劣化を回避する特許文献２に示されたようなシステムなどが提案されている。
【特許文献１】特開２００３−３１７０５０号公報（第３頁、第５頁、第９頁、図２、図４、図６〜図８）
【特許文献２】特開２００４−２４９４９９号公報
【発明の開示】
【発明が解決しようとする課題】
【０００８】
しかしながら、上記従来構成の特許文献２に示された無線ＩＣタグは、そのタグを有した印刷紙などの書類用紙が複数枚綴じられた書類の形態にされていると、その形態のままでは、リーダとのデータの授受の際、前述の特許文献１に述べられているように、近接するタグどうしが影響しあうという問題がある。【０００９】
また、仮にその影響が抑えられたとしても、書類の複写の際、その書類用紙１枚毎の複写の時にも、リーダからの電波などが、複写の対象とされた特定の１枚の書類用紙だけに限らず他の書類用紙にも届くので、他の書類用紙に付けられた無線ＩＣタグもリーダへ応答をしかねず、複写対象の１枚についてだけが特定されてのリーダとのデータの授受ができないないという問題もある。それゆえ、このようなタグでは、そのタグを有した書類用紙が複数枚綴じられた書類においてその中の特定の書類用紙だけについて複写をするようなときには、その特定の書類用紙を１枚毎抜き出して原稿台に置く必要があり、かつ、抜き取られた元の綴りはそこに含まれるタグがリーダへ応答することを避けるために原稿台から距離を取って離しておく必要がある。【００１０】
また、書類用紙が複写される１枚毎に原稿台に置かれるとしても、無線ＩＣタグは、リーダからの電波などを、その書類用紙が読取りに対しておもて面・裏面のいずれの面を向けているかにかかわらず同じように受けるので、例えば、書類用紙が両面印刷された印刷紙である場合にその書類用紙の裏面のみを複写したいときであっても、複写対象が書類用紙のおもて面であるか裏面であるかを区別した応答をすることができないという問題がある。そして、この問題は、従来構成のタグを印刷用紙に対してどのように貼付しようとも、すなわち、貼付の面を印刷用紙の片面のみならず両面共としても、また、貼付の方向・向きをいかようにしても、解決されない。それゆえ、このようなタグは、印刷用紙における両面印刷の用途・目的ではその用をなさない。【００１１】
一方、特許文献１に示された無線ＩＣタグは、それが複数存在するときに、それらが同時に動作することを避け、かつ、順次に動作するための構成を有するものであるが、その使用の形態は、特許文献１の図２、図４及び図６〜図８に示されているように、それが収められた一定形状のケースなどによってその複数が積層され整列された状態で所定の位置に置かれることが想定されたものであり、複数のタグが積層され、受光素子などの位置が整列されている状態になければならない。それゆえ、書類用紙が複数枚綴じられた書類の形態においても書類用紙毎のタグ情報が読出せるものとすべく、仮にこのようなタグが印刷用紙に貼付されるとした場合、印刷用紙に対するタグの貼付の位置を精度よく揃える必要があり、また、複数枚が綴られた書類として書類用紙を束ねるときにも、書類用紙を同じ方向・向きとし、かつ、正確に位置を合わせて束ねる必要がある。【００１２】
また、同無線ＩＣタグは、同第９ページに記載されているように、そのタグが収められ又は取付けられる物の表裏に関係なく使用できることもそのタグの目的としており、従ってタグの表裏を区別する機能を当然有せず、その物のおもて面側と裏面側との別に応じたデータの授受ができるようなものではないので、前述した特許文献２に示されたタグの場合と同様に、それが収められ又は取付けられる物の表裏を区別すべき用途・目的では利用できない。【００１３】
このように、特許文献１に示された無線ＩＣタグは、それを、書類用紙が複数枚綴じられた書類の形態においても書類用紙のページ毎のタグ情報が読出せるようなものとするときには、これらの課題を生じるものであった。【００１４】
加えて、特許文献１に示された無線ＩＣタグは、タグが収められ又は取付けられる物のおもて面及び裏面の両面において光を検出する構成として、同図３に、タグのおもて面及び裏面の両面に受光素子が備えられた構成が示されているが、この構成では受光素子が２つ必要である。これに対し、印刷用紙に貼付などされる用途のタグとしては、一般に、その印刷用紙自体が安価であり、それゆえ、回路規模及びコストがより抑えることのできる構成であることもさらに望まれるところであった。【００１５】
本発明は、このような従来の課題などを解決するものであり、印刷用紙などの用途における、書類用紙が複数枚綴じられた書類の形態においても書類用紙毎のタグ情報を読出せ、また、さらに両面印刷がされた書類用紙では、その裏表の別を簡素な構成で検知して書類用紙のページ毎のタグ情報を読出すことができる無線ＩＣタグ、及びそのタグとの間で情報のやりとりを行うリーダ、並びに、そのタグが設けられた紙、及びその紙を書類用紙又は印刷用紙としたデジタル複合機などの情報処理装置を提供することを目的とする。
【課題を解決するための手段】
【００１６】
本発明は、上記目的を達成するために、有体物に付けられて又はその一部に含められて設けられ、情報の記憶ができ、かつ、電力が無線で供給され、そして、電磁誘導又は電波で、前記有体物の外部に存するリーダとの間でデータ通信を行って、当該タグが記憶する情報、その他のタグ情報を前記リーダとやりとりすることができる無線ＩＣタグを、当該タグが設けられた前記有体物に対する複数の所定の方向・向きのそれぞれにおける外光を互いに区別して受光することができる外光受光手段を含み備え、前記リーダからの所定の電波などを受けたとき、前記リーダとの情報のやりとりに関し、前記外光受光手段が前記外光を受光して得られたその受光信号に基づき、その受光信号によっては前記リーダへの応答を行わず、又は、やりとりする前記タグ情報を少なくともその一部にその受光信号に応じた受光情報を含むものとすることを特徴としたものとする。【００１７】
また、有体物に付けられて又はその一部に含められて設けられ、情報の記憶ができ、かつ、電力が無線で供給され、そして、電磁誘導又は電波で、前記有体物の外部に存するリーダとの間でデータ通信を行って、当該タグが記憶する情報、その他のタグ情報を前記リーダとやりとりすることができる無線ＩＣタグを、当該部それぞれが、当該タグが設けられた前記有体物に対する所定の方向・向きから照射された光を、当該タグの内部へ透過させる複数の光透過部と、前記光透過部を透過した光を受光する１以上の受光素子とを含み備え、複数の前記光透過部は、それぞれ、光の透過率が、光が透過する方向に対した少なくとも一の方向において、一様ではなく、かつ、他のいずれとも互いに異なったパターンを成し、当該タグは、複数の前記光透過部のいずれかを透過した光を前記受光素子にて受光し、そして、前記リーダからの所定の電波などを受けたとき、前記リーダとの情報のやりとりに関し、光の透過率の成す前記パターンに対応した受光信号に基づき、その受光信号によっては前記リーダへの応答を行わず、又は、やりとりする前記タグ情報を少なくともその一部にその受光信号に応じた受光情報を含むものとすることを特徴としたものとしてもよい。【００１８】
また、有体物に付けられて又はその一部に含められて設けられ、情報の記憶ができ、かつ、電力が無線で供給され、そして、電磁誘導又は電波で、前記有体物の外部に存するリーダとの間でデータ通信を行って、当該タグが記憶する情報、その他のタグ情報を前記リーダとやりとりすることができる無線ＩＣタグを、光に対する反射率が１次元又は２次元の方向において一様ではないパターンを成すように変えることができる面を所定の方向・向きに有した外光反射手段を含み備え、前記リーダからの所定の通信を受けて、その通信された情報に基づく所定のパターンを前記外光反射手段における前記面に現すことを特徴としたものとしてもよい。【００１９】
また、有体物に付けられて又はその一部に含められて設けられ、情報の記憶ができ、かつ、電力が無線で供給され、さらに、前記有体物に対する複数の所定の方向・向きから照射される光を区別して受光する機能を有した無線ＩＣタグとの間で、電磁誘導又は電波でデータ通信が行え、前記無線ＩＣタグが記憶する情報、前記光の受光に係る受光情報その他のタグ情報をやりとりする無線ＩＣタグ・リーダを、前記タグ情報から、前記無線ＩＣタグが前記有体物に対する複数の所定の方向・向きから照射される光を区別して受光して得たその受光情報を抽出することができ、そして、その情報をもとに、前記有体物への光の照射の方向・向きを識別する光照射方向識別手段を含み備え、前記無線ＩＣタグとの間にて電波などでデータ通信を行って情報のやりとりをし、受信したタグ情報のおける受光情報をもとに、前記光照射方向識別手段によって前記有体物への光の照射の方向・向きを識別して、前記無線ＩＣタグが設けられた有体物の姿勢の方向・向きを特定することができることを特徴としたものとしてもよい。【００２０】
また、紙などを媒体とした書類などについてその媒体面上の画像を読取るなどの処理を行う情報処理装置を、画像読取りの照明として照射域が前記媒体の一の面において一定の方向に相対的に移動され又は走査される光を照射する照明手段と、前記照明手段による光を前記媒体への照明光としてその媒体面上の画像を光学的に読取る画像読取り部と、前記媒体に付けられて又はその一部に含められて設けられ、情報の記憶ができ、かつ、電力が無線で供給され、さらに、前記媒体に対する複数の所定の方向・向きから照射される光を区別して受光する機能を有した無線ＩＣタグとの間で、電磁誘導又は電波でデータ通信が行え、前記無線ＩＣタグが記憶する情報、前記光の受光に係る受光情報その他のタグ情報をやりとりする無線ＩＣタグ・リーダと、前記タグ情報から、前記無線ＩＣタグが前記媒体に対する複数の所定の方向・向きから照射される光を区別して受光して得たその受光情報を抽出することができ、そして、その情報をもとに、前記媒体への光の照射の方向・向きを識別する光照射方向識別手段とを含み備え、前記無線ＩＣタグとの間にて電波などでデータ通信を行って情報のやりとりをし、受信したタグ情報のおける受光情報をもとに、前記光照射方向識別手段によって前記媒体への前記照明光の照射の方向・向きを識別して、前記無線ＩＣタグが設けられた媒体の姿勢の方向・向きを特定することができることを特徴としたものとしてもよい。【００２１】
また、光に対する反射率が１次元又は２次元の方向において一様ではないパターンを成すように変えることができる面を所定の方向・向きに有した無線ＩＣタグが設けられた紙などを媒体とした書類などについてその媒体面上の画像を読取るなどの処理を行う情報処理装置を、画像読取りの照明として照射域が前記媒体の一の面において一定の方向に相対的に移動され又は走査される光を照射する照明手段と、前記照明手段による光を前記媒体への照明光としてその媒体面上の画像を光学的に読取る画像読取り部と、前記画像内から特定のパターンを抽出してそのパターンが表わした情報を認識するパターン認識手段と、前記媒体に付けられて又はその一部に含められて設けられ、情報の記憶ができ、かつ、電力が無線で供給される無線ＩＣタグとの間で、電磁誘導又は電波でデータ通信が行え、前記無線ＩＣタグが記憶する情報その他のタグ情報をやりとりする無線ＩＣタグ・リーダと、を含み備え、前記無線ＩＣタグ・リーダが、前記無線ＩＣタグに対し、光に対する反射率が１次元又は２次元の方向において一様ではない所定のパターンを成すよう指示する通信を行った後、前記パターン認識手段がその所定のパターンを抽出してそのパターンが表わした情報を認識できたとき、その認識された情報に基づきその無線ＩＣタグとそのタグ情報のやりとりを行うことを特徴としたものとしてもよい。【００２２】
また、画像を紙などの媒体に印刷出力するなどの処理を行う情報処理装置を、前記媒体を搬送して当該装置の外部へ送り出す媒体搬送手段と、前記媒体に付けられて又はその一部に含められて設けられ、情報の記憶ができ、かつ、電力が無線で供給され、さらに、前記媒体に対する複数の所定の方向・向きから照射される光を区別して受光する機能を有した無線ＩＣタグとの間で、電磁誘導又は電波でデータ通信が行え、前記無線ＩＣタグが記憶する情報、前記光の受光に係る受光情報その他のタグ情報をやりとりする無線ＩＣタグ・リーダと、前記媒体への印刷がされる面へ光を照射する光照射手段とを含み備え、印刷出力の際、前記媒体搬送手段が前記媒体を搬送している時に前記光照射手段が光を照射し、そのもとで、前記タグ情報における少なくとも前記無線ＩＣタグが記憶する情報についてのやりとりを行うことを特徴としたものとしてもよい。
【発明の効果】
【００２３】
本発明は、リーダからの所定の電波などを受けたとき、リーダとの情報のやりとりに関し、外光を受光して得られた受光信号に基づき、その受光信号によってはリーダへの応答を行わず、又は、やりとりするタグ情報を少なくともその一部にその受光信号に応じた受光情報を含むものとすることで、無線ＩＣタグは、それが１つであっても、そのタグが設けられた有体物（例えば印刷紙などの書類用紙）への外光となる照明光の方向・向きを変えることによって、タグ情報を、外光を受光できる方向・向きの数だけ、その照明光の方向・向き毎に、それぞれ異なるものとすることができる。【００２４】
そして、照明の方向・向きを所定のものとすれば、その方向・向きに対して、そのタグが設けられた有体物（例えば書類用紙）の置かれた方向・向きによって、タグ情報を、外光を受光できる方向の数だけ、有体物の置かれた方向・向き毎（例えば書類用紙の裏表の面毎）に、それぞれ異なるものとすることができる。従って、リーダは、書類用紙などの有無が検知できると共に、その照射方向・向きを予め所定のものとしておくことで、その書類用紙などが置かれた方向・向き（例えば書類用紙のおもて面又は裏面の面した向き）についても同時に知ることができる。【００２５】
また、このような無線ＩＣタグは、それが設けられた例えば書類用紙が複数枚束ねられた書類の場合においても、その書類の複写が行われるとき、書類の読取りのための照明光が当てられる原稿台に面した書類用紙のタグのみがその照明光に反応してリーダへ応答し、所定の照明条件下にない他の書類用紙のタグは応答しないものとできるので、電波などを受けた複数のタグでのデータの衝突がなく、所定の照明条件下にあるタグのみの検出を可能とすることができ、そして、その複写を行う者は、複写の際、書類を１枚毎に分けることなく、書類用紙の束のまま原稿台に置くことができる。【００２６】
また、複数の光透過部は、それぞれ、光の透過率が、光が透過する方向に対した少なくとも一の方向において、一様ではなく、かつ、他のいずれとも互いに異なったパターンを成し、当該タグは、複数の光透過部のいずれかを透過した光を受光素子にて受光し、そして、リーダからの所定の電波などを受けたとき、リーダとの情報のやりとりに関し、光の透過率の成すパターンに対応した受光信号に基づき、その受光信号によってはリーダへの応答を行わず、又は、やりとりするタグ情報を少なくともその一部にその受光信号に応じた受光情報を含むものとすることで、無線ＩＣタグは、そのタグが付けられた有体物（例えば書類用紙）へ光が時刻と共に移動しながら照射されるとき、受光素子での受光状態の時間的変化を各光透過部における光の透過率のパターンに応じてそれぞれ異なったものにできるので、受光素子が１つであってもその受光状態の時間的変化によって光の照射の方向・向きを区別することができる。【００２７】
そして、デジタル複合機などでは、文書の複写の際、一般に、スキャナによってその紙面上の画像を読取られる書類用紙に対して照明が相対的に移動しながら当てられるので、従って、その書類用紙に設けられた無線ＩＣタグは、受光素子での受光状態の時間的変化の違いによってスキャナの読取りに対する書類用紙の裏表の向きを区別することができ、そして、その区別に係る情報をリーダに対して伝えることができ、一方、そのリーダは、書類用紙などの有無が検知できると共に、照射の方向・向きを予め所定のものとしておくことで、その書類用紙などが置かれた方向・向き（例えば書類用紙のおもて面又は裏面の面した向き）についても同時に知ることができる。【００２８】
また、無線ＩＣタグが、光に対する反射率が１次元又は２次元の方向において一様ではないパターンを成すように変えることができる面を所定の方向・向きに有した外光反射手段を備えることで、情報を、電磁誘導又は電波でのデータ通信によって他へ伝達できるほか、面にて反射された光がその面上の各所における反射率の差異によって成すパターンでもっても伝達することができるので、タグ情報を、光の照射が行われたときのみ、又は光を受光したときのみやりとりすることができる無線ＩＣタグとすることができる。【００２９】
また、無線ＩＣタグとの間にて電波などでデータ通信を行って情報のやりとりをし、受信したタグ情報のおける受光情報をもとに、有体物への光の照射の方向・向きを識別して、タグが設けられた有体物の姿勢の方向・向きを特定することができることで、リーダは、タグが設けられた、例えば、紙、フィルムその他の書類用媒体の裏表の検出、及び、書類用紙などにおいて複数束ねられた形態で使用されるときの、その束の表面にある書類用紙の面の検出が行える。【００３０】
また、無線ＩＣタグとの間にて電波などでデータ通信を行って情報のやりとりをし、受信したタグ情報のおける受光情報をもとに、光照射方向識別手段によって媒体への照明光の照射の方向・向きを識別して、タグが設けられた媒体の姿勢の方向・向きを特定することで、デジタル複合機などの情報処理装置は、タグが設けられた、例えば、紙、フィルムその他の書類用媒体の裏表の検出、及び、書類用紙などにおいて複数束ねられた形態で使用されるときの、その束の表面にある書類用紙の面の検出が行える。【００３１】
また、無線ＩＣタグ・リーダが、無線ＩＣタグに対し、光に対する反射率が１次元又は２次元の方向において一様ではない所定のパターンを成すよう指示する通信を行った後、パターン認識手段がその所定のパターンを抽出してそのパターンが表した情報を認識できたとき、その認識された情報に基づきその無線ＩＣタグとそのタグ情報のやりとりを行うことで、無線ＩＣタグからの情報を、電磁誘導又は電波でのデータ通信によって得るほか、無線ＩＣタグのパターンでもっても得ることができるので、タグ情報を、光の照射が行われたときのみ、又は光を受光したときのみやりとりすることができる。【００３２】
また、印刷出力の際、媒体搬送手段が媒体を搬送している時に光照射手段が光を照射し、そのもとで、タグ情報における少なくとも無線ＩＣタグが記憶する情報についてのやりとりを行うことで、プリンタなどの情報処理装置は、複数の方向・向きについて、光の透過率が互いに異なるパターンを有したタグに対して、そのパターンに応じた受光状態の区別を可能とさせる光の照射を行うことができ、その照射光を受光したタグでの受光信号に応じた受光情報を含むタグ情報を、タグへ書込み又はタグから読出してやりとりすることができる。【００３３】
このように、バーコードよりも遙かに多くのデータが扱える無線ＩＣタグを、物の裏表の検出ができ、そして、印刷用紙などにおいて複数束ねられた形態で使用されるときでも、その束の表面にある書類用紙の面についての情報を伝えることができるものとして提供できるという効果を奏する。
【図面の簡単な説明】
【００３４】
【図１】図１は本発明に係る無線ＩＣタグが埋め込まれた書類用紙を模式図であり、図１Ａはその上面を示す図、図１Ｂは線Ａ１での断面を拡大して示す図である。
【図２】図２は第１の実施例に係る無線ＩＣタグを模式的に示し、図２Ａはその上面図、図２Ｂは線Ａ２での断面図、図２Ｃは下面図である。
【図３】図３は第１の実施例に係る無線ＩＣタグの回路ブロックの構成を示すブロック図である。
【図４】図４は第１の実施例に係る無線ＩＣタグにおけるメモリ切換え回路１５及びメモリー１４の回路構成図である。
【図５】図５は本実施例におけるデジタル複合機の概略構成を示す図である。
【図６】図６はデジタル複合機の原稿台に書類用紙を置いた状態の一例を示す図である。
【図７】図７はデジタル複合機における情報処理回路の概略構成の一例を示す図である。
【図８】図８は本実施例における無線ＩＣタグの動作に係る、同タグとデジタル複合機とのコマンドシーケンス図である。
【図９】図９は第２の実施例に係る無線ＩＣタグを模式的に示し、図９Ａはその上面図、図９Ｂは線Ａ２での断面図、図９Ｃは下面図である。
【図１０】図１０は第２の実施例に係る無線ＩＣタグの回路ブロックの構成を示すブロック図である。
【図１１】図１１は第２の実施例に係るタグが埋め込まれた書類用紙がデジタル複合機の原稿台に置かれた状態での断面を示す拡大模式図である。
【図１２】図１２は第２の実施例に係る無線ＩＣタグの受光量について、照明の走査に伴うその時間的変化を示す模式図である。
【図１３】図１３は第２の実施例に係る無線ＩＣタグの光照射方向識別機能の処理フローチャートである。
【図１４】図１４は第２の実施例に係る他のタグの例を模式的に示すもので、図１４Ａは上面図、図１４Ｂは線Ａ２での断面図、図１４Ｃは下面図である。
【図１５】図１５はさらに他のタグの例を模式的に示すもので、図１５Ａは上面図、図１５Ｂは下面図である。
【発明を実施するための最良の形態】
【００３５】
本発明の実施の第１の形態は、有体物に付けられて又はその一部に含められて設けられ、情報の記憶ができ、かつ、電力が無線で供給され、そして、電磁誘導又は電波で、前記有体物の外部に存するリーダとの間でデータ通信を行って、タグ情報を前記リーダとやりとりすることができる無線ＩＣタグである。ここで、タグ情報は、当該タグが記憶する情報、その他の情報である。その他の情報とは、例えば当該タグが生成した情報である。この無線ＩＣタグは、例えば、印刷紙などの書類用紙、その他の有体物に設ける。この無線ＩＣタグは、いわゆるＩＣカードの場合では、そのカード本体であるプラスチック・カードに設けることができる。この無線ＩＣタグは、当該タグが設けられた前記有体物に対する複数の所定の方向・向きのそれぞれにおける外光を互いに区別して受光することができる外光受光手段を含み備える。タグを例えば書類用紙に設けたときであれば、外光受光手段は、その書類用紙の面内における所定の方向やその面に対する所定の向きそれぞれにおける外光を互いに区別して受光する。そして、この無線ＩＣタグは、前記リーダからの所定の電波などを受けたとき、前記リーダとの情報のやりとりに関し、前記外光受光手段が前記外光を受光して得られたその受光信号に基づき、その受光信号によっては前記リーダへの応答を行わず、又は、やりとりする前記タグ情報を少なくともその一部にその受光信号に応じた受光情報を含んだものにする。【００３６】
このような構成によって、リーダからの所定の電波などを受けたとき、リーダとの情報のやりとりに関し、外光を受光して得られた受光信号に基づき、その受光信号によってはリーダへの応答を行わず、又は、やりとりするタグ情報を少なくともその一部にその受光信号に応じた受光情報を含んだものにすることで、無線ＩＣタグは、それが１つであっても、そのタグが設けられた有体物への外光となる照明光の方向・向きを変えることによって、タグ情報を、外光を受光できる方向・向きの数だけ、その照明光の方向・向き毎に、それぞれ異なるものとすることができる。【００３７】
そして、照明の方向・向きを所定のものとすれば、その方向・向きに対して、そのタグが設けられた有体物（例えば書類用紙）の置かれた方向・向きによって、タグ情報を、外光を受光できる方向の数だけ、有体物の置かれた方向・向き毎（例えば書類用紙の裏表の面毎）に、それぞれ異なるものとすることができる。例えば、その有体物の置かれた方向・向きによってそれぞれ異なるタグ情報をタグが出力することができる。従って、リーダは、書類用紙などの有無が検知できると共に、その照射方向・向きを予め所定のものとしておくことで、その書類用紙などが置かれた方向・向き（例えば書類用紙のおもて面又は裏面の面した向き）についても同時に知ることができる。【００３８】
また、このような無線ＩＣタグは、それが設けられた例えば書類用紙が複数枚束ねられた書類の場合においても、その書類の複写が行われるとき、書類の読取りのための照明光が当てられる原稿台に面した書類用紙のタグのみがその照明光に反応してリーダへ応答し、所定の照明条件下にない他の書類用紙のタグは応答しないものとできるので、電波などを受けた複数のタグでのデータの衝突がなく、所定の照明条件下にあるタグのみの検出を可能とすることができ、そして、その複写を行う者は、複写の際、書類を１枚毎に分けることなく、書類用紙の束のまま原稿台に置くことができる。【００３９】
このように、無線ＩＣタグにおいて、物の裏表の検出ができ、そして、印刷用紙などにおいて複数束ねられた形態で使用されるときでも、その束の表面にある書類用紙の面についての情報を伝えることができる。【００４０】
本発明の実施の第２の形態は、実施の第１の形態において、前記外光受光手段を、当該素子それぞれが前記所定の方向・向きに向いた複数の受光素子としたものである。【００４１】
このような構成によって、外光受光手段を、当該素子それぞれが所定の方向・向きに向いた複数の受光素子とすることで、複数の方向・向きについて、それぞれの方向・向きを区別して、その方向・向きにおける外光を簡易に検出することができる。【００４２】
本発明の実施の第３の形態は、実施の第１の形態において、前記外光受光手段を、当該部それぞれが前記所定の方向・向きから照射された光を当該タグの内部へ透過させる複数の光透過部と、当該素子それぞれが前記光透過部の一に対応してその対応した前記光透過部を透過した光を受光する複数の受光素子とからなるものとしたものである。【００４３】
このような構成によって、外光受光手段を、当該部それぞれが所定の方向・向きから照射された光を当該タグの内部へ透過させる複数の光透過部と、当該素子それぞれが光透過部の一に対応してその対応した光透過部を透過した光を受光する複数の受光素子とからなるものとすることで、光透過部に光ファーバーなどの光を任意な経路にて導く導光手段を用いて、外光を受光素子へ導くことができるので、受光素子の取付けをタグにおいて任意な方向・向きに構成できる。また、外光を受けて取込む位置をその他の構成要素群から離した構造とすることもできる。【００４４】
本発明の実施の第４の形態は、有体物に付けられて又はその一部に含められて設けられ、情報の記憶ができ、かつ、電力が無線で供給され、そして、電磁誘導又は電波で、前記有体物の外部に存するリーダとの間でデータ通信を行って、当該タグが記憶する情報、その他のタグ情報を前記リーダとやりとりすることができる無線ＩＣタグであって、複数の光透過部と、１以上の受光素子とを含み備える。この無線ＩＣタグは、複数の光透過部それぞれが、当該タグが設けられた前記有体物に対する所定の方向・向きから照射された光を、当該タグの内部へ透過させ、１以上の受光素子が、光透過部を透過した光を受光する。ここで、各光透過部は、光の透過率が、光が透過する方向に対した少なくとも一の方向において、一様ではなく、かつ、他のいずれとも互いに異なったパターンを成しており、当該タグは、複数の前記光透過部のいずれかを透過した光を前記受光素子にて受光する。そして、この無線ＩＣタグは、前記リーダからの所定の電波などを受けたとき、前記リーダとの情報のやりとりに関し、光の透過率の成す前記パターンに対応した受光信号に基づき、その受光信号によっては前記リーダへの応答を行わず、又は、やりとりする前記タグ情報を少なくともその一部にその受光信号に応じた受光情報を含んだものにする。【００４５】
このような構成によって、複数の光透過部は、それぞれ、光の透過率が、光が透過する方向に対した少なくとも一の方向において、一様ではなく、かつ、他のいずれとも互いに異なったパターンを成し、当該タグは、複数の光透過部のいずれかを透過した光を受光素子にて受光し、そして、リーダからの所定の電波などを受けたとき、リーダとの情報のやりとりに関し、光の透過率の成すパターンに対応した受光信号に基づき、その受光信号によってはリーダへの応答を行わず、又は、やりとりするタグ情報を少なくともその一部にその受光信号に応じた受光情報を含んだものにすることで、無線ＩＣタグは、そのタグが付けられた有体物（例えば書類用紙）へ光が時刻と共に移動しながら照射されるとき、受光素子での受光状態の時間的変化を各光透過部における光の透過率のパターンに応じてそれぞれ異なったものにできるので、受光素子が１つであってもその受光状態の時間的変化によって光の照射の方向・向きを区別することができる。【００４６】
そして、デジタル複合機などでは、文書の複写の際、一般に、スキャナによってその紙面上の画像を読取られる書類用紙に対して照明が相対的に移動しながら当てられるので、従って、その書類用紙に設けられた無線ＩＣタグは、受光素子での受光状態の時間的変化の違いによってスキャナの読取りに対する書類用紙の裏表の向きを区別することができ、そして、その区別に係る情報をリーダに対して伝えることができ、一方、そのリーダは、書類用紙などの有無が検知できると共に、照射の方向・向きを予め所定のものとしておくことで、その書類用紙などが置かれた方向・向き（例えば書類用紙のおもて面又は裏面の面した向き）についても同時に知ることができる。【００４７】
また、このような無線ＩＣタグは、それが設けられた例えば書類用紙が複数枚束ねられた書類の場合においても、その書類の複写が行われるとき、書類の読取りのための照明光が当てられる原稿台に面した書類用紙のタグのみがその照明光に反応してリーダへ応答し、所定の照明条件下にない他の書類用紙のタグは応答しないものとできるので、電波などを受けた複数のタグでのデータの衝突がなく、所定の照明条件下にあるタグのみの検出を可能とすることができ、そして、その複写を行う者は、複写の際、書類を１枚毎に分けることなく、書類用紙の束のまま原稿台に置くことができる。【００４８】
このように、無線ＩＣタグにおいて、物の裏表の検出ができ、そして、印刷用紙などにおいて複数束ねられた形態で使用されるときでも、その束の表面にある書類用紙の面についての情報を伝えることができる。【００４９】
本発明の実施の第５の形態は、実施の第４の形態において、前記光透過部は、光の透過率が、その光が透過する方向に対した２つの互いに直交する方向それぞれに前記パターンを成したものである。【００５０】
このような構成によって、光透過部を、光の透過率が、その光が透過する方向に対した２つの互いに直交する方向それぞれに前記パターンを成したものとすることで、パターンをそれらの２つにおいて同じものとして、無線ＩＣタグは、そのタグが付けられた有体物（例えば書類用紙）へ光が時刻と共に移動しながら照射されるとき、例えば、スキャナの読取りに対する書類用紙の縦横の向きにかかわらず受光素子での受光状態の時間的変化を同じとすることができるので、書類用紙がスキャナの読取りに対して縦横のいずれの方向に置かれても、前述した書類用紙の裏表の別をリーダに対して伝えることができる。【００５１】
また、パターンをそれらの２つの間で異なるものとすれば、受光素子での受光状態の時間的変化の違いによってスキャナの読取りに対する書類用紙の縦横の向きを区別することもできる。【００５２】
本発明の実施の第６の形態は、実施の第４の形態において、光の透過率が成した前記パターンを、そのパターンの成す方向におけるその一端側と他端側との間で、それらの中央を横切る軸に対して線対称としたものである。【００５３】
このような構成によって、光の透過率が成したパターンを、そのパターンの成す方向におけるその一端側と他端側との間で、それらの中央を横切る軸に対して線対称とすることで、前述の無線ＩＣタグに照射される光の移動の向きに対して逆の向きにおいても、リーダの受光素子が検出する光量変化のパターンが同一となり、リーダにおけるパターンの判別処理が容易となる。例えば、タグが印刷用紙などに付けられる場合、その書類用紙がデジタル複合機などの原稿台に置かれるとき、その置かれる向きが、いわゆる天地いずれの向きであっても、リーダの受光素子が検出する光量変化のパターンが同一なので、リーダは、パターンの判別処理が容易となる。【００５４】
本発明の実施の第７の形態は、実施の第４の形態において、光の透過率が成した前記パターンを、そのパターンの成す方向における端部での光の透過率が、複数の前記光透過部の全てについて同じとしたものである。【００５５】
このような構成によって、光の透過率が成したパターンを、そのパターンの成す方向における端部での光の透過率が、複数の光透過部の全てについて同じとすることで、無線ＩＣタグ又はリーダは、光がいずれの光透過部を透過したかを判別する際、タグへ照射された光の量の絶対値の多少（照明光量、タグの印刷用紙などへの取付け形態その他の影響）を、受光が始まった時点での受光量をもって知ることができ、照明光量、タグの印刷用紙などへの取付け形態その他の影響を排除することができ、受光素子での受光量の時間的変化とパターンとの対応に基づく光透過部の判別を安定して行うことができる。【００５６】
本発明の実施の第８の形態は、有体物に付けられて又はその一部に含められて設けられ、情報の記憶ができ、かつ、電力が無線で供給され、そして、電磁誘導又は電波で、前記有体物の外部に存するリーダとの間でデータ通信を行って、当該タグが記憶する情報、その他のタグ情報を前記リーダとやりとりすることができる無線ＩＣタグである。この無線ＩＣタグは、光に対する反射率が１次元又は２次元の方向において一様ではないパターンを成すように変えることができる面を所定の方向・向きに有した外光反射手段を含み備え、リーダからの所定の通信を受けて、その通信された情報に基づく所定のパターンを前記外光反射手段における前記面に現す。【００５７】
このような構成によって、無線ＩＣタグが、光に対する反射率が１次元又は２次元の方向において一様ではないパターンを成すように変えることができる面を所定の方向・向きに有した外光反射手段を備えることで、情報を、電磁誘導又は電波でのデータ通信によって他へ伝達できるほか、面にて反射された光がその面上の各所における反射率の差異によって成すパターンでもっても伝達することができるので、タグ情報を、光の照射が行われたときのみ、又は光を受光したときのみやりとりすることができる無線ＩＣタグとすることができる。【００５８】
本発明の実施の第９の形態は、実施の第８の形態において、前記外光反射手段を複数備えてそれぞれの前記パターンが成される前記面が所定の方向・向きに面したものである、又は、一の前記外光反射手段が前記面を複数有してその各面が所定の方向・向きに面したものである。【００５９】
このような構成によって、外光反射手段を複数備えてそれぞれのパターンが成される面が所定の方向・向きに面したものである、又は、位置の外光反射手段が前記面を複数有してその各面が所定の方向・向きに面したものであるとすることで、それぞれの方向・向きを区別したパターンでもって情報を伝達することができる。【００６０】
本発明の実施の第１０の形態は、実施の第８の形態において、前記パターンが成される前記面は、光に対する反射率が１次元又は２次元の方向において一様ではない前記パターンを液晶にて成すものである。【００６１】
このような構成によって、パターンが成される面が、光に対する反射率が１次元又は２次元の方向において一様ではないパターンを液晶にて成すものであるので、液晶に形成させるパターンを電気的に変えることができるので、外部からの指示を受けるなどしてパターンを任意かつ容易に変えることができる。【００６２】
本発明の実施の第１１の形態は、実施の第８の形態において、前記外光反射手段が成す前記パターンは、１次元又は２次元のバーコード模様である。【００６３】
このような構成によって、外光反射手段が成すパターンを１次元又は２次元のバーコード模様とすることで、光に対する反射率が１次元又は２次元の方向において一様ではないパターンを簡単に構成でき、さらにそのバーコード模様を既定の仕様に従ったものとすることで、無線ＩＣタグを、その仕様を採用した他のシステムでの利用も可能なものにできる。【００６４】
本発明の実施の第１２の形態は、実施の第１又は第４の形態において、複数の前記所定の方向・向きが、前記有体物のおもて面が面した向きと、その裏面が面した向きとであるものである。【００６５】
このような構成によって、複数の所定の方向・向きが、有体物のおもて面が面した向きと、その裏面が面した向きとであることで、無線ＩＣタグを印刷用紙や書類用紙などの薄いシート状の物へ設けることが容易にでき、そのタグによってその物の置かれた裏表の向きの区別を知ることができる。【００６６】
本発明の実施の第１３の形態は、実施の第１、第４又は第９の形態において、前記受光情報が、前記受光信号のその内容自体を示す受光信号情報、又はその受光信号情報を含んだものである。【００６７】
このような構成によって、受光情報を、受光信号のその内容自体を示す受光信号情報、又はその受光信号情報を含んだものとすることで、そして、この場合においても、無線ＩＣタグ・リーダにてその受光信号情報を処理して所望の情報を得ることができるので、タグにおける情報処理の規模の増大及びタグのコストアップを抑えつつ、機能の拡大が図られる。【００６８】
本発明の実施の第１４の形態は、実施の第１又は第４の形態において、光を受けて電圧又は電流を発生する受光素子と、電荷を蓄える蓄電手段とを含み備え、前記受光素子によって得られる電力を前記蓄電手段に蓄えて当該タグの電気回路のための電力の少なくとも一部とするものである。【００６９】
このような構成によって、受光素子によって得られる電力を蓄電手段に蓄えて無線ＩＣタグの電気回路のための電力の少なくとも一部とすることで、互いに近接して多数のタグが存在する形態でのリーダの読取りなどにおいて、タグに内蔵されたアンテナ間の相互インダクタンスの影響によりＩＣが作動するのに十分な電力を受電できない状態となっても、当該タグ内の回路に電力を供給して動作させることができ、また、電波などだけによる場合よりも、より十分な電力が得られ、さらに、電波などが無い状態においても外光によって電力を蓄えることができるので、タグの電源能力を余力のあるものとして、その電気回路動作を安定させ、また時間を要する処理の取扱いを可能とし、また回路機能のさらなる拡張を容易にできる。【００７０】
本発明の実施の第１５の形態は、実施の第１から第１４の各形態に示した無線ＩＣタグを設けた紙、フィルムその他の書類用媒体である。【００７１】
このような構成によって、紙、フィルムその他の書類用媒体に、実施の第１から第１４の各形態に示した無線ＩＣタグを設けることで、タグへの光の照射の方向・向きによって、リーダによる、媒体の裏表の検出、及び、書類などにおいて複数束ねられた形態で使用されるときの、その束の表面にある書類用紙の面の検出を可能にできる。そして、書類用紙が複数枚束ねられた書類の場合でも、その書類用紙の１面を複写するとき、照明光が当てられる原稿台に面した書類用紙のタグのみが動作できるので、１枚毎に分けることなく、書類用紙の束のまま原稿台に置く使用ができる。【００７２】
このように、バーコードよりも遙かに多くのデータが保持でき、かつ無線で伝送でき、また、書類用紙の裏表の検出ができ、そして、複数束ねられた形態で使用されるときでも、その束の表面にある書類用紙の面についての情報を伝えることができる書類用紙が提供できる。【００７３】
本発明の実施の第１６の形態は、有体物に付けられて又はその一部に含められて設けられ、情報の記憶ができ、かつ、電力が無線で供給され、さらに、前記有体物に対する複数の所定の方向・向きから照射される光を区別して受光する機能を有した無線ＩＣタグとの間で、電磁誘導又は電波でデータ通信が行え、前記無線ＩＣタグが記憶する情報、前記光の受光に係る受光情報その他のタグ情報をやりとりする無線ＩＣタグ・リーダであって、前記タグ情報から、前記無線ＩＣタグが前記有体物に対する複数の所定の方向・向きから照射される光を区別して受光して得たその受光情報を抽出することができ、そして、その情報をもとに、前記有体物への光の照射の方向・向きを識別する光照射方向識別手段を含み備え、前記無線ＩＣタグとの間にて電波などでデータ通信を行って情報のやりとりをし、受信したタグ情報のおける受光情報をもとに、前記光照射方向識別手段によって前記有体物への光の照射の方向・向きを識別して、前記無線ＩＣタグが設けられた有体物の姿勢の方向・向きを特定することができるものである。【００７４】
このような構成によって、無線ＩＣタグとの間にて電波などでデータ通信を行って情報のやりとりをし、受信したタグ情報における受光情報をもとに、有体物への光の照射の方向・向きを識別して、タグが設けられた有体物の姿勢の方向・向きを特定することができることで、リーダは、タグが設けられた、例えば、紙、フィルムその他の書類用媒体の裏表の検出、及び、書類などにおいて複数束ねられた形態で使用されるときの、その束の表面にある書類用紙の面の検出が行える。【００７５】
本発明の実施の第１７の形態は、実施の第１６の形態において、照射域が有体物の一の面において一定の方向に相対的に移動され又は走査される光を照射する光照射手段を含み備えたものである。【００７６】
このような構成によって、照射域が有体物の一の面において一定の方向に相対的に移動され又は走査される光を照射することで、リーダは、複数のその方向・向きについて、光の透過率が互いに異なるパターンを有したタグに対して、そのパターンに応じた受光状態の区別を可能とさせる光の照射を行うことができ、その照射光を受光したタグでの受光信号に応じた受光情報を含むタグ情報を、タグとやりとりすることができる。【００７７】
本発明の実施の第１８の形態は、紙などを媒体とした書類などについてその媒体面上の画像を読取るなどの処理を行う情報処理装置である。この情報処理装置は、画像読取りの照明として照射域が前記媒体の一の面において一定の方向に相対的に移動され又は走査される光を照射する照明手段と、前記照明手段による光を前記媒体への照明光としてその媒体面上の画像を光学的に読取る画像読取り部と、前記媒体に付けられて又はその一部に含められて設けられ、情報の記憶ができ、かつ、電力が無線で供給され、さらに、前記媒体に対する複数の所定の方向・向きから照射される光を区別して受光する機能を有した無線ＩＣタグとの間で、電磁誘導又は電波でデータ通信が行え、前記無線ＩＣタグが記憶する情報、前記光の受光に係る受光情報その他のタグ情報をやりとりする無線ＩＣタグ・リーダと、前記タグ情報から、前記無線ＩＣタグが前記媒体に対する複数の所定の方向・向きから照射される光を区別して受光して得たその受光情報を抽出することができ、そして、その情報をもとに、前記媒体への光の照射の方向・向きを識別する光照射方向識別手段とを含み備え、前記無線ＩＣタグとの間にて電波などでデータ通信を行って情報のやりとりをし、受信したタグ情報のおける受光情報をもとに、前記光照射方向識別手段によって前記媒体への前記照明光の照射の方向・向きを識別して、前記無線ＩＣタグが設けられた媒体の姿勢の方向・向きを特定することができる。【００７８】
このような構成によって、無線ＩＣタグとの間にて電波などでデータ通信を行って情報のやりとりをし、受信したタグ情報における受光情報をもとに、光照射方向識別手段によって媒体への照明光の照射の方向・向きを識別して、タグが設けられた媒体の姿勢の方向・向きを特定することで、デジタル複合機などの情報処理装置は、タグが設けられた、例えば、紙、フィルムその他の書類用媒体の裏表の検出、及び、書類などにおいて複数束ねられた形態で使用されるときの、その束の表面にある書類用紙の面の検出が行える。【００７９】
本発明の実施の第１９の形態は、光に対する反射率が１次元又は２次元の方向において一様ではないパターンを成すように変えることができる面を所定の方向・向きに有した無線ＩＣタグが設けられた紙などを媒体とした書類などについてその媒体面上の画像を読取るなどの処理を行う情報処理装置である。この情報処理装置は、画像読取りの照明として照射域が前記媒体の一の面において一定の方向に相対的に移動され又は走査される光を照射する照明手段と、前記照明手段による光を前記媒体への照明光としてその媒体面上の画像を光学的に読取る画像読取り部と、前記画像内から特定のパターンを抽出してそのパターンが表わした情報を認識するパターン認識手段と、前記媒体に付けられて又はその一部に含められて設けられ、情報の記憶ができ、かつ、電力が無線で供給される無線ＩＣタグとの間で、電磁誘導又は電波でデータ通信が行え、前記無線ＩＣタグが記憶する情報その他のタグ情報をやりとりする無線ＩＣタグ・リーダと、を含み備え、前記無線ＩＣタグ・リーダが、前記無線ＩＣタグに対し、光に対する反射率が１次元又は２次元の方向において一様ではない所定のパターンを成すよう指示する通信を行った後、前記パターン認識手段がその所定のパターンを抽出してそのパターンが表わした情報を認識できたとき、その認識された情報に基づきその無線ＩＣタグとそのタグ情報のやりとりを行う。【００８０】
このような構成によって、無線ＩＣタグ・リーダが、無線ＩＣタグに対し、光に対する反射率が１次元又は２次元の方向において一様ではない所定のパターンを成すよう指示する通信を行った後、パターン認識手段がその所定のパターンを抽出してそのパターンが表した情報を認識できたとき、その認識された情報に基づきその無線ＩＣタグとそのタグ情報のやりとりを行うことで、情報処理装置は、自らの指示に応答する無線ＩＣタグを選択することができ、さらには、そのようなタグからの情報を、電磁誘導又は電波でのデータ通信によって得るほか、無線ＩＣタグのパターンでもっても得ることができる。【００８１】
本発明の実施の第２０の形態は、画像を紙などの媒体に印刷出力するなどの処理を行う情報処理装置であって、前記媒体を搬送して当該装置の外部へ送り出す媒体搬送手段と、前記媒体に付けられて又はその一部に含められて設けられ、情報の記憶ができ、かつ、電力が無線で供給され、さらに、前記媒体に対する複数の所定の方向・向きから照射される光を区別して受光する機能を有した無線ＩＣタグとの間で、電磁誘導又は電波でデータ通信が行え、前記無線ＩＣタグが記憶する情報、前記光の受光に係る受光情報その他のタグ情報をやりとりする無線ＩＣタグ・リーダと、前記媒体への印刷がされる面へ光を照射する光照射手段とを含み備え、印刷出力の際、前記媒体搬送手段が前記媒体を搬送している時に前記光照射手段が光を照射し、そのもとで、前記タグ情報における少なくとも前記無線ＩＣタグが記憶する情報についてのやりとりを行うものである。【００８２】
このような構成によって、印刷出力の際、媒体搬送手段が媒体を搬送している時に光照射手段が光を照射し、そのもとで、タグ情報における少なくとも無線ＩＣタグが記憶する情報についてのやりとりを行うことで、プリンタなどの情報処理装置は、複数の方向・向きについて、光の透過率が互いに異なるパターンを有したタグに対して、そのパターンに応じた受光状態の区別を可能とさせる光の照射を行うことができ、その照射光を受光したタグでの受光信号に応じた受光情報を含むタグ情報を、タグへ書込み又はタグから読出してやりとりすることができる。【００８３】
本発明の実施の第２１の形態は、実施の第２０の形態において、機密情報を含んだ又は機密情報に関連した情報の印刷出力の処理において、機密情報についてはそれ自体又はその機密情報へのアクセスのための情報を前記無線ＩＣタグに記憶させ、そして、紙などの前記媒体上には機密に係るものを除いた情報を画像として印刷することを特徴とするものである。【００８４】
このような構成によって、機密情報についてはそれ自体又はその機密情報へのアクセスのための情報（例えば、機密情報がネットワーク上のサイトなどに置かれているときのそのネットワークアドレス、サイト名、ファイル名、パスワード等）を無線ＩＣタグに記憶させ、かつ、紙などの前記媒体上には機密に係るものを除いた情報を画像として印刷することで、何人にも視認可能な画像としては機密情報を除いた情報に限り、機密情報はセキュリティ機能を有したタグに記憶させて配布することができる印刷物を作製することができる。【００８５】
例えば、そのようなタグが設けられた印刷物を、リーダを備えていない複写機で複写したとき、又は、機密情報に対するパスワードなどを知らずに複写したときには、タグ内に記録されている機密情報は可視画像化されることなく、一般的な複写同様に視認可能な画像のみが複写される。一方、機密情報に対するパスワードなどを知る者は、視認可能な画像に重ねて機密情報も可視画像化させた複写や、機密情報のみを別の書面として印刷させたりなどできる。このとき、そのパスワードが有する機密情報に対する権限レベルなどに応じてその権限に係る機能を種々異なるものとすることもできる。【００８６】
そして、このような印刷物についてもその裏表の面毎に異なるセキュリティを掛けるなどして（例えばネットワークアドレス、パスワード、その他が異なる）、機密情報を印刷物の裏表の別によってそこに印刷された画像と関連付けて、特定の者のみに開示することなどができる。
【実施例】
【００８７】
以下、本発明の各実施例について図面を用いて説明する。【００８８】
（第１の実施例）
本実施例では、本発明に係る無線ＩＣタグ（本実施例において、単に本タグとも呼ぶ）であって、無線電波でリーダとのデータ通信を行うことができ、また本タグの裏表の面それぞれに受光素子を備えたものが、印刷用紙、印刷紙その他の書類用の紙などの記録媒体（書類用紙）に埋め込まれて設けられた例について説明する。【００８９】
図１は、本タグが埋め込まれた書類用紙の模式図で、図１Ａはその上面を、図１Ｂは図１Ａにおける線Ａ１での断面を拡大して示す。【００９０】
図１において、無線ＩＣタグ１は、書類用紙２の紙厚内に埋め込まれている。ここで、書類用紙２は、タグ１が埋め込まれて、タグ１のおもて面１ａ又は裏面１ｂに面している箇所（２Ａ）ではその紙の厚さが薄くなっており、書類用紙２の外部の光がその箇所（２Ａ）を通してタグ１に透過できるものである。【００９１】
図２は、無線ＩＣタグ１を模式的に示すもので、図２Ａは上面図、図２Ｂは図２Ａにおける線Ａ２での断面図、図２Ｃは下面図である。【００９２】
図２において、回路基板３には、無線ＩＣタグ１を構成する回路素子群４が実装されている。【００９３】
受光素子５は、受光部分を無線ＩＣタグ１のおもて面（タグおもて面と呼ぶ）１ａ側へ向けて、回路基板３のおもて面側に実装され、タグおもて面１ａへの外部光を受光する素子である。一方、受光素子６は、受光部分をタグ１の裏面（タグ裏面と呼ぶ）１ｂ側へ向けて、回路基板３の裏面側に実装され、タグ裏面１ｂへの外部光を受光する素子である。受光素子には、本実施例ではフォトダイオードを用いている。書類用紙２内に埋め込まれた無線ＩＣタグ１の回路基板３は、書類用紙２とほぼ平行になるので、受光素子５の受光部分が書類用紙２の一方の面に向き、受光素子６の受光部分が他方の面に向くことになる。【００９４】
タグカバー７は、受光素子５及び６その他の回路素子が実装されて含まれた回路基板３を保持し、かつ外部からの湿度などの影響を遮断するための樹脂を素材としたカバーであり、そして、受光素子５及び６の受光部分が面する箇所は、透明に形成されて、書類用紙２の外部からの光を透過することができる光透過窓８を成し、その他の箇所は、書類用紙２の外部からの光が無線ＩＣタグ１内部へ透過しない不透明に形成されている。なお、受光素子５、６の受光部分を書類用紙２の各面に向けず、この光透過窓８から無線ＩＣタグ１の内部に光を透過させる透過部を設け、その透過部を通して受光素子５、６の受光部分に当該光を導く構成をとってもよい。【００９５】
図３は、受光素子５及び６並びに回路素子群４からなる無線ＩＣタグ１の回路ブロックの構成を示すブロック図である。【００９６】
図３において、アンテナ９は、本実施例では、図１に図示していないが書類用紙２の内部に設けられており、無線ＩＣタグ１が、書類用紙２の外部に存する無線ＩＣタグ・リーダ（書込み機能を有するものも含む。単にリーダとも呼ぶ）から電力の供給を無線電波で受け、かつそのリーダとの間で、後述するメモリーに保持される情報、その機能・動作の制御に係る情報その他のタグ情報を授受するデータ通信を無線電波で行うためのものである。【００９７】
電源発生回路１０は、受信される無線電波の搬送波によってアンテナ９に励起された電流を整流・平滑化して、その電流による電力を無線ＩＣタグ１の回路に対する電源とする。ここで、電源発生回路１０は、ある程度の蓄電機能を有し、それによって、無線電波が切れた後も、所定時間以上、タグ１の回路を動作させることができる。【００９８】
復調回路１１は、アンテナ９が受信した無線電波の搬送波に変調されている信号を復調する回路で、復調された信号は後述する制御回路１２へ与えられる。【００９９】
一方、変調回路１３は、制御回路１２から出力され、リーダへ送信されるべき信号によって、無線搬送波を変調して、その変調された無線搬送波をアンテナ９に与える。そして、その変調された無線搬送波はアンテナ９を通して外部へ放射される。【０１００】
メモリー１４は、タグ情報の少なくとも一部のデータを保持する記憶素子（本実施例においてメモリー１４が記憶する情報であって、外部から読み書きがされる状態にあるものをメモリ情報と呼ぶ）で、本実施例では、その記憶素子は保持されるデータの書換えが可能なものとし、そしてそのデータは制御回路１２によって読み書きがされるものとしている。なお、メモリ情報には、後述する、無線ＩＣタグ１における受光の状態を示す情報（受光情報と呼ぶ）を含めてもよく、本実施例では含めている。【０１０１】
受光素子（おもて）５は、図２において受光部分をタグおもて面１ａへ向けて実装された受光素子５であり、タグ１の外部からタグおもて面１ａへ照射された光を電気信号として制御回路１２に与える。また、受光素子（裏）６は、図２において受光部分をタグ裏面１ｂへ向けて実装された受光素子（裏）６であり、タグ１の外部からタグ裏面１ｂへ照射された光を電気信号として制御回路１２に与える。【０１０２】
制御回路１２は、復調回路１１、変調回路１３、メモリー１４並びに受光素子５及び６を入出力とし、それらからの又はそれらへの入出力信号を処理して、タグ１の機能・動作を制御する。さらに、タグ１の機能・動作を制御して、リーダとの間で、無線電波で互いにデータ通信を行うこともできる。【０１０３】
制御回路１２におけるメモリ切換え回路１５は、制御回路１２がメモリー１４から読出すメモリ情報を、受光素子５及び６での光の受光量によって切換えるものである。このメモリ切換え回路１５について、さらにその詳細を次に説明する。【０１０４】
図４は、メモリ切換え回路１５及びメモリー１４の回路構成を示す。【０１０５】
図４において、積分器１６及び１７は、所定（０．３秒程度）の時定数を有して受光素子５又は６での受光量に応じた信号を積分するもので、その信号における高周波成分をろ過する。これにより、所定の時間平均での受光量に相当する信号が得られる。【０１０６】
減算器１８は、受光素子（おもて）５及び積分器１６で得られるタグおもて面１ａの受光量から、受光素子（裏）６及び積分器１７で得られるタグ裏面１ｂの受光量を減算する。そして、絶対値演算器１９は、その減算結果の絶対値を求める。【０１０７】
これらの減算器１８及び絶対値演算器１９によって、タグおもて面１ａの受光量とタグ裏面１ｂの受光量とについて、それらのいずれの多少にかかわらず、それらの差分の絶対値に相当する信号が得られる。【０１０８】
第１の比較器２０は、入力のアナログ信号の電圧を比較してデジタル信号を出力するもので、出力デジタル信号を、タグおもて面１ａの受光量がタグ裏面１ｂの受光量以上のときには高電圧（デジタル回路信号の高電圧を意味し、”Ｈ”とも記す）に、タグおもて面１ａの受光量がタグ裏面１ｂの受光量より少ないときには低電圧（デジタル回路信号の低電圧を意味し、”Ｌ”とも記す）にする。【０１０９】
第２の比較器２１は、前述の差分の絶対値に相当する信号が、所定の電圧以上のときに、高電圧（”Ｈ”）のデジタル信号を出力する。すなわち、タグおもて面１ａの受光量とタグ裏面１ｂの受光量との差が所定の値（この値を閾値と呼ぶ）以上のとき、その出力デジタル信号が高電圧（”Ｈ”）となる。【０１１０】
Ｄ型フリップ・フロップ２２は、そのＣ端子には本タグ１の制御回路１２の全体に渡って使用されているデジタル処理回路用の同期信号であるいわゆるクロック信号（Ｃｌｏｃｋ）が入力されており、これにより、第１の比較器２０及び第２の比較器２１の各出力信号もそのクロック信号に同期化させている。ここで、クロック信号（Ｃｌｏｃｋ）の周波数は、本実施例では、１ＭＨｚとしているが、デジタル回路を構成している素子の遅延時間よりも長い周期で、かつ、本タグ１の処理応答速度についての設計仕様を満たすものであれば、いくらであってもよい。【０１１１】
第１のＪ−Ｋフリップ・フロップ２３は、その出力Ｑを、制御回路１２内の他の回路から与えられるクリア信号（Ｃｌｅａｒ）（後述）の高電圧（”Ｈ”）によって、低電圧（”Ｌ”）にクリアし、その後、第２の比較器２１の出力がいったん高電圧（”Ｈ”）に、すなわち、タグおもて面１ａの受光量とタグ裏面１ｂの受光量との差が所定の値以上になると、高電圧（”Ｈ”）にセットする。つまり、第１のＪ−Ｋフリップ・フロップ２３の出力信号Ｘ２における高電圧”Ｈ”の状態は、本タグ１がそのいずれか一つの面で所定の受光をしたことを示すものとみなせる。そして、本実施例では、回路接続の便利のため、第１のＪ−Ｋフリップ・フロップ２３の出力Ｘ２について、その信号論理（信号における高電圧又は低電圧の状態）が反転されたものである信号Ｘ２−も併せて出力するものとしている。【０１１２】
第２のＪ−Ｋフリップ・フロップ２４も、その出力Ｑを、制御回路１２内の他の回路から与えられるクリア信号（Ｃｌｅａｒ）によってクリアする。そして、その後、第２の比較器２１の出力が高電圧（”Ｈ”）で、かつその間において、第１の比較器２０がいったん高電圧（”Ｈ”）に、すなわち、タグおもて面１ａの受光量がタグ裏面１ｂの受光量以上であると、その出力を高電圧（”Ｈ”）にセットする。つまり、第２のＪ−Ｋフリップ・フロップ２４の出力信号Ｘ１における高電圧”Ｈ”は、本タグ１がそのおもて面１ａで所定の受光をしたことを示すものとみなせる。【０１１３】
ここで、第１のＪ−Ｋフリップ・フロップ２３及び第２のＪ−Ｋフリップ・フロップ２４は、それぞれ、出力の状態がいったんセットされると、その状態を、Ｊ−Ｋフリップ・フロップが次にクリアされるまでの間、その間の受光素子５及び６の受光状態にかかわらず保持し、固定している。【０１１４】
デコーダ２５は、第１のＪ−Ｋフリップ・フロップ２３の出力Ｘ２と第２のＪ−Ｋフリップ・フロップ２４の出力Ｘ１とを合わせた信号を２ビットの２進符号とみなしてそれを４通りの状態に復号化する。本実施例では、第１のＪ−Ｋフリップ・フロップ２３の出力信号Ｘ２を２進数の２の位として、第２のＪ−Ｋフリップ・フロップ２４の出力信号Ｘ１を２進数の１の位としてデコーダ２５に入力している。そして、デコーダ２５の出力Ｙ３はＸ２が高電圧（”Ｈ”）でかつＸ１が高電圧（”Ｈ”）のときに、また、出力信号Ｙ２はＸ２が高電圧（”Ｈ”）でかつＸ１が低電圧（”Ｌ”）のときに、それぞれ高電圧（”Ｈ”）となる。【０１１５】
引続き図４において、メモリー１４は、本実施例では、３つの記憶素子（２６、２７、２８）で構成され、それぞれは、データの記憶容量が４，０９６ビット（４ｋビット）（従って、４，０９６ビットまでのメモリ情報が記憶できる。）で、１２ビットのアドレス空間を有したものであり、アドレス（信号Ａｄｄｒｅｓｓ）が制御回路１２から共通に与えられるものとしている。さらに、これら３つの記憶素子（２６、２７、２８）は、前述したメモリ切換え回路１５からの信号Ｘ２−、Ｙ２及びＹ３によっていずれか１つのみが選択（いわゆるチップセレクト）されてそのデータが出力（信号Ｄａｔａ）され、そのデータの読取りが制御回路１２によってできる構成としている。【０１１６】
すなわち、メモリー１４は、信号Ｘ２−の高電圧（”Ｈ”）によって第１の記憶素子２６が選択され、信号Ｙ２の高電圧（”Ｈ”）によって第２の記憶素子２７が選択され、また、信号Ｙ３の高電圧（”Ｈ”）によって第３の記憶素子２８が選択される。【０１１７】
このように、メモリー１４は、本実施例では、４，０９６ビットまでのメモリ情報を３種類記憶することができ、メモリ切換え回路１５からの信号Ｘ２−、Ｙ２及びＹ３によってその種類の切換えが行われる。本明細書では、メモリ情報をその種類について区別するとき、第１の記憶素子２６が記憶するメモリ情報（第１の種類）を第１メモリ情報と、第２の記憶素子２７が記憶するメモリ情報（第２の種類）を第２メモリ情報と、第３の記憶素子２８が記憶するメモリ情報（第３の種類）を第３メモリ情報と、それぞれ呼ぶ。【０１１８】
（表１）は、タグおもて面１ａ及びタグ裏面１ｂでの各受光量の関係及びその差の程度と、第１のＪ−Ｋフリップ・フロップ２３（第１Ｊ−Ｋ・ＦＦ）の出力信号Ｘ２及び第２のＪ−Ｋフリップ・フロップ２４（第２Ｊ−Ｋ・ＦＦ）の出力信号Ｘ１と、メモリー１４を構成する３つの記憶素子（２６、２７、２８）の選択状態と、各記憶素子に記憶される受光情報との対応関係を示す。【０１１９】
【表１】
2007105634.tif 000003
（表１）において、例えば、第１Ｊ−Ｋ・ＦＦの出力信号Ｘ２が”Ｈ”（高電圧）で、第２Ｊ−Ｋ・ＦＦの出力信号Ｘ１が”Ｈ”（高電圧）の場合、これは、タグおもて面１ａの受光量とタグ裏面１ｂの受光量とについて、それらの受光量の差が大きく、かつ、タグおもて面１ａの受光量がタグ裏面１ｂの受光量以上であること、つまり、タグ１がそのおもて面１ａで所定の受光をしたときにあたり、そして、このとき、メモリー１４は、第３の記憶素子２８が選択されることを示す。また、例えば、第１Ｊ−Ｋ・ＦＦの出力信号Ｘ２が”Ｌ”（低電圧）の場合、これは、タグおもて面１ａの受光量とタグ裏面１ｂの受光量とについて、それらの受光量の差が小さいこと、つまり、タグ１が、後述するように所定の受光をしていないときにあたり、そして、このとき、メモリー１４は、第１の記憶素子２６が選択されることを示す。【０１２０】
また、受光情報として、第１の記憶素子２６は［受光情報１］（例えば、数値の１）を、第２の記憶素子２７は［受光情報２］（例えば、数値の２）を、第３の記憶素子２８は［受光情報３］（例えば、数値の３）を、それぞれの記憶するメモリ情報の一部に含めて記憶するものとしていることを示す。【０１２１】
ここで、受光情報は、無線ＩＣタグ１における受光の状態を示す情報であり、［受光情報１］、［受光情報２］及び［受光情報３］は、受光の各状態に応じて互いに異なるデータ（本実施例では、値）としている。また、上述したように、メモリ切換え回路１５は、無線ＩＣタグ１が光を受けて発生した受光信号（受光素子５及び６の出力信号）に応じて信号Ｘ２−、Ｙ２、Ｙ３を出力し、そして、メモリー１４は、その受光信号に応じた信号Ｘ２−、Ｙ２、Ｙ３によって、受光情報が含まれたメモリ情報の種類が切換えられる。従って、メモリー１４が出力するメモリ情報に含まれた受光情報のデータの別によって、タグ１における受光信号の状態を特定し、また知ることが可能である。【０１２２】
再び図４において、前述のメモリ切換え回路１５を備えた制御回路１２は、無線ＩＣタグ１の機能・動作を制御して、リーダとの間で、無線電波で互いにデータ通信を行うことができる。（表２）は、そのデータ通信が行われる情報（問い合わせコマンド又は単にコマンドと呼ぶ）のいくつかを示し、また、そのコマンドに対するタグ１の応答の動作の関係を示す。【０１２３】
【表２】
2007105634.tif 000004
（表２）において、例えば、タグ検出コマンドは、リーダがその通信可能な範囲内に無線ＩＣタグ１が入ったことを検出するためにその検出のための情報を含んだ問い合わせコマンドであることを示す。【０１２４】
また、応答欄は、各コマンドに対し、タグ１における受光情報が○印の付されたもの（本実施例では、［受光情報１］、［受光情報２］及び［受光情報３］）であるときに限り、タグ１が応答することを示す。例えば、タグ１は、タグ検出コマンドに対し、タグ１の受光情報が［受光情報１］、［受光情報２］又は［受光情報３］のいずれであっても、すなわち受光信号の状態にかかわらずリーダへ応答することを、また、読取り完了コマンドに対し、受光情報が［受光情報２］又は［受光情報３］のどちらかであるときにリーダへ応答し、受光情報が［受光情報１］であるときには応答しないことを示す。【０１２５】
このように、本無線ＩＣタグ１は、リーダからの無線電波を受けたとき、その応答の動作が、リーダから送信されたコマンドの別と、受光情報の別、すなわち、タグ１における受光の状態の別とに応じて異なる。【０１２６】
以上の構成において、次に本無線ＩＣタグ１の動作について説明する。【０１２７】
ここでは、一例として、リーダを内蔵し、書類用紙２の紙面上の画像を読取って原稿とし、その原稿を別の用紙に印刷して書類の複写などを行うデジタル複合機が、タグ１が設けられた書類用紙２の紙面上の画像を読取って印刷の原稿とする例を説明する。【０１２８】
図５は、本実施例におけるデジタル複合機の概略構成を示す図である。このデジタル複合機１００は、従来の一般的な複写機と同様、その画像読取り部として、画像スキャナ１０１を備えたもので、画像読取りスキャナ１０２又は書類用紙２を移動することにより、その画像読取りの領域を画像読取りの対象である書類用紙２に対して相対的に移動（走査）させながら読取りを行う。画像読取りスキャナ１０２は、その画像読取りのための線状の光源を有しており、その照射領域を画像読取りの領域と共に書類用紙２に対して相対的に移動（走査）させる。画像読取りスキャナ１０２を移動する場合、原稿台である透明なガラス板３７に書類用紙２が置かれる。画像読取りスキャナ１０２は、そのガラス板３７の下方に配置されており、矢印１０３方向に往復動が可能に取り付けられている。画像読取りスキャナ１０２は、矢印１０３方向に移動しながらガラス板３７に置かれた書類用紙２の紙面全面を照明し、その反射光像を光電変換する。これにより画像スキャナ１０１は、原稿の画像データを取得する。【０１２９】
書類用紙２を移動する場合、原稿台カバーを兼ねる自動原稿送り装置１０４が用いられる。この場合、画像読取りスキャナ１０２は、画像スキャナ１０１の天面に配置された他のガラス板１０５の下方に一時的に固定される。自動原稿送り装置１０４が、複数枚の書類用紙を１枚ずつガラス板１０５上に給送することで、書類用紙に対して画像読取りスキャナ１０２が相対的に移動する。これにより画像スキャナ１０１は、書類用紙の紙面から原稿の画像データを得る。【０１３０】
デジタル複合機１００は、画像スキャナ１０１の下方に画像形成部１０６を備え、画像形成部１０６は、画像スキャナ１０１により得た画像データを蓄積したり、ネットワークを通じて転送したり、ファクシミリ送信したり、印刷用紙に印刷したりする。【０１３１】
図６は、デジタル複合機の原稿台に書類用紙を置いた状態の一例を示す図である。この例では、書類用紙２がガラス板３７上に置かれている。書類用紙２の長手方向が矢印１０２方向と平行な横方向に配置されており、本無線ＩＣタグ１は、画像読取りスキャナ１０２の待機位置に近い位置にあることになる。このため、読取り開始後まもなく本無線ＩＣタグ１も画像読取りスキャナ１０２により照明されることになる。読取り時には、画像読取り部の天面が原稿台カバーにより覆われるため、書類用紙２のガラス板３７に向いた面のみが照明により明るくなる。本無線ＩＣタグ１は、例えばこのような状態で、デジタル複合機の内蔵するリーダからのコマンドにしたがって動作する。【０１３２】
図７は、デジタル複合機における情報処理回路の概略構成の一例を示す図である。デジタル複合機１００は、装置全体を制御するために情報処理回路２００を備える。情報処理回路２００には、ＣＰＵ２０１やＲＡＭ２０２、ＲＯＭ２０３を有する汎用の処理回路を用いることができる。ＣＰＵ２０１は、バス２０４を通じてＲＡＭ２０２やＲＯＭ２０３と接続されており、ＲＯＭ２０３に格納された制御プログラム２０５のコードを読み出して、装置全体を制御する。【０１３３】
バス２０４には、インターフェイス回路２０６、２０７、２０８を介して、ディスプレイ２０９や、画像読取りスキャナ１０２、リーダ２１０とそれぞれ接続されている。ＣＰＵ２０１は、制御プログラムの指令にしたがってバス２０４を通じて、これらのデバイスに対し入出力を行い制御する。【０１３４】
ディスプレイ２０９は、デジタル複合機１００の操作パネルに配置されるものであり、ＣＰＵ２０１の制御にしたがって、ユーザが複合機１００を操作したり、ユーザに情報を通知したりする画面を表示する。【０１３５】
画像読取りスキャナ１０２は、ＣＰＵ２０１の制御により、光源２１１を点灯し、原稿台におかれた書類用紙２の紙面を照明する。複数枚の書類用紙２が綴じられている場合、それら書類用紙２のうち、光源２１１に対して最前面にある書類用紙２の紙面が照明される。【０１３６】
リーダ２０９は、書類用紙２に埋め込まれた無線ＩＣタグ１と無線通信を行う。通信範囲内にある無線ＩＣタグ１にコマンドを送り、無線ＩＣタグ１は、そのコマンドにしたがって動作し、必要な場合、そのコマンドに対して応答する。複数枚の書類用紙２に埋め込まれた無線ＩＣタグ１がリーダ２０９の通信範囲内にある場合でも、光源２１１に対して最前面にある書類用紙２の紙面が照明されると、その書類用紙２に埋め込まれた無線ＩＣタグ１だけが、上述の読取り完了コマンドに対して応答をする。【０１３７】
図８は、本実施例の無線ＩＣタグ１の動作を説明するための、デジタル複合機１００と無線ＩＣタグ１とのコマンドシーケンスを示す図である。【０１３８】
図８において、まず、デジタル複合機１００に内蔵されたリーダは、通常、その通信可能な範囲内に無線ＩＣタグ１が入ったことを検出するためにその検出のための情報を含んだ問い合わせコマンド（タグ検出コマンドと呼ぶ）を通信データとして一定周期で繰返し無線電波を発している（図８におけるステップＳ１。以下、単にＳ１とも記す。他のステップについても同様）。【０１３９】
このような状態において、書類用紙２がデジタル複合機１００の原稿台に置かれると、書類用紙２に埋め込まれた無線ＩＣタグ１は、複合機１００に内蔵されたリーダ２０９に近接する形となり、リーダ２０９からの無線電波を受けたとき、その無線搬送波がアンテナ９において所定強度以上になる。これにより、電源発生回路１０での電源の発生量がタグ１内の回路が動作するのに必要な量を超え、タグ１内の回路が、所定時間、動作可能になる。【０１４０】
そして、無線ＩＣタグ１は、受信した無線電波について、その無線電波に変調されている信号を復調回路１１で復調し、その復調された信号を制御回路１２で処理してリーダ２０９からのデータ受信を行い、データ受信したリーダからの通信データをタグ検出コマンドと判別したときには、（表２）に示されるようにタグ１の受光情報の種類にかかわらずそのコマンドに応答して、メモリ情報に基づいたタグ情報をリーダへデータ送信する（Ｓ２）。【０１４１】
一方、リーダは、その検出コマンドの送信に対する応答として、無線ＩＣタグ１からのタグ情報を受信したとき、その受信によって、原稿台に書類用紙２が置かれたことを検知する。そして、デジタル複合機１００は、受信されたタグ情報をもとに必要な処理・制御を行うことができる。ここで、本実施例では、デジタル複合機１００は、この時点でのタグ情報に含まれた受光情報は無視して、それによる特段の処理・制御は行っていない。【０１４２】
このとき、デジタル複合機１００の原稿台に置かれた書類用紙２が複数ある（例えば、複数枚の書類用紙が綴じられた書類）場合、各書類用紙２に設けられた無線ＩＣタグ１のいずれもがリーダへ応答するが、リーダ２０９は、この時点では、原稿台に書類用紙２が置かれたことが検知できればよく、応答が複数あることによる支障はない。【０１４３】
次に、書類用紙２が原稿台に載置されたことを知ったデジタル複合機１００は、その複写などの開始の要求がオペレータなどによって指示されると、まず、内蔵したリーダ２０９から、無線ＩＣタグ１に対し画像読取りの開始を示す情報を含む問い合わせコマンド（読取り開始コマンドと呼ぶ）を通信データとして送信する。【０１４４】
一方、無線ＩＣタグ１は、データ受信したリーダ２０９からの通信データを読取り開始コマンドと判別したときには、制御回路１２が、クリア信号（Ｃｌｅａｒ）をパルス状に所定時間だけ高電圧（”Ｈ”）とする。これによって、第１のＪ−Ｋフリップ・フロップ２３及び第２のＪ−Ｋフリップ・フロップ２４は、それぞれの出力を低電圧（”Ｌ”）にクリアし、従ってメモリー１４は、（表１）に示したように、本実施例の場合、第１の記憶素子２６が選択され、［受光情報１］を含んだ第１メモリ情報がメモリ情報となる。【０１４５】
ところで、無線ＩＣタグ１は、前述したように、書類用紙２への外光について、おもて面１ａへの光を受光素子５が受光し、裏面１ｂへの光を受光素子６が受光し、そのおもて面１ａ及び裏面１ｂへのそれぞれの光の強度におけるそれらの差の有無とその向きに応じた信号をメモリ切換え回路１５内で発生することができるが、この時点では、デジタル複合機１００での画像読取りのための照明が点灯されておらず、受光素子５及び受光素子６は、共に、複合機１００が設置されている周囲の外光を受けて室内光程度で同程度の受光量となっているか、原稿台カバーが閉じられているときには、受光が殆ど無い状態となっている。従って、この時点では、メモリ切換え回路１５における信号Ｘ２−、Ｙ２、Ｙ３の状態は、受光信号による変化がなく、メモリー１４は、第１の記憶素子２６が選択され、その第１メモリ情報がメモリ情報となった状態のままである。この状態は、その後の無線ＩＣタグ１の受光による信号Ｘ２−、Ｙ２、Ｙ３の状態に変化があるまでの間、保たれる。【０１４６】
このように、読取り開始コマンドを受信した無線ＩＣタグ１は、メモリ情報が第１メモリ情報となり、そして受光情報が［受光情報１］となっているので、次に、（表２）に示されるようにそのコマンドに応答して、メモリ情報である第１メモリ情報に基づいてタグ情報をリーダ２０９へデータ送信する（Ｓ３）。ここでも、デジタル複合機１００の原稿台に置かれた書類用紙２が複数ある（例えば、複数枚の書類用紙が綴じられた書類）場合、各書類用紙２に設けられた無線ＩＣタグ１のいずれもがリーダ２０９へ応答するが、後述するように、応答が複数あることによる支障はない。【０１４７】
一方、リーダ２０９は、その読取り開始コマンドの送信に対する応答として、無線ＩＣタグ１からのタグ情報を受信すると、その受信によって、タグ１の制御回路１２が第１のＪ−Ｋフリップ・フロップ２３及び第２のＪ−Ｋフリップ・フロップ２４のクリアを完了したものとみなす。ここで、リーダ２０９は、デジタル複合機１００の原稿台に置かれた書類用紙２が複数ある場合にも対応できるよう、所定時間、複数のタグ１からの応答を受取るものとしており、また、本実施例では、この時点でも、各タグ情報に含まれた受光情報（［受光情報１］）は無視するものとして、それによる特段の処理・制御は行っていない。【０１４８】
その後、デジタル複合機１００は、画像読取りのための照明を点灯し、画像スキャナ及び照明の走査を開始して、その照明を書類へ照射しつつ、原稿となる画像を光学的に読取る画像読取り部での画像の読取りを行う。【０１４９】
ここで、その画像の読取りの間、リーダ２０９は、無線ＩＣタグ１に対し、その電源を供給し、照明光の受光を促すために、タグ１での受光を指示するための情報を含んだコマンド（受光コマンドと呼ぶ）を通信データとした無線電波を一定周期で繰返し発する。【０１５０】
一方、無線ＩＣタグ１は、その受光コマンドの受信に対して、本実施例では、（表２）に示されるように応答することはせずタグ情報の送信を行わないが、受光素子５及び受光素子６での受光の検出、並びにその受光信号に基づくメモリ切換え回路１５での信号の発生の動作を、受光コマンドが継続して受信できている間、継続して行う。この受光及び信号の発生の動作は、先のステップＳ３における読取り開始コマンドに対する応答としてのタグ情報を送信した後、次に、後述する読取り完了コマンドを受信するまでの間（この間を受光検出期間と呼ぶ）、行う（Ｓ４）。【０１５１】
このような受光検出期間において、無線ＩＣタグ１は、デジタル複合機１００での画像読取りのための照明の走査がされ、その照明を受光素子５又は受光素子６にて受けると、その時、その照射の向きに面した一方の受光素子が他方の受光素子よりも強い光を受けるので、第１のＪ−Ｋフリップ・フロップ２３の出力信号Ｘ２を高電圧（”Ｈ”）にセットする。【０１５２】
ここで、デジタル複合機１００の原稿台に置かれたものが、例えば、複数枚の用紙が綴じられた書類の場合、その綴じられた用紙のうち照明の照射の向きに面した最上面の書類用紙２に設けられた無線ＩＣタグ１のみが、照明を受けて、上述の、第１のＪ−Ｋフリップ・フロップ２３の出力信号Ｘ２を高電圧（”Ｈ”）にセットする動作を行う。このように、タグ１は、書類の最上面にない書類用紙２に設けられたものでは、複合機１００からの照明の照射によってもその信号Ｘ２が高電圧（”Ｈ”）にセットされないよう、第２の比較器２１の閾値が設定されている。なお、第２の比較器２１の閾値の設定は、タグ１がリーダ２０９からの指令・情報に従ってその値を可変として設定ができるものとしてもよい。【０１５３】
そして、その照明を受けた当該無線ＩＣタグ１のメモリー１４は、（表１）に示したように、第２又は第３の記憶素子が選択されて、第２メモリ情報又は第３メモリ情報がメモリ情報となる（Ｓ５）。【０１５４】
ここで、メモリ情報の種類が第２メモリ情報又は第３メモリ情報のいずれであるかは、（表１）に示したように、受光信号に係る第２のＪ−Ｋフリップ・フロップ２４の出力（信号Ｘ２及びＸ２−）の状態に従っており、原稿台に置かれた書類用紙２の裏表の向きによって特定される。すなわち、当該無線ＩＣタグ１は、書類用紙２がそのおもて面を照明の照射の向きに面して原稿台に置かれているときには、［受光情報３］を含んだ第３メモリ情報をメモリ情報とし、また、書類用紙２がその裏面を照明の照射の向きに面して原稿台に置かれているときには、［受光情報２］を含んだ第２メモリ情報をメモリ情報とする。【０１５５】
その後、デジタル複合機１００がその画像の読取りを終えると、リーダ２０９は、タグ１に対し画像の読取り完了を示す情報を含む問い合わせコマンド（読取り完了コマンドと呼ぶ）を通信データとして送信する。【０１５６】
一方、第２又は第３の記憶素子が選択されて第２メモリ情報又は第３メモリ情報がメモリ情報となった当該無線ＩＣタグ１は、その読取り完了コマンドを受信して、（表２）に示されたように、そのコマンドに対する応答として、第２メモリ情報又は第３メモリ情報に基づくタグ情報をリーダ２０９へ送信する（Ｓ６）。【０１５７】
ここで、デジタル複合機１００の原稿台に置かれた書類用紙２が複数ある（例えば、複数枚の書類用紙が綴じられた書類）場合、各書類用紙２に埋め込まれた無線ＩＣタグ１は、前述したように、読取り開始コマンドを受けて、いずれも、そのメモリー１４において第１の記憶素子２６を選択している。そして、その後、デジタル複合機１００での画像読取りの際に、その画像読取りのための照明を受けた当該タグ１のみが、そのメモリー１４における選択を第２又は第３の記憶素子に切替えており、他方、その照明を受けなかった他のタグ１は、そのメモリー１４における記憶素子の選択を切替えることなく第１の記憶素子の選択を保っている。従って、書類用紙２が複数ある場合であっても、その照明を受けなかった無線ＩＣタグ１は、第１の記憶素子が選択されて第１メモリ情報がメモリ情報となっており、（表２）に示されたように、読取り完了コマンドに対するリーダ２０９への応答を返さない。【０１５８】
また、その照明を受けた当該無線ＩＣタグ１は、メモリ情報が第２メモリ情報又は第３メモリ情報となって受光情報が更新された状態を保持しているので、送信するタグ情報は、第２メモリ情報又は第３メモリ情報に基づくものであり、前述したとおり、書類用紙２がそのおもて面を照明の照射の向きに面して原稿台に置かれているときには、［受光情報３］を含んだ第３メモリ情報であり、また、書類用紙２がその裏面を照明の照射の向きに面して原稿台に置かれているときには、［受光情報２］を含んだ第２メモリ情報に基づくものとなる。【０１５９】
このように、リーダ２０９は、デジタル複合機１００の原稿台に置かれたものが、例えば、複数枚の用紙が綴じられた書類の場合においても、その綴じられた用紙のうち照明の照射の向きに面した最上面の書類用紙２に設けられた無線ＩＣタグ１からそのタグ情報を受信する。さらに、そのタグ情報に含まれた受光情報の別によって、タグ情報に含まれた受光情報が［受光情報３］のときには、書類用紙２はそのおもて面を照明の照射の向きに面して原稿台に置かれており、また、［受光情報２］のときには、書類用紙２はその裏面を照明の照射の向きに面して原稿台に置かれているものと、書類用紙２の裏表の向きを検知することができる。この検知は、リーダ２０９により行ってもよいし、情報処理回路２００により行ってもよい。【０１６０】
その後、デジタル複合機１００は、画像読取りのための照明を消灯し、画像読取り部での１つの画像の読取りを完了する。【０１６１】
ここで、画像読取り部での画像の読取りが複数の書類用紙２について行われる場合には、以上のステップＳ１からステップＳ６までの動作がその複数の書類用紙２の数だけ繰返し行われることになる。【０１６２】
以上述べたように、リーダ２０９からの所定の電波などを受けたとき、リーダ２０９との情報のやりとりに関し、外光を受光して得られた受光信号に基づき、その受光信号によってはリーダ２０９への応答を行わず、又は、やりとりするタグ情報を少なくともその一部にその受光信号に応じた受光情報を含むものとすることで、無線ＩＣタグ１は、それが１つであっても、そのタグ１が設けられた有体物（例えば印刷紙などの書類用紙２）への外光となる照明光の方向・向きを変えることによって、タグ情報を、外光を受光できる方向・向きの数だけ、その照明光の方向・向き毎に、それぞれ異なるものとすることができる。【０１６３】
そして、デジタル複合機１００などでの書類の複写などにおける画像読取りのための照明のように照明の方向・向きを所定のものとすれば、その方向・向きに対して、そのタグが設けられた有体物（例えば書類用紙２）の置かれた方向・向きによって、タグ情報を、外光を受光できる方向の数だけ、有体物の置かれた方向・向き毎（例えば書類用紙２の裏表の面毎）に、それぞれ異なるものとすることができる。従って、リーダ２０９や情報処理回路２００は、書類用紙２などの有無が検知できると共に、その照射方向・向きを予め所定のものとしておくことで、その書類用紙２などが置かれた方向・向き（例えば書類用紙２のおもて面又は裏面の面した向き）についても同時に知ることができる。【０１６４】
また、このような無線ＩＣタグは、それが設けられた例えば書類用紙２が複数枚束ねられた書類の場合においても、その書類の複写が行われるとき、書類の読取りのための照明光が当てられる原稿台に面した書類用紙２のタグのみがその照明光に反応してリーダ２０９へ応答し、所定の照明条件下にない他の書類用紙２のタグは応答しないものとできるので、電波などを受けた複数のタグでのデータの衝突がなく、所定の照明条件下にあるタグのみの検出を可能とすることができ、そして、その複写を行う者は、複写の際、書類を１枚毎に分けることなく、書類用紙２の束のまま原稿台に置くことができる。【０１６５】
デジタル複合機１００は、例えば複数枚束ねられた書類用紙２がそれぞれ両面印刷された印刷用紙であり、各書類用紙２の裏面のみを複写する設定になっているとき、各書類用紙２の裏面のタグ情報をおもて面のタグ情報や他の書類用紙２のタグ情報と区別することができる。タグ情報に、デジタル複合機１００の制御情報や重ね合わせ画像のデータが含まれている場合、デジタル複合機１００は、各書類用紙２の裏面のタグ情報にしたがって動作することができる。書類用紙２の裏面がカラー画像であり、おもて面がモノクロ画像であっても、デジタル複合機１００は、裏面のタグ情報を参照することにより、カラー印刷をすることが可能となる。各書類用紙２の裏表についてユーザが印刷モードを指定する必要がない。さらにデジタル複合機１００は、各書類用紙２の裏面を読み取ったことを検知すると、情報処理回路２００の制御により、裏面の画像読取りが完了したことをディスプレイ２０９に表示したりブザーを鳴らしたりして、ユーザに報知することができる。それにより、書類用紙２の同じ紙面をユーザが誤って繰り返し複写する可能性を軽減することが可能である。また書類用紙２のおもて面を読み取ったことを検知すると、情報処理回路２００の制御により、おもて面の画像読取りが行われたことをユーザに報知することができる。ユーザは、誤って書類用紙２のおもて面の画像を読み取ってしまったことを把握することができる。【０１６６】
このように、無線ＩＣタグにおいて、物の裏表の検出ができ、そして、書類用紙２などにおいて複数束ねられた形態で使用されるときでも、その束の表面にある書類用紙２の面についての情報を伝えることができる。【０１６７】
なお、受光情報（本実施例では［受光情報１］、［受光情報２］及び［受光情報３］）は、本実施例では、３つの状態（値）のいずれかに区分して示した情報としたが、その区分をさらに細かく（多く）したものとしてもよい。さらに、本実施例では、受光情報のデータを、無線ＩＣタグ１が光を受けて発生した受光信号を処理して得た処理信号（信号Ｘ１及びＸ２）の状態（組合わせ）を示す符号（数値の１、２及び３）としたが、受光信号そのものの信号状態（例えば、各受光信号の電圧値など）を示し又は表したものであってもよいし、受光情報がこれらの状態を示し又は表す情報を含んでいるものとしてもよい。【０１６８】
このように受光信号を細かく検出・処理することで、デジタル複合機からの照明についてその照射（タグ１での受光）の有無及び方向をより正確に検出することができ、また、タグ１がリーダ２０９からの指令・情報に従ってタグ１回路内における設定閾値を可変として設定ができるものとすれば、時々の状態に応じてより正確に適応できて、より正確な検出が行える。【０１６９】
また受光情報として、例えば各受光信号の電圧値のデータを含むタグ情報をリーダ２０９が取得する場合には、デジタル複合機１００の情報処理回路２００やリーダ２０９が、そのデータをもとに、媒体への光の照射の方向・向きを識別する光照射方向識別手段として動作することができる。
（第２の実施例）
本実施例で説明する本発明に係る無線ＩＣタグ（本実施例において、単に本タグとも呼ぶ）は、第１の実施例のタグと同様に、無線電波でリーダとのデータ通信を行うことができ、また、光透過窓を具備するものであるが、その光透過窓における光の透過率が、光が透過する方向に対した少なくとも一の方向において、一様ではなく、かつ、他のいずれとも互いに異なったパターンを成し、そして、本タグの内部に受光素子を１つ備えたものである。本実施例では、本タグが、印刷用紙、印刷紙その他の書類用の紙などの記録媒体（書類用紙）に埋め込まれて設けられた例について説明する。【０１７０】
ここで、本タグが埋め込まれた書類用紙については第１の実施例と同様なので、本実施例においても図１を援用する。【０１７１】
図９は、無線ＩＣタグ１を模式的に示すもので、図９Ａは上面図、図９Ｂは線Ａ２での断面図、図９Ｃは下面図である。【０１７２】
図９において、回路基板３には、無線ＩＣタグ１を構成する回路素子群４が実装されている。【０１７３】
受光素子２９は、本実施例ではフォトダイオードであり、回路素子群４と共に回路基板３に実装されている。この受光素子２９は、後述するように、書類用紙２の外部からの光を受光するためのものである。【０１７４】
タグカバー７は、受光素子２９その他の回路素子が実装されて含まれた回路基板３を保持し、かつ外部からの湿度などの影響を遮断するための樹脂を素材としたカバーであり、そして、そのおもて面（タグおもて面と呼ぶ）（１ａ）及び裏面（タグ裏面と呼ぶ）（１ｂ）のそれぞれ一部の箇所には、無線ＩＣタグ１への外光を透過することができる光透過窓３０、３１が設けられ、また、その他の箇所は、書類用紙２の外部からの光がタグ１内部へ透過しない不透明に形成されている。【０１７５】
タグカバー７の一部を成した各光透過窓（３０、３１）は、透明な樹脂を素材として無線ＩＣタグ１への外光をさらにタグ１の内部へ透過するためのものであるが、光の透過率が、図示された白い部分（Ｗ及びｗ）では高く、濃く網掛けされた部分（Ｂ）の部分では低い。そして、この光の透過率のパターンは、図示したように、線Ａ２の方向について、タグ１のおもて面（１ａ）と裏面（１ｂ）とでは異なるものとしている。本実施例では、パターンは、図示したように、線Ａ２の方向について、タグおもて面１ａの光透過窓３０では中央部をＷとして、ｗ−Ｂ−Ｗ−Ｂ−ｗの順に並んだものであり、タグ裏面１ｂの光透過窓３１では中央部をＢとして、Ｗ−Ｂ−Ｗの順に並んだものとしている。ここで、ｗは、幅がＷに比べて狭いものである。【０１７６】
導光部材３２は、透明の樹脂であり、図示したような配置及び形状並びに部材の内外での光の屈折率の違いによって、光透過窓（３０、３１）を透過してきた無線ＩＣタグ１への外光を、図中の２点鎖線矢印のように、部材内に入射させ、その入射させた光を部材の内側面で反射させ、そして、その反射させた光を部材外にある受光素子２９の受光部分へ出射させて、タグ１への外光を受光素子２９の受光部分へ導くことができるものである。この導光部材３２により、受光素子２９は、光透過窓３０又は光透過窓３１を透過したいずれの光も受光することができる。【０１７７】
図１０は、受光素子２９及び回路素子群４からなる無線ＩＣタグ１の回路構成を示すブロック図である。【０１７８】
図１０において、アンテナ９、電源発生回路１０、復調回路１１、変調回路１３及びメモリー１４は、第１の実施例におけるものと同様のものである。【０１７９】
受光素子２９は、図９において受光部分を導光部材３２の一つの端面へ向けて回路基板３に実装された回路素子であり、タグ１の外部からタグおもて面１ａ又はタグ裏面１ｂへ照射された光の量に応じた電気信号を制御ユニット３３に与える。【０１８０】
制御ユニット３３は、中央処理ユニット（ＣＰＵ）であるマイクロプロセシングユニット（ＣＰＵと呼称する）３４及び記憶素子（タグ情報の少なくとも一部のデータを保持するための記憶領域に係る部分のみを、本実施例では、説明の便宜上、メモリー３５と呼ぶ）などを用いたコンピュータで構成されており、復調回路１１、変調回路１３及び受光素子２９を入出力とし、それらからの又はそれらへの入出力信号を処理して、タグ１の機能・動作を制御する。そして、制御ユニット３３は、受光素子２９の出力する電気信号量（電圧）をデジタル値に変換するアナログ／デジタル（Ａ／Ｄ）変換器３６を備え、ＣＰＵ３４が、適時、受光素子２９で受光されるその時の光の量をデジタル値にて入力し、信号処理することができる。【０１８１】
メモリー３５は、本実施例でも第１の実施例と同様に３つの記憶ブロック（これらを第１の記憶ブロック、第２の記憶ブロック及び第３の記憶ブロックと呼ぶ。また、本実施例において記憶ブロックが記憶する情報をメモリ情報と呼ぶ）で構成され、記憶ブロック毎に、ＣＰＵ３４のアドレス空間において、それぞれ異なる空間に割り付けられており、ＣＰＵ３４が、アクセスするアドレスによってブロックを区別してそのブロックの記憶データの読み書きができるものとされている。【０１８２】
そして、これらの第１から第３までの各記憶ブロックは、それぞれ、データの記憶容量が４，０９６ビット（４ｋビット）であり、従って、４，０９６ビットまでのメモリ情報が記憶できる（メモリ情報をその種類について区別するとき、第１の記憶ブロックが記憶するメモリ情報（第１の種類）を第１メモリ情報と、第２の記憶ブロックが記憶するメモリ情報（第２の種類）を第２メモリ情報と、第３の記憶ブロックが記憶するメモリ情報（第３の種類）を第３メモリ情報と、それぞれ呼ぶ）。そして、第１メモリ情報は［受光情報１］（例えば、数値の１）を、第２メモリ情報は［受光情報２］（例えば、数値の２）を、第３メモリ情報は［受光情報３］（例えば、数値の３）を、受光情報として、それぞれの記憶するメモリ情報の一部に含めて記憶するものとしている。【０１８３】
ここで、受光情報は、無線ＩＣタグ１における受光の状態を示す情報であり、［受光情報１］、［受光情報２］及び［受光情報３］は、受光の各状態に応じて互いに異なるデータ（本実施例では、値）とし、本実施例では、［受光情報２］は、受光素子２９が光をタグ裏面１ｂの光透過窓３１を通して受光したことを示すものと定めている。同様に、［受光情報３］は、受光素子２９が光をタグおもて面１ａの光透過窓３０を通して受光したことを示すものと定めている。さらに、［受光情報３］は、それらのどちらの状態でもないことを示すものと定めている。【０１８４】
再び、前述のＣＰＵ３４、メモリー３５などを備えた制御ユニット３３について、それは、無線ＩＣタグ１の機能・動作を制御して、リーダ２０９との間で、無線電波で互いにデータ通信を行うことができるものである。ここで、そのデータ通信が行われる情報（問い合わせコマンド又は単にコマンドと呼ぶ）、及びそのコマンドに対するタグ１の応答の動作の関係については、第１の実施例と同様であり、（表２）を援用する。そして、本無線ＩＣタグ１は、リーダ２０９からの無線電波を受けたとき、その応答の動作が、第１の実施例と同様に、リーダ２０９から送信されたコマンドの別と、受光情報の別、すなわち、タグ１における受光の状態の別とに応じて異なる。【０１８５】
図１１は、本無線ＩＣタグ１が埋め込まれた書類用紙２が、デジタル複合機（画像スキャナ）１００の原稿台に置かれた状態での断面（図１Ｂにあたる）を拡大して示す模式図である。【０１８６】
図１１において、ガラス板３７の上に画像読取りの対象となる書類用紙２が置かれ、そして、画像スキャナがこのガラス３７を通してその下から画像読取りのための照明を当てつつ画像読取りを行う。【０１８７】
画像スキャナの内部に設けられた遮光板３８は、光を通さない板の一部に所定の幅（ＷＬ）（無線ＩＣタグ１の光透過窓（３０、３１）のそれよりも長い）の開口部分を有したものであり、その開口部分においてのみ、照明からの光（光線３９）及び書類用紙２でのその反射光を通し、その開口部分以外では、少なくとも照明からの光（光線３９）を書類用紙２に対して遮断することができるものである。そして、画像スキャナは、遮光板３８の開口部分を画像の読取りの領域及び照明領域の移動（走査）に連れて矢印４０の向きに移動させ、その開口部分を通して、照明を照射しつつ画像の読取りを行うことができる。【０１８８】
ここで、遮光板３８の開口部分の端部３８ｇは、ある程度先鋭に形成されたものとして、タグ１が照明からの光（光線３９）を受光する際、その端部３８ｇの移動の前後におけるタグ１の受光する光線の有無（受光量の差）が明瞭になるようされている。【０１８９】
以上の構成において、次に本無線ＩＣタグ１の動作について説明する。【０１９０】
ここでは、一例として、第１の実施例と同様、リーダ２０９を内蔵し、書類用紙２の紙面上の画像を読取って原稿とし、その原稿を別の用紙に印刷して書類の複写などを行うデジタル複合機１００が、タグ１が設けられた書類用紙２の紙面上の画像を読取って印刷の原稿とする際のタグ１の動作について述べる。なお、本実施例でのデジタル複合機と無線ＩＣタグ１とのコマンドシーケンスは、第１の実施例とほぼ同様なので、図８を引用して述べる。【０１９１】
図８において、ステップ２までは第１の実施例と同様である。【０１９２】
その後において、書類用紙２が原稿台に載置されたことを知ったデジタル複合機１００は、その複写などの開始の要求がオペレータなどによって指示されると、まず、内蔵したリーダ２０９から、無線ＩＣタグ１に対し画像読取りの開始を示す情報を含む問い合わせコマンド（読取り開始コマンドと呼ぶ）を通信データとして送信する。【０１９３】
一方、無線ＩＣタグ１は、データ受信したリーダ２０９からの通信データを読取り開始コマンドと判別したときには、ＣＰＵ３４は、メモリー３５に対して、［受光情報１］が含まれた第１メモリ情報をそのメモリ情報として読み書きするものとする。そして、無線ＩＣタグ１は、（表２）に示されるようにそのコマンドに応答して、メモリ情報である第１メモリ情報に基づいてタグ情報をリーダ２０９へデータ送信する（Ｓ３）。ここで、デジタル複合機１００の原稿台に置かれた書類用紙２が複数ある（例えば、複数枚の書類用紙が綴じられた書類）場合、第１の実施例同様、各書類用紙２に設けられた無線ＩＣタグ１のいずれもがリーダ２０９へ応答するが、後述するように、応答が複数あることによる支障はない。【０１９４】
一方のリーダ２０９は、その読取り開始コマンドの送信に対する応答として、無線ＩＣタグ１からのタグ情報を受信すると、その受信によって、タグ１の制御ユニット３３が、第１メモリ情報がメモリ情報として読み書きされる状態になったものとみなす。ここで、リーダ２０９は、デジタル複合機１００の原稿台に置かれた書類用紙２が複数ある場合にも対応できるよう、所定時間、複数のタグ１からの応答を受取るものとしており、また、本実施例では、この時点でも、各タグ情報に含まれた受光情報（［受光情報１］）は無視するものとして、それによる特段の処理・制御は行っていない。【０１９５】
その後、デジタル複合機１００は、画像読取りのための照明を点灯し、画像スキャナ及び照明の走査を開始して、その照明を書類へ照射しつつ、原稿となる画像を光学的に読取る画像読取り部での画像の読取りを行う。【０１９６】
ここで、その画像の読取りの間、リーダ２０９は、無線ＩＣタグ１に対し、その電源を供給し、照明光の受光を促すために、タグ１での受光を指示するための情報を含んだ受光コマンドを通信データとした無線電波を一定周期で繰返し発する。【０１９７】
一方、無線ＩＣタグ１は、その受光コマンドの受信に対して、本実施例では、（表２）に示されるように応答することはせずタグ情報の送信を行わないが、受光素子２９での受光の検出、並びにその受光信号に基づく受光の強弱の状態を、受光コマンドが継続して受信できている間、継続して行う。この受光及び信号の発生の動作は、先のステップＳ３における読取り開始コマンドに対する応答としてのタグ情報を送信した後、次に、後述する読取り完了コマンドを受信するまでの受光検出期間、行う（Ｓ４）。【０１９８】
このような受光検出期間において、受光素子２９は、その受光量に応じた信号を出力しており、そして、デジタル複合機での画像読取りのための照明の走査がされ、その照明を、光の透過率がパターンを成した光透過窓（３０、３１）を通して受けると、その出力信号を、光透過窓（３０、３１）が有する光の透過率のパターンに応じた時間的変化を示すものとする。【０１９９】
図１２は、受光素子２９での受光量について、画像スキャナの照明の矢印４０の向きへの走査に伴うその時間的変化を説明するための模式図である。そして、図１２Ａは、書類用紙２のおもて面の画像読取りがされるとき、すなわちタグ１のおもて面１ａが画像スキャナに向けられたときの受光量の時間的変化を示し、図１２Ｂは、書類用紙２の裏面の画像読取りがされるとき、すなわちタグ１の裏面１ｂが画像スキャナに向けられたときの受光量の時間的変化を示す。【０２００】
図１２において、無線ＩＣタグ１の受光素子２９での受光量は、画像スキャナの照明の走査移動（矢印４０の向き）がされたとき、タグ１の光透過窓（３０、３１）に対する遮光板３８の部位が開口部分以外のときの時間、光線３９が遮光板３８によって遮られ光透過窓（３０、３１）に届かないのでほぼ０（零）であり、その後、照明の移動によってその部位が開口部分に掛かると、遮光板３８の端部３８ｇの光透過窓（３０、３１）に対する移動の位置に応じて、その移動に連れて受光量が図中のグラフ（受光グラフと呼ぶ）のように増加し、やがて光透過窓（３０、３１）の全体が遮光板３８の開口部分に面すると、その間、その時の受光量が維持されたものとなる。さらにその後、光透過窓（３０、３１）に対する遮光板３８の部位が開口部分から離れていく時には、先程とは逆の様相を呈する。【０２０１】
ここで、タグ１の光透過窓（３０、３１）に対する遮光板３８の部位が開口部分に掛かっているときにおいて、受光素子２９での受光量は、光透過窓（３０、３１）の内の光の透過率の高い部分（Ｗ及びｗ）が開口部分に掛かる面積に比例したものとなるので、開口部分の移動に応じて図中のグラフのような変化（増加又は減少。この変化を受光変化と呼ぶ）を示す。そして、その受光変化の様子は、光透過窓（３０、３１）の有する光の透過率のパターンの違いによって異なるものとなり、具体例として、図１２の受光グラフにおける図１２ＡとＢとのように異なったものとなる。【０２０２】
そこで、ＣＰＵ３４は、受光検出期間において、受光素子２９での受光量の変化の様子を検知して、その変化の様子の違い、すなわち図９の受光グラフにおける図１２ＡおよびＢの受光変化の違いを識別して、照明光が光透過窓３０及び光透過窓３１のいずれを透過してきたものかを判断することができる。そして、ＣＰＵ３４は、照明光が光透過窓３０を透過してきたものと判断したときには書類用紙２のおもて面が画像スキャナへ向けられていると、一方、照明光が光透過窓３１を透過してきたものと判断したときには書類用紙２の裏面が画像スキャナへ向けられていると判定できる。このように、制御ユニット３３は、そのＣＰＵ３４などによって無線ＩＣタグ１における光照射方向識別手段としての機能を有する。【０２０３】
このとき、図１２ＡおよびＢの各受光グラフの縦軸（受光量）及び横軸（時間）の各単位量の絶対値は、時々の条件によるので、一の値に特定されるものではないが、上述の識別においては、各受光グラフにおける受光変化が検知できれば、ＣＰＵ３４での識別・判断が可能である。【０２０４】
すなわち、例えば、画像スキャナの照明の走査移動の速度がデジタル複合機１００の画像読取り速度についての製品仕様などにより異なるので、その横軸（時間軸）の絶対値（時間）が特定できない。そこで、光透過窓３０（Ｗ部分及びＢ部分が、中央部をＷとして、ｗ−Ｂ−Ｗ−Ｂ−ｗの順に並ぶ）では、Ｗよりも幅が狭いｗを窓の端に設けて、照明の走査に伴う光透過窓３０での受光の始まりと終わりの時点が確実に検知でき（Ｂ部分が窓の端につながっていると、受光窓に照明の走査が掛かった時点の検出が困難である）、Ｂ部分の検知を確実にして、Ｂ部分の時間とＷ部分の時間との対比を可能としている。このように、Ｂ部分が窓の端につながることを避けることで光透過窓３０のパターンの検知を確実なものとして、受光変化のＣＰＵ３４での識別を可能としている。【０２０５】
図１３は、無線ＩＣタグ１における上述したような光照射方向識別機能の処理フローチャートを示す。【０２０６】
図１３において、ステップ７（Ｓ７）からＳ９までの期間は、図８におけるステップ４（Ｓ４）に当たる。そして、ＣＰＵ３４は、受光コマンドを受信し（Ｓ７）、その後読取り完了コマンドを受信する（Ｓ９）までの間、所定の時間間隔毎に（所定周期で）、受光素子２９での受光量を順次メモリー３５に書込んで一時記憶させる（Ｓ８）。【０２０７】
次に、ＣＰＵ３４は、読取り完了コマンドを受信する（Ｓ９）と、メモリー３５に記憶されている受光量についてのデータを記憶したその最初から順に読出し、データが書込まれた時刻毎に、その前後間におけるデータの差分を取って、受光量の時間変化率を求める（Ｓ１０）。そして、その変化率が所定の値を超えた点を図１２における時刻Ｔ１として検知する。【０２０８】
さらに、ＣＰＵ３４は、その変化率がほぼ変わらない区間（図１２ＡのＴ１−Ｔ２ａ間、同（ｂ）のＴ１−Ｔ２ｂ間）を認知しつつ、次に変化率が大きく変わった（下がった）点を時刻Ｔ２ａ（図１２Ａ）又はＴ２ｂ（図１２Ｂ）として検知する。引続きさらに、ＣＰＵ３４は、その変化率がほぼ変わらない区間（図１２ＡのＴＴ２ａ−Ｔ３ａ間、図１２ＢのＴ２ｂ−Ｔ３ｂ間）を認知しつつ、次に変化率が大きく変わった（上がった）点を時刻Ｔ３ａ（図１２Ａ）又はＴ３ｂ（図１２Ｂ）として検知する。このようにして、ＣＰＵ３４は、Ｔ１からＴ６ａまで、又はＴ１からＴ４ｂまでの各時刻を検知する（Ｓ１１）。ここで、各時刻の検知は、各時刻が絶対的な時刻である必要はなく、各時刻間の時間が検知できればよく、さらにはその時間の比の検知でもよい。【０２０９】
受光量の変化率が大きく変わった各時刻を検知したＣＰＵ３４は、次に、複数の区間の間で、各区間の受光量（例えば好ましくは区間での平均値を取ってもよい）の大小を比較して各区間がＢの部分か、Ｗの部分かを判別する（Ｓ１２）。ここで、各区間の受光量は、複数の区間の間での差が判別できるものであればどのような指標であってもよい。【０２１０】
そして、Ｂの部分及びＷの部分についての各時間及びそれらの並びによって、光透過窓（３０、３１）の光の透過率のパターンが、ｗ−Ｂ−Ｗ−Ｂ−ｗであるか、Ｗ−Ｂ−Ｗであるかを判定して、これによって、光の照射方向がタグおもて面１ａであるか、タグ裏面１ｂであるかを識別する（Ｓ１３）。【０２１１】
以上のようにして、ＣＰＵ３４は、画像スキャナへ向けられた書類用紙２の裏表についてのその識別・判定を行うことができる。【０２１２】
このようなＣＰＵ３４での識別・判定によって、無線ＩＣタグ１は、画像スキャナへ向けられた書類用紙２の裏表についてのその判定に基づき、［受光情報２］を含んで記憶した第２メモリ情報、又は、［受光情報３］を含んで記憶した第３メモリ情報のいずれかをメモリ情報とする（Ｓ５）。そして、この第２メモリ情報又は第３メモリ情報をメモリ情報とした状態は、無線ＩＣタグ１が、その後に次のタグ検出コマンドを受信して応答するまでの間、保持されるものとしている。【０２１３】
このように、無線ＩＣタグ１は、書類用紙２がそのおもて面を照明の照射の向きに面して原稿台に置かれているときには、［受光情報３］を含んだ第３メモリ情報をメモリ情報とし、また、書類用紙２がその裏面を照明の照射の向きに面して原稿台に置かれているときには、［受光情報２］を含んだ第２メモリ情報をメモリ情報とする。【０２１４】
その後、デジタル複合機１００がその画像の読取りを終えると、リーダ２０９は、タグ１に対し画像の読取り完了を示す情報を含む問い合わせコマンド（読取り完了コマンドと呼ぶ）を通信データとして送信する。【０２１５】
一方、第２メモリ情報又は第３メモリ情報がメモリ情報となった当該無線ＩＣタグ１は、その読取り完了コマンドを受信して、（表２）に示されたように、そのコマンドに対する応答として、第２メモリ情報又は第３メモリ情報に基づくタグ情報をリーダ２０９へ送信する（Ｓ６）。【０２１６】
ここで、デジタル複合機１００の原稿台に置かれたものが、例えば、複数枚の用紙が綴じられた書類の場合、その綴じられた用紙のうち照明の照射の向きに面した最上面の書類用紙２に設けられた無線ＩＣタグ１のみが、照明を受けて、上述の動作を行う。このように、タグ１は、書類の最上面にない書類用紙２に設けられたものでは、複合機１００からの照明の照射によっても、受光素子２９の出力信号のレベルが大きくならないように、受光素子２９の感度が設定されている。従って、書類用紙２が複数ある場合であっても、その照明を受けなかった無線ＩＣタグ１は、第１メモリ情報がメモリ情報となったままであり、（表２）に示されたように、読取り完了コマンドに対するリーダ２０９への応答を返さない。【０２１７】
また、その照明を受けた当該無線ＩＣタグ１は、メモリ情報が第２メモリ情報又は第３メモリ情報となって受光情報が更新された状態を保持しているので、送信するタグ情報は、第２メモリ情報又は第３メモリ情報に基づくものであり、前述したとおり、書類用紙２がそのおもて面を照明の照射の向きに面して原稿台に置かれているときには、［受光情報３］を含んだ第３メモリ情報であり、また、書類用紙２がその裏面を照明の照射の向きに面して原稿台に置かれているときには、［受光情報２］を含んだ第２メモリ情報に基づくものとなる。【０２１８】
このように、リーダ２０９は、デジタル複合機１００の原稿台に置かれたものが、例えば、複数枚の用紙が綴じられた書類の場合においても、その綴じられた用紙のうち照明の照射の向きに面した最上面の書類用紙２に設けられた無線ＩＣタグ１からそのタグ情報を受信して、さらに、そのタグ情報に含まれた受光情報の別によって、タグ情報に含まれた受光情報が［受光情報３］のときには、書類用紙２はそのおもて面を照明の照射の向きに面して原稿台に置かれており、また、［受光情報２］のときには、書類用紙２はその裏面を照明の照射の向きに面して原稿台に置かれているものと、書類用紙２の裏表の向きを検知することができる。【０２１９】
その後、デジタル複合機１００は、画像読取りのための照明を消灯し、画像読取り部での１つの画像の読取りを完了する。【０２２０】
ここで、画像読取り部での画像の読取りが複数の書類用紙２について行われる場合には、以上のステップＳ１からステップＳ６までの動作がその複数の書類用紙２の数だけ繰返し行われることになる。【０２２１】
以上述べたように、光透過窓における光の透過率が、光が透過する方向に対した少なくとも一の方向において、一様ではなく、かつ、他のいずれとも互いに異なったパターンを成し、そして、無線ＩＣタグの内部に受光素子を１つ備えたものあっても、第１の実施例のものと同様に、それが埋め込まれている物の裏表の検出ができ、そして、書類用紙２などにおいて複数束ねられた形態で使用されるときでも、その束の表面にある書類用紙２の面についての情報を伝えることができる。【０２２２】
なお、遮光板３８は、照明の書類用紙２に対する照射領域についてその非照射領域との境界をある程度明瞭にするためのものなので、例えば、照明の光量分布自体が明瞭な境界を有するようなものであって、それが、図１２に示されるような受光グラフとしたときの結果においてその時間的変化がある程度明瞭に得られて図１２Ａの場合と図１２Ｂの場合との識別が可能な程度であれば、無くても構わないが、その時間的変化をより明瞭にして識別の精度を上げるのに効果的である。【０２２３】
また、光透過窓は、その光の透過率が成すパターンを、直交する２の方向のそれぞれに有するものとしてもよい。【０２２４】
図１４は、光透過窓における光の透過率が、直交する２の方向のそれぞれに成している無線ＩＣタグ１を模式的に示すもので、図１４Ａは上面図、図１４Ｂは線Ａ２での断面図、図１４Ｃは下面図である。【０２２５】
図１４において、光透過窓４１及び光透過窓４２）は、図９における光透過窓（３０、３１）と同様に、タグカバー７の一部を成し、透明な樹脂を素材として無線ＩＣタグ１への外光をさらにタグ１の内部へ透過するためのものであり、光の透過率が、図示された白い部分（Ｗ）では高く、濃く網掛けされた部分（Ｂ）の部分では低い。そしてその光の透過率のパターンは、タグ１のおもて面（１ａ）と裏面（１ｂ）とでは異なるものとしている。【０２２６】
ここで、光透過窓４１及び４２は、その光の透過率のパターンが、光透過窓３０及び３１とは異なって、図示したように、線Ａ２の方向に加え、その方向におけるＷ部分・Ｂ部分の並びをそれに直交した線Ａ３の方向についても同様として設けられている。すなわち、本実施例では、パターンは、図示したように、線Ａ２の方向について、また、それに直交した線Ａ３の方向についても、タグおもて面１ａの光透過窓４１では中央部をＷとして、ｗ−Ｂ−Ｗ−Ｂ−ｗの順に並んだものであり、タグ裏面１ｂの光透過窓４２では中央部をＢとして、Ｗ−Ｂ−Ｗの順に並んだものとしている。ここで、ｗは、幅がＷに比べて狭いものである。【０２２７】
このように、光透過窓におけるその光の透過率のパターンを直交した２方向に設けることで、無線ＩＣタグ１が埋め込まれて設けられた書類用紙２がその画像読取りのためのスキャナ（照明）の移動（走査）の方向に対してデジタル複合機の原稿台面上のいずれの方向に置かれても、照明の移動（走査）によって、受光素子２９での受光量は、前述した図１１に示したような時間的変化を示す。これによって、原稿台面における書類用紙２の載置方向にかかわらず、すなわち、書類用紙２の縦横がいずれの方向であっても、ＣＰＵ３４は、その変化の様子を検知し、その変化の様子の違いを識別して、照明光が光透過窓４１及び光透過窓４２のいずれを透過してきたものかを判断することができる。【０２２８】
なお、上述の実施例では、書類用紙に埋め込まれた無線ＩＣタグ１について説明した例を説明したが、無線ＩＣタグ１を書類用紙２に貼付するようにしてもよい。例えば書類用紙２のおもて面と裏面のそれぞれに無線ＩＣタグ１を貼付する。この場合、原稿台に面する無線ＩＣタグ１のみが、読取り完了コマンドに対し応答をリーダ２０９に送ることになる。これによっても、書類用紙のおもて面と裏面とを区別することが可能である。さらに、上述のように光透過部にパターンを設けることによって、書類用紙の置かれた方向を区別することができる。【０２２９】
またデジタル複合機１００は、上述のような無線ＩＣタグ１が埋め込まれた紙などの媒体に画像を印刷出力する際に、無線ＩＣタグ１にタグ情報を書き込むためリーダをさらに備えることができる。【０２３０】
図５の例において、画像形成部１０６は、給紙カセット３００に格納された印刷用紙に、カラー画像を形成するため、シアン、マゼンダ、イエロー、ブラックの各色に対応する４つの画像形成ユニット３０１を備えている。これらの画像形成ユニット３０１は、中間転写ベルト３０２上に各色のトナー像を形成し、４色のトナー像が重ねあわされる。そのトナー像は、中間転写ベルト３０２と転写ローラ３０３の対向する転写部で印刷用紙に転写される。レジストローラ３０４は、給紙カセット３００から搬送路３０５に給送された印刷用紙をトナー像に同期して転写部に搬送する。定着部３０６は、印刷用紙に転写されたトナー像を定着する。排出ローラ３０７は、排紙トレイ３０８に印刷用紙を排紙する。【０２３１】
またこのデジタル複合機１００は、両面印刷をするために反転ユニット３０９を備えている。反転ユニット３０９は、定着部３０６を通過した用紙をレジストローラ３０４の上流に戻す反転搬送路３１０を備える。その反転搬送路３１０に用紙を搬送することで、その用紙の画像形成面を反転させる。印刷用紙の片面の印刷が完了してからその用紙を排紙せず、反転ユニット３０９により画像形成面を反転させ、印刷用紙の他の面に印刷を行うことにより、両面印刷を行うことができる。【０２３２】
さらにこのデジタル複合機１００は、定着部３０６と排出ローラ３０７との間に、印刷用紙に埋め込まれた無線ＩＣタグ１にタグ情報を書き込むためのリーダ３１１と、その無線ＩＣタグ１を照明するための光源３１２Ａとを備える。この場合、情報処理回路２００には、リーダ３１１及び光源３１２Ａも接続される。例えば印刷用紙のおもて面が光源３１２Ａ側に向いている場合に、リーダ３１１の通信範囲内に無線ＩＣタグ１が入ると、光源３１２Ａを点灯しない状態で、タグ情報の書き込みコマンドを無線ＩＣタグ１に送る。無線ＩＣタグ１は、受光素子５及び６のいずれも外光を受光していないか受光量の差が小さければ、そのコマンドによるタグ情報を第１の記憶素子２６に書き込む。その書き込みが完了すると、情報処理回路２００は光源３１２Ａを点灯し、リーダ３１１はタグ情報の書き込みコマンドを無線ＩＣタグ１に送る。この状態では、無線ＩＣタグ１は、受光素子５が所定の受光をしているので、そのコマンドによるタグ情報を第３の記憶素子２８に書き込む。その後、その印刷用紙の画像形成面が反転ユニット３０９により反転される。反転搬送路３１０を通過すると、印刷用紙のうら面が光源３１２側に向くことになる。リーダ３１１の通信範囲内に再び無線ＩＣタグ１が入ると、情報処理回路２００は光源３１２Ａを点灯し無線ＩＣタグ１を照明し、リーダ３１１はタグ情報の書き込みコマンドを無線ＩＣタグ１に送る。その状態では、無線ＩＣタグ１は、受光素子６が所定の受光をしているので、そのコマンドによるタグ情報を第２の記憶素子２７に書き込む。このようにして無線ＩＣタグ１の複数の記憶素子それぞれに、異なるタグ情報を書き込むことができる。【０２３３】
印刷用紙に埋め込まれた無線ＩＣタグ１がすでにタグ情報を記憶している場合、リーダ３１１は、タグ情報を書き込む場合と同様にしてタグ情報を無線ＩＣタグ１から読み出すことができる。また無線ＩＣタグ１に記憶されたタグ情報を書き換えてもよい。【０２３４】
このような構成によって、印刷出力の際、印刷用紙などの媒体を搬送している時に光を無線ＩＣタグ１の外光として照射し、そのもとで、タグ情報における少なくとも無線ＩＣタグ１が記憶する情報についてやりとりを行うことができる。このため、デジタル複合機１００は、媒体の複数の方向または向きについて、受光状態の区別を無線ＩＣタグ１に可能とさせる光の照射を行うことができ、その照射光を受光した無線ＩＣタグ１での受光信号に応じた受光情報を含むタグ情報を、無線ＩＣタグ１へ書込み又はタグ１から読み出してやりとりすることができる。【０２３５】
このようにリーダ３１１が、印刷用紙などの媒体に埋め込まれた無線ＩＣタグ１とタグ情報をやりとりするため、光源３１２Ａの照射量を複数段階用意し、無線ＩＣタグ１が受光量によってその段階を区別するようにしてもよい。この区別をすることによって、リーダ３１１は、媒体の搬送方向を変えずに、媒体の複数の方向に対応するタグ情報を無線ＩＣタグ１とやりとりすることができる。【０２３６】
両面印刷を行う場合に、複数の記憶素子それぞれに、異なるタグ情報を書き込む例を説明したが、これに限られるものではない。片面印刷を行う場合に、３つの記憶素子２６乃至２８にタグ情報をそれぞれ書き込むため、光源３１２Ａとは逆側の面から印刷用紙を照明する光源３１２Ｂをデジタル複合機１００が備えるようにしてもよい。第１の記憶素子２６にタグ情報を書き込む場合、情報処理回路２００は、両光源３１２Ａ及び３１２Ｂを消灯する。第３の記憶素子２８にタグ情報を書き込む場合は、光源３１２Ａを点灯し、光源３１２Ｂを消灯する。第２の記憶素子２７にタグ情報を書き込む場合は、光源３１２Ａを消灯し、光源３１２Ｂを点灯する。印刷用紙を排出するまでにこれらの手順を行えば、片面印刷の場合でも、複数の記憶素子すべてに、異なるタグ情報を書き込むことができる。【０２３７】
片面印刷の場合には、当該面に対応するタグ情報に、印刷済みであることを示す印刷済み情報を含めるようにしてもよい。片面印刷の行われた印刷用紙が、給紙カセット３００に再び収納され、もう一方の面について印刷が行われる場合に、その印刷済み情報を用いれば、当該面が印刷済みかどうかをデジタル複写機１００が判別することができる。その印刷済み情報の読み出しには、例えば給紙カセット３００の直上流にも、リーダ及び光源を設ければよい。その光源及びリーダにより、印刷済み情報を取得すると、デジタル複写機１００は、その印刷用紙の搬送を停止することができる。それによって、印刷済みの面に、さらに印刷を行うことを避けることができる。【０２３８】
さらに印刷済み情報は、その印刷用紙の紙面から画像を読み取りその画像を印刷するときにも利用することができる。デジタル複写機１００は、画像の読取り面に対応するタグ情報に、印刷済み情報が含まれていない場合、読み取った画像を他の印刷用紙に印刷するのを中止する。これにより、無駄な印刷を避けることができる。【０２３９】
また無線ＩＣタグ１に書き込むタグ情報には、機密情報またはその機密情報へのアクセスのためのアクセス情報を含めることができる。アクセス情報は、例えば、機密情報がネットワーク上のサイトなどに置かれているときのそのサイトのネットワークアドレス、サイト名、ファイル名、パスワード等である。デジタル複合機１００は、機密情報またはアクセス情報を含むタグ情報を無線ＩＣタグ１から取得した場合に、タグ情報を画像として印刷する際、アクセス条件を満足しなければ、そのタグ情報から機密情報またはアクセス情報を除いた情報を画像として印刷する。アクセス条件は、例えばユーザＩＤやパスワードが合致することである。アクセス条件を満足しなければ、機密情報は可視画像化されない。一方、アクセス条件を満足していれば、その機密情報またはアクセス情報を含むタグ情報を画像として印刷する。アクセス情報がネットワークアドレスやサイト名を表している場合、デジタル複合機１００は、そのアクセス情報を使ってそのサイトにネットワークを通じて接続し、機密情報を取得する。そして、無線ＩＣタグ１自体やサイトから取得した機密情報を原稿画像に重ねて可視画像化させて印刷したり、機密情報のみを印刷したりすることができる。さらに、パスワードが有する機密情報に対する権限レベルなどに応じてその権限に係る機能を種々異なるものとすることもできる。さらにデジタル複合機１００の有する複数の機能ごとに機密情報の扱いを異ならせるようにしてもよい。例えばファクシミリ送信や画像の転送を行う場合と印刷出力を行う場合とで、アクセス条件や権限レベルを異ならせることができる。【０２４０】
そして、このような印刷物についてもその裏表の面毎に異なるセキュリティを掛けるなどして（例えばネットワークアドレス、パスワード、その他が異なる）、機密情報を印刷物の裏表の別によってそこに印刷された画像と関連付けて、特定の者のみに開示することなどができる。【０２４１】
また、複数枚の書類用紙が綴じられた書類が、雑誌やカタログ、書籍などの見開き原稿である場合、一枚の書類用紙のおもて面と他の一枚の書類用紙の裏面とが同時にデジタル複合機１００の原稿台に面することになる。この場合、リーダ２０９は、その原稿の画像の読取りを完了するまでに、２つの無線ＩＣタグ１と通信を行う。リーダ２０９の検出範囲に同時に２つの無線ＩＣタグ１が入る場合、タイムスロットを異ならせるなどの衝突防止機能をリーダ２０９に設けて、各無線ＩＣタグ１と順次通信を行うことができる。この場合も、無線ＩＣタグ１から受信するタグ情報によって、リーダ２０９は、見開きを構成する２枚の書類用紙２の裏表などを区別することが可能である。また、原稿台に面しない書類用紙２に埋め込まれた無線ＩＣタグ１は読取り完了コマンドに対し応答しないので、見開き原稿の複写を行う者は、その見開き原稿から１枚の書類用紙を分離することなく、そのまま原稿台に載置することができる。【０２４２】
また上述の実施例では、無線ＩＣタグ１が、リーダ２０９からの所定の電波などを受けたとき、タグ情報をデジタル複合機１００におくることで、書類用紙２が置かれた方向・向きをデジタル複合機１００に伝えていた。これに代えて、光に対する反射率が１次元又は２次元の方向において一様ではないパターンを成すように変えることができる面を所定の方向・向きに有した外光反射手段を用いて、書類用紙２などが置かれた方向・向きをデジタル複合機１００等に伝えるようにしてもよい。【０２４３】
図１５はさらに他のタグの例を模式的に示すもので、図１５Ａは上面図、図１５Ｂは下面図である。この無線ＩＣタグ１は、タグカバー７表面に液晶表示部４０１を備えている。無線ＩＣタグ１は、デジタル複合機１００に内蔵されたリーダ２０９からの指示にしたがって、光に対する反射率が一様でない特定のパターンをその液晶表示部４０１に表示する。図１５ＡおよびＢに示すように、無線ＩＣタグ１は、リーダ２０９からの指示にしたがって、複数の異なるパターン４０２および４０３を液晶表示部４０１に表示する。ここでは、一次元方向において一様でないパターンを採用しているが、二次元方向において一様でないパターンを採用することも可能である。そのパターンには、一次元又は二次元のバーコード模様を用いることができる。【０２４４】
デジタル複合機１００の情報処理回路２００は、パターンの表示を指示する通信をリーダ２０９が行った後、書類用紙２の紙面を読み取ることにより得た画像内から、予めＲＯＭ２０３に記憶された複数の基準パターンのいずれかに整合するパターンを抽出する。液晶表示部４０１に表示されるパターンは光に対する反射率が一様でないから、画像読取りの際に照明されると、読み取られた画像にそのパターンが含まれる。情報処理回路２００は、画像内からそのパターンを抽出する。【０２４５】
ＲＯＭ２０３は、各基準パターンに対して、例えば書類用紙２の方向や向きを表す情報を関連付けて記憶している。情報処理回路２００は、いずれかの基準パターンに整合するパターンを抽出した場合、その基準パターンに関連付けられた情報をＲＯＭ２０３から読み出す。リーダ２０９は、その読み出された情報に基づいて無線ＩＣタグ１とそのタグ情報のやりとりを行う。読み出した情報が、書類用紙２の裏面またはおもて面を表している場合、リーダ２０９は、書類用紙２の裏面またはおもて面に対応するタグ情報を取得することができる。【０２４６】
この例のように、無線ＩＣタグ１は液晶表示部４０１を所定の方向又は向きに対して複数有することができる。また一つの液晶表示部４０１が所定の方向又は向きに対して複数のパターン表示領域を有するようにしてもよい。【０２４７】
このように、無線ＩＣタグ１が、光に対する反射率が一次元又は二次元の方向において一様でないパターンを成すように変えることができる面を所定の向き・方向に有した液晶表示部を備えることで、デジタル複合機１００の情報処理回路２００は、自らの指示に応答する無線ＩＣタグを選択することができ、さらには、そのようなタグからの情報を、電磁誘導又は電波でのデータ通信によって得ることができるほか、面にて反射された光がその面上の各所における反射率の差異によって成すパターンでもっても得ることができる。
【産業上の利用可能性】
【０２４８】
本発明の無線ＩＣタグは、書類の紙面上の画像を読取って原稿とし、その原稿を別の用紙に印刷して書類の複写などを行うデジタル複合機などの情報処理装置において用いられる書類用紙又は印刷用紙に利用すること、また、その無線ＩＣタグとの間で情報のやりとりを行うリーダは、デジタル複合機などの情報処理装置において利用することがそれぞれ可能である。
【図１】
2007105634.tif 000005
【図２】
2007105634.tif 000006
【図３】
2007105634.tif 000007
【図４】
2007105634.tif 000008
【図５】
2007105634.tif 000009
【図６】
2007105634.tif 000010
【図７】
2007105634.tif 000011
【図８】
2007105634.tif 000012
【図９】
2007105634.tif 000013
【図１０】
2007105634.tif 000014
【図１１】
2007105634.tif 000015
【図１２】
2007105634.tif 000016
【図１３】
2007105634.tif 000017
【図１４】
2007105634.tif 000018
【図１５】
2007105634.tif 000019
【手続補正書】
【提出日】平成20年9月10日(2008.9.10)
【手続補正１】
【補正対象書類名】特許請求の範囲
【補正対象項目名】全文
【補正方法】変更
【補正の内容】
【特許請求の範囲】
【請求項１】
有体物に付けられて又はその一部に含められて設けられ、情報の記憶ができ、かつ、電力が無線で供給され、そして、電磁誘導又は電波で、前記有体物の外部に存するリーダとの間でデータ通信を行って、当該タグが記憶する情報、その他のタグ情報を前記リーダとやりとりすることができる無線ＩＣタグであって、
当該タグが設けられた前記有体物に対する複数の所定の方向・向きのそれぞれにおける外光を互いに区別して受光することができる外光受光手段を含み備え、
前記リーダからの所定の電波などを受けたとき、前記リーダとの情報のやりとりに関し、前記外光受光手段が前記外光を受光して得られたその受光信号に基づき、その受光信号によっては前記リーダへの応答を行わず、又は、やりとりする前記タグ情報を少なくともその一部にその受光信号に応じた受光情報を含むものとすることを特徴とする無線ＩＣタグ。
【請求項２】
前記外光受光手段は、当該素子それぞれが前記所定の方向・向きに向いた複数の受光素子であることを特徴とする請求項１記載の無線ＩＣタグ。
【請求項３】
前記外光受光手段は、当該部それぞれが前記所定の方向・向きから照射された光を当該タグの内部へ透過させる複数の光透過部と、当該素子それぞれが前記光透過部の一に対応してその対応した前記光透過部を透過した光を受光する複数の受光素子とからなることを特徴とする請求項１記載の無線ＩＣタグ。
【請求項４】
有体物に付けられて又はその一部に含められて設けられ、情報の記憶ができ、かつ、電力が無線で供給され、そして、電磁誘導又は電波で、前記有体物の外部に存するリーダとの間でデータ通信を行って、当該タグが記憶する情報、その他のタグ情報を前記リーダとやりとりすることができる無線ＩＣタグであって、
当該部それぞれが、当該タグが設けられた前記有体物に対する所定の方向・向きから照射された光を、当該タグの内部へ透過させる複数の光透過部と、
前記光透過部を透過した光を受光する１以上の受光素子と、
を含み備え、
複数の前記光透過部は、それぞれ、光の透過率が、光が透過する方向に対した少なくとも一の方向において、一様ではなく、かつ、他のいずれとも互いに異なったパターンを成し、
当該タグは、複数の前記光透過部のいずれかを透過した光を前記受光素子にて受光し、そして、前記リーダからの所定の電波などを受けたとき、前記リーダとの情報のやりとりに関し、光の透過率の成す前記パターンに対応した受光信号に基づき、その受光信号によっては前記リーダへの応答を行わず、又は、やりとりする前記タグ情報を少なくともその一部にその受光信号に応じた受光情報を含むものとすることを特徴とする無線ＩＣタグ。
【請求項５】
前記光透過部は、光の透過率が、その光が透過する方向に対した２つの互いに直交する方向それぞれに前記パターンを成していることを特徴とする請求項４記載の無線ＩＣタグ。
【請求項６】
光の透過率が成した前記パターンは、そのパターンの成す方向におけるその一端側と他端側との間で、それらの中央を横切る軸に対して線対称であることを特徴とする請求項４記載の無線ＩＣタグ。
【請求項７】
光の透過率が成した前記パターンは、そのパターンの成す方向における端部での光の透過率が、複数の前記光透過部の全てについて同じであることを特徴とする請求項４記載の無線ＩＣタグ。
【請求項８】
有体物に付けられて又はその一部に含められて設けられ、情報の記憶ができ、かつ、電力が無線で供給され、そして、電磁誘導又は電波で、前記有体物の外部に存するリーダとの間でデータ通信を行って、当該タグが記憶する情報、その他のタグ情報を前記リーダとやりとりすることができる無線ＩＣタグであって、
光に対する反射率が１次元又は２次元の方向において一様ではないパターンを成すように変えることができる面を所定の方向・向きに有した外光反射手段を含み備え、
前記リーダからの所定の通信を受けて、その通信された情報に基づく所定のパターンを前記外光反射手段における前記面に現すことを特徴とする無線ＩＣタグ。
【請求項９】
前記外光反射手段を複数備えてそれぞれの前記パターンが成される前記面が所定の方向・向きに面したものである、又は、一の前記外光反射手段が前記面を複数有してその各面が所定の方向・向きに面したものであることを特徴とする請求項８記載の無線ＩＣタグ。
【請求項１０】
前記パターンが成される前記面は、光に対する反射率が１次元又は２次元の方向において一様ではない前記パターンを液晶にて成すものであることを特徴とする請求項８記載の無線ＩＣタグ。
【請求項１１】
前記外光反射手段が成す前記パターンは、１次元又は２次元のバーコード模様であることを特徴とする請求項８記載の無線ＩＣタグ。
【請求項１２】
複数の前記所定の方向・向きは、前記有体物のおもて面が面した向きと、その裏面が面した向きとであることを特徴とする請求項１、４又は９記載の無線ＩＣタグ。
【請求項１３】
前記受光情報は、前記受光信号のその内容自体を示す受光信号情報、又はその受光信号情報を含んだものであることを特徴とする請求項１又は４記載の無線ＩＣタグ。
【請求項１４】
光を受けて電圧又は電流を発生する受光素子と、電荷を蓄える蓄電手段とを含み備え、
前記受光素子によって得られる電力を前記蓄電手段に蓄えて当該タグの電気回路のための電力の少なくとも一部とすることを特徴とする請求項１又は４記載の無線ＩＣタグ。
【請求項１５】
請求項１から１４のいずれか１項に記載の無線ＩＣタグが設けられたことを特徴とする紙、フィルムその他の書類用媒体。
【請求項１６】
有体物に付けられて又はその一部に含められて設けられ、情報の記憶ができ、かつ、電力が無線で供給され、さらに、前記有体物に対する複数の所定の方向・向きから照射される光を区別して受光する機能を有した無線ＩＣタグとの間で、電磁誘導又は電波でデータ通信が行え、前記無線ＩＣタグが記憶する情報、前記光の受光に係る受光情報その他のタグ情報をやりとりする無線ＩＣタグ・リーダであって、
前記タグ情報から、前記無線ＩＣタグが前記有体物に対する複数の所定の方向・向きから照射される光を区別して受光して得たその受光情報を抽出することができ、そして、その情報をもとに、前記有体物への光の照射の方向・向きを識別する光照射方向識別手段を含み備え、
前記無線ＩＣタグとの間にて電波などでデータ通信を行って情報のやりとりをし、受信したタグ情報のおける受光情報をもとに、前記光照射方向識別手段によって前記有体物への光の照射の方向・向きを識別して、前記無線ＩＣタグが設けられた有体物の姿勢の方向・向きを特定することができることを特徴とする無線ＩＣタグ・リーダ。
【請求項１７】
照射域が有体物の一の面において一定の方向に相対的に移動され又は走査される光を照射する光照射手段を含み備えたことを特徴とする請求項１６記載の無線ＩＣタグ・リーダ。
【請求項１８】
紙などを媒体とした書類などについてその媒体面上の画像を読取るなどの処理を行う情報処理装置であって、
画像読取りの照明として照射域が前記媒体の一の面において一定の方向に相対的に移動され又は走査される光を照射する照明手段と、
前記照明手段による光を前記媒体への照明光としてその媒体面上の画像を光学的に読取る画像読取り部と、
前記媒体に付けられて又はその一部に含められて設けられ、情報の記憶ができ、かつ、電力が無線で供給され、さらに、前記媒体に対する複数の所定の方向・向きから照射される光を区別して受光する機能を有した無線ＩＣタグとの間で、電磁誘導又は電波でデータ通信が行え、前記無線ＩＣタグが記憶する情報、前記光の受光に係る受光情報その他のタグ情報をやりとりする無線ＩＣタグ・リーダと、
前記タグ情報から、前記無線ＩＣタグが前記媒体に対する複数の所定の方向・向きから照射される光を区別して受光して得たその受光情報を抽出することができ、そして、その情報をもとに、前記媒体への光の照射の方向・向きを識別する光照射方向識別手段と、
を含み備え、
前記無線ＩＣタグとの間にて電波などでデータ通信を行って情報のやりとりをし、受信したタグ情報のおける受光情報をもとに、前記光照射方向識別手段によって前記媒体への前記照明光の照射の方向・向きを識別して、前記無線ＩＣタグが設けられた媒体の姿勢の方向・向きを特定することができることを特徴とする情報処理装置。
【請求項１９】
光に対する反射率が１次元又は２次元の方向において一様ではないパターンを成すように変えることができる面を所定の方向・向きに有した無線ＩＣタグが設けられた紙などを媒体とした書類などについてその媒体面上の画像を読取るなどの処理を行う情報処理装置であって、
画像読取りの照明として照射域が前記媒体の一の面において一定の方向に相対的に移動され又は走査される光を照射する照明手段と、
前記照明手段による光を前記媒体への照明光としてその媒体面上の画像を光学的に読取る画像読取り部と、
前記画像内から特定のパターンを抽出してそのパターンが表わした情報を認識するパターン認識手段と、
前記媒体に付けられて又はその一部に含められて設けられ、情報の記憶ができ、かつ、電力が無線で供給される無線ＩＣタグとの間で、電磁誘導又は電波でデータ通信が行え、前記無線ＩＣタグが記憶する情報その他のタグ情報をやりとりする無線ＩＣタグ・リーダと、
を含み備え、
前記無線ＩＣタグ・リーダが、前記無線ＩＣタグに対し、光に対する反射率が１次元又は２次元の方向において一様ではない所定のパターンを成すよう指示する通信を行った後、前記パターン認識手段がその所定のパターンを抽出してそのパターンが表わした情報を認識できたとき、その認識された情報に基づきその無線ＩＣタグとそのタグ情報のやりとりを行うことを特徴とする情報処理装置。
【請求項２０】
画像を紙などの媒体に印刷出力するなどの処理を行う情報処理装置であって、
前記媒体を搬送して当該装置の外部へ送り出す媒体搬送手段と、
前記媒体に付けられて又はその一部に含められて設けられ、情報の記憶ができ、かつ、電力が無線で供給され、さらに、前記媒体に対する複数の所定の方向・向きから照射される光を区別して受光する機能を有した無線ＩＣタグとの間で、電磁誘導又は電波でデータ通信が行え、前記無線ＩＣタグが記憶する情報、前記光の受光に係る受光情報その他のタグ情報をやりとりする無線ＩＣタグ・リーダと、
前記媒体への印刷がされる面へ光を照射する光照射手段と、
を含み備え、
印刷出力の際、前記媒体搬送手段が前記媒体を搬送している時に前記光照射手段が光を照射し、そのもとで、前記タグ情報における少なくとも前記無線ＩＣタグが記憶する情報についてのやりとりを行うことを特徴とする情報処理装置。
【請求項２１】
機密情報を含んだ又は機密情報に関連した情報の印刷出力の処理において、機密情報についてはそれ自体又はその機密情報へのアクセスのための情報を前記無線ＩＣタグに記憶させ、そして、紙などの前記媒体上には機密に係るものを除いた情報を画像として印刷することを特徴とする請求項２０記載の情報処理装置。
【手続補正２】
【補正対象書類名】明細書
【補正対象項目名】全文
【補正方法】変更
【補正の内容】
【発明の詳細な説明】
【技術分野】
【０００１】
本発明は、情報の記憶ができ、かつ、無線で電力が供給されて電磁誘導又は電波でデータ通信を行うことができる無線ＩＣタグ、及び、そのタグとの間で情報のやりとりを行うリーダ、並びに、そのタグが設けられた紙、フィルムなど（以下、単に紙とも呼ぶ）を書類用紙又は印刷用紙として、その書類の紙面上の画像を読取って原稿とし、その原稿を別の用紙に印刷して書類の複写などを行うデジタル複合機などの情報処理装置に関する。
【背景技術】
【０００２】
紙、フィルムなどを記録の媒体とした書類（以下、書類の記録媒体を書類用紙と呼ぶ）についてその紙面上の画像を読取って原稿とし、その原稿を別の紙に印刷して書類の複写などを行うデジタル複合機において、その複写の際、読取った画像を原稿画像としてその原稿画像データを記憶装置に保存すると共にその原稿画像データを指し示す情報を含めさせたバーコードなどの模様画像を原稿画像に添えて印刷しておき、その後、その印刷がされた紙（印刷紙と呼ぶ）を書類用紙とした書類が当該デジタル複合機にて複写されるとき、その紙面上のバーコードを読取り、そのバーコードが有する情報を基に、その原稿画像データを記憶装置内から検索し、取出して、そのデータに基づいて印刷を行うことにより、先の複写物である印刷紙を元にした複写を繰返しても印刷された画像の画質が劣化しないものが商品化されている。ここで、バーコードなどの模様画像は、そこに含まれた情報がバーコードリーダなどの光学的な手段によって非接触の状態にてかつ容易に読み出される情報の簡便な保持の手段として機能している。
【０００３】
そして、このような機能を有したバーコードなどに相当するものとして、近年、バーコードよりもかなり多くの情報を保持することができる非接触型ＩＣ（集積回路）カードや無線ＩＣタグなど、微小なＩＣメモリーチップを含んで、その対応するリーダ（データ読取り機）によって、非接触で、その電力が供給され、またそこに保持されたデータの読出しができるものが、交通機関の定期券や郵便物、荷物など、日常の様々な物に付けられて広く普及してきている。
【０００４】
ところで、その無線ＩＣタグ（単にタグとも呼ぶ）は、そこに保持される情報、その機能・動作の制御に係る情報その他の情報（タグ情報と総称する）のデータを、タグに対向してその授受を行う無線ＩＣタグ・リーダ（単にリーダとも呼ぶ。なお、本明細書においては、タグからの情報の読取りに限らずタグに対する情報の書込みの機能を含んだ物についても、単に「リーダ」の語を用いる。また、「やりとり」の語はその読取り及び書込みの総称として用いる。）とのデータの授受を電磁誘導又は電波で行うので、その指向性などに応じた範囲内において、バーコードに比べ、リーダとの間における、方向・向き、光学的遮蔽その他の空間条件の制限が少ない。ただ、郵便物、荷物などや印刷用紙に使用される場合には、定期券などのように１枚毎にリーダとのデータの授受ができる場合では発生しない特有の問題がある。
【０００５】
すなわち、無線ＩＣタグは、郵便物、荷物などや印刷用紙に使用された場合、多数のタグが互いに近接して存在する状況がしばしばありえ、その状況においてもリーダとのデータの授受ができることが求められるが、このようなとき、各タグでは、近接した他のタグとの間で、それぞれのタグに内蔵されたアンテナどうしの相互インダクタンスの影響により、ＩＣが作動するのに十分な電力を受電できない状態が発生する。
【０００６】
そこで、特許文献１に示された無線ＩＣタグでは、タグ内の特定の位置に受光素子を内蔵し、外部からの光を受光したときのみ、タグのアンテナで受信した電波（搬送波）を内部の電源生成手段に供給して、リーダとのデータの授受を行うものとしている。これにより、多数のタグが一群となった状態に対してもその特定の位置に対して光を当てることで、複数のタグが同時に動作することを防止し、そして対象のタグに必要十分な電力を供給できるとしている。
【０００７】
一方、プリンタやデジタル複合機においても、前述のバーコードなどの模様画像に代えてこのような無線ＩＣタグを利用し、その印刷用紙をその一部にタグが貼付されたものとして、原稿画像の印刷がされた先の印刷紙を元にした複写を繰返したときの印刷画質の劣化を回避する特許文献２に示されたようなシステムなどが提案されている。
【特許文献１】特開２００３−３１７０５０号公報（第３頁、第５頁、第９頁、図２、図４、図６〜図８）
【特許文献２】特開２００４−２４９４９９号公報
【発明の開示】
【発明が解決しようとする課題】
【０００８】
しかしながら、上記従来構成の特許文献２に示された無線ＩＣタグは、そのタグを有した印刷紙などの書類用紙が複数枚綴じられた書類の形態にされていると、その形態のままでは、リーダとのデータの授受の際、前述の特許文献１に述べられているように、近接するタグどうしが影響しあうという問題がある。
【０００９】
また、仮にその影響が抑えられたとしても、書類の複写の際、その書類用紙１枚毎の複写の時にも、リーダからの電波などが、複写の対象とされた特定の１枚の書類用紙だけに限らず他の書類用紙にも届くので、他の書類用紙に付けられた無線ＩＣタグもリーダへ応答をしかねず、複写対象の１枚についてだけが特定されてのリーダとのデータの授受ができないないという問題もある。それゆえ、このようなタグでは、そのタグを有した書類用紙が複数枚綴じられた書類においてその中の特定の書類用紙だけについて複写をするようなときには、その特定の書類用紙を１枚毎抜き出して原稿台に置く必要があり、かつ、抜き取られた元の綴りはそこに含まれるタグがリーダへ応答することを避けるために原稿台から距離を取って離しておく必要がある。
【００１０】
また、書類用紙が複写される１枚毎に原稿台に置かれるとしても、無線ＩＣタグは、リーダからの電波などを、その書類用紙が読取りに対しておもて面・裏面のいずれの面を向けているかにかかわらず同じように受けるので、例えば、書類用紙が両面印刷された印刷紙である場合にその書類用紙の裏面のみを複写したいときであっても、複写対象が書類用紙のおもて面であるか裏面であるかを区別した応答をすることができないという問題がある。そして、この問題は、従来構成のタグを印刷用紙に対してどのように貼付しようとも、すなわち、貼付の面を印刷用紙の片面のみならず両面共としても、また、貼付の方向・向きをいかようにしても、解決されない。それゆえ、このようなタグは、印刷用紙における両面印刷の用途・目的ではその用をなさない。
【００１１】
一方、特許文献１に示された無線ＩＣタグは、それが複数存在するときに、それらが同時に動作することを避け、かつ、順次に動作するための構成を有するものであるが、その使用の形態は、特許文献１の図２、図４及び図６〜図８に示されているように、それが収められた一定形状のケースなどによってその複数が積層され整列された状態で所定の位置に置かれることが想定されたものであり、複数のタグが積層され、受光素子などの位置が整列されている状態になければならない。それゆえ、書類用紙が複数枚綴じられた書類の形態においても書類用紙毎のタグ情報が読出せるものとすべく、仮にこのようなタグが印刷用紙に貼付されるとした場合、印刷用紙に対するタグの貼付の位置を精度よく揃える必要があり、また、複数枚が綴られた書類として書類用紙を束ねるときにも、書類用紙を同じ方向・向きとし、かつ、正確に位置を合わせて束ねる必要がある。
【００１２】
また、同無線ＩＣタグは、同第９ページに記載されているように、そのタグが収められ又は取付けられる物の表裏に関係なく使用できることもそのタグの目的としており、従ってタグの表裏を区別する機能を当然有せず、その物のおもて面側と裏面側との別に応じたデータの授受ができるようなものではないので、前述した特許文献２に示されたタグの場合と同様に、それが収められ又は取付けられる物の表裏を区別すべき用途・目的では利用できない。
【００１３】
このように、特許文献１に示された無線ＩＣタグは、それを、書類用紙が複数枚綴じられた書類の形態においても書類用紙のページ毎のタグ情報が読出せるようなものとするときには、これらの課題を生じるものであった。
【００１４】
加えて、特許文献１に示された無線ＩＣタグは、タグが収められ又は取付けられる物のおもて面及び裏面の両面において光を検出する構成として、同図３に、タグのおもて面及び裏面の両面に受光素子が備えられた構成が示されているが、この構成では受光素子が２つ必要である。これに対し、印刷用紙に貼付などされる用途のタグとしては、一般に、その印刷用紙自体が安価であり、それゆえ、回路規模及びコストがより抑えることのできる構成であることもさらに望まれるところであった。
【００１５】
本発明は、このような従来の課題などを解決するものであり、印刷用紙などの用途における、書類用紙が複数枚綴じられた書類の形態においても書類用紙毎のタグ情報を読出せ、また、さらに両面印刷がされた書類用紙では、その裏表の別を簡素な構成で検知して書類用紙のページ毎のタグ情報を読出すことができる無線ＩＣタグ、及びそのタグとの間で情報のやりとりを行うリーダ、並びに、そのタグが設けられた紙、及びその紙を書類用紙又は印刷用紙としたデジタル複合機などの情報処理装置を提供することを目的とする。
【課題を解決するための手段】
【００１６】
本発明は、上記目的を達成するために、有体物に付けられて又はその一部に含められて設けられ、情報の記憶ができ、かつ、電力が無線で供給され、そして、電磁誘導又は電波で、前記有体物の外部に存するリーダとの間でデータ通信を行って、当該タグが記憶する情報、その他のタグ情報を前記リーダとやりとりすることができる無線ＩＣタグを、当該タグが設けられた前記有体物に対する複数の所定の方向・向きのそれぞれにおける外光を互いに区別して受光することができる外光受光手段を含み備え、前記リーダからの所定の電波などを受けたとき、前記リーダとの情報のやりとりに関し、前記外光受光手段が前記外光を受光して得られたその受光信号に基づき、その受光信号によっては前記リーダへの応答を行わず、又は、やりとりする前記タグ情報を少なくともその一部にその受光信号に応じた受光情報を含むものとすることを特徴としたものとする。
【００１７】
また、有体物に付けられて又はその一部に含められて設けられ、情報の記憶ができ、かつ、電力が無線で供給され、そして、電磁誘導又は電波で、前記有体物の外部に存するリーダとの間でデータ通信を行って、当該タグが記憶する情報、その他のタグ情報を前記リーダとやりとりすることができる無線ＩＣタグを、当該部それぞれが、当該タグが設けられた前記有体物に対する所定の方向・向きから照射された光を、当該タグの内部へ透過させる複数の光透過部と、前記光透過部を透過した光を受光する１以上の受光素子とを含み備え、複数の前記光透過部は、それぞれ、光の透過率が、光が透過する方向に対した少なくとも一の方向において、一様ではなく、かつ、他のいずれとも互いに異なったパターンを成し、当該タグは、複数の前記光透過部のいずれかを透過した光を前記受光素子にて受光し、そして、前記リーダからの所定の電波などを受けたとき、前記リーダとの情報のやりとりに関し、光の透過率の成す前記パターンに対応した受光信号に基づき、その受光信号によっては前記リーダへの応答を行わず、又は、やりとりする前記タグ情報を少なくともその一部にその受光信号に応じた受光情報を含むものとすることを特徴としたものとしてもよい。
【００１８】
また、有体物に付けられて又はその一部に含められて設けられ、情報の記憶ができ、かつ、電力が無線で供給され、そして、電磁誘導又は電波で、前記有体物の外部に存するリーダとの間でデータ通信を行って、当該タグが記憶する情報、その他のタグ情報を前記リーダとやりとりすることができる無線ＩＣタグを、光に対する反射率が１次元又は２次元の方向において一様ではないパターンを成すように変えることができる面を所定の方向・向きに有した外光反射手段を含み備え、前記リーダからの所定の通信を受けて、その通信された情報に基づく所定のパターンを前記外光反射手段における前記面に現すことを特徴としたものとしてもよい。
【００１９】
また、有体物に付けられて又はその一部に含められて設けられ、情報の記憶ができ、かつ、電力が無線で供給され、さらに、前記有体物に対する複数の所定の方向・向きから照射される光を区別して受光する機能を有した無線ＩＣタグとの間で、電磁誘導又は電波でデータ通信が行え、前記無線ＩＣタグが記憶する情報、前記光の受光に係る受光情報その他のタグ情報をやりとりする無線ＩＣタグ・リーダを、前記タグ情報から、前記無線ＩＣタグが前記有体物に対する複数の所定の方向・向きから照射される光を区別して受光して得たその受光情報を抽出することができ、そして、その情報をもとに、前記有体物への光の照射の方向・向きを識別する光照射方向識別手段を含み備え、前記無線ＩＣタグとの間にて電波などでデータ通信を行って情報のやりとりをし、受信したタグ情報のおける受光情報をもとに、前記光照射方向識別手段によって前記有体物への光の照射の方向・向きを識別して、前記無線ＩＣタグが設けられた有体物の姿勢の方向・向きを特定することができることを特徴としたものとしてもよい。
【００２０】
また、紙などを媒体とした書類などについてその媒体面上の画像を読取るなどの処理を行う情報処理装置を、画像読取りの照明として照射域が前記媒体の一の面において一定の方向に相対的に移動され又は走査される光を照射する照明手段と、前記照明手段による光を前記媒体への照明光としてその媒体面上の画像を光学的に読取る画像読取り部と、前記媒体に付けられて又はその一部に含められて設けられ、情報の記憶ができ、かつ、電力が無線で供給され、さらに、前記媒体に対する複数の所定の方向・向きから照射される光を区別して受光する機能を有した無線ＩＣタグとの間で、電磁誘導又は電波でデータ通信が行え、前記無線ＩＣタグが記憶する情報、前記光の受光に係る受光情報その他のタグ情報をやりとりする無線ＩＣタグ・リーダと、前記タグ情報から、前記無線ＩＣタグが前記媒体に対する複数の所定の方向・向きから照射される光を区別して受光して得たその受光情報を抽出することができ、そして、その情報をもとに、前記媒体への光の照射の方向・向きを識別する光照射方向識別手段とを含み備え、前記無線ＩＣタグとの間にて電波などでデータ通信を行って情報のやりとりをし、受信したタグ情報のおける受光情報をもとに、前記光照射方向識別手段によって前記媒体への前記照明光の照射の方向・向きを識別して、前記無線ＩＣタグが設けられた媒体の姿勢の方向・向きを特定することができることを特徴としたものとしてもよい。
【００２１】
また、光に対する反射率が１次元又は２次元の方向において一様ではないパターンを成すように変えることができる面を所定の方向・向きに有した無線ＩＣタグが設けられた紙などを媒体とした書類などについてその媒体面上の画像を読取るなどの処理を行う情報処理装置を、画像読取りの照明として照射域が前記媒体の一の面において一定の方向に相対的に移動され又は走査される光を照射する照明手段と、前記照明手段による光を前記媒体への照明光としてその媒体面上の画像を光学的に読取る画像読取り部と、前記画像内から特定のパターンを抽出してそのパターンが表わした情報を認識するパターン認識手段と、前記媒体に付けられて又はその一部に含められて設けられ、情報の記憶ができ、かつ、電力が無線で供給される無線ＩＣタグとの間で、電磁誘導又は電波でデータ通信が行え、前記無線ＩＣタグが記憶する情報その他のタグ情報をやりとりする無線ＩＣタグ・リーダと、を含み備え、前記無線ＩＣタグ・リーダが、前記無線ＩＣタグに対し、光に対する反射率が１次元又は２次元の方向において一様ではない所定のパターンを成すよう指示する通信を行った後、前記パターン認識手段がその所定のパターンを抽出してそのパターンが表わした情報を認識できたとき、その認識された情報に基づきその無線ＩＣタグとそのタグ情報のやりとりを行うことを特徴としたものとしてもよい。
【００２２】
また、画像を紙などの媒体に印刷出力するなどの処理を行う情報処理装置を、前記媒体を搬送して当該装置の外部へ送り出す媒体搬送手段と、前記媒体に付けられて又はその一部に含められて設けられ、情報の記憶ができ、かつ、電力が無線で供給され、さらに、前記媒体に対する複数の所定の方向・向きから照射される光を区別して受光する機能を有した無線ＩＣタグとの間で、電磁誘導又は電波でデータ通信が行え、前記無線ＩＣタグが記憶する情報、前記光の受光に係る受光情報その他のタグ情報をやりとりする無線ＩＣタグ・リーダと、前記媒体への印刷がされる面へ光を照射する光照射手段とを含み備え、印刷出力の際、前記媒体搬送手段が前記媒体を搬送している時に前記光照射手段が光を照射し、そのもとで、前記タグ情報における少なくとも前記無線ＩＣタグが記憶する情報についてのやりとりを行うことを特徴としたものとしてもよい。
【発明の効果】
【００２３】
本発明は、リーダからの所定の電波などを受けたとき、リーダとの情報のやりとりに関し、外光を受光して得られた受光信号に基づき、その受光信号によってはリーダへの応答を行わず、又は、やりとりするタグ情報を少なくともその一部にその受光信号に応じた受光情報を含むものとすることで、無線ＩＣタグは、それが１つであっても、そのタグが設けられた有体物（例えば印刷紙などの書類用紙）への外光となる照明光の方向・向きを変えることによって、タグ情報を、外光を受光できる方向・向きの数だけ、その照明光の方向・向き毎に、それぞれ異なるものとすることができる。
【００２４】
そして、照明の方向・向きを所定のものとすれば、その方向・向きに対して、そのタグが設けられた有体物（例えば書類用紙）の置かれた方向・向きによって、タグ情報を、外光を受光できる方向の数だけ、有体物の置かれた方向・向き毎（例えば書類用紙の裏表の面毎）に、それぞれ異なるものとすることができる。従って、リーダは、書類用紙などの有無が検知できると共に、その照射方向・向きを予め所定のものとしておくことで、その書類用紙などが置かれた方向・向き（例えば書類用紙のおもて面又は裏面の面した向き）についても同時に知ることができる。
【００２５】
また、このような無線ＩＣタグは、それが設けられた例えば書類用紙が複数枚束ねられた書類の場合においても、その書類の複写が行われるとき、書類の読取りのための照明光が当てられる原稿台に面した書類用紙のタグのみがその照明光に反応してリーダへ応答し、所定の照明条件下にない他の書類用紙のタグは応答しないものとできるので、電波などを受けた複数のタグでのデータの衝突がなく、所定の照明条件下にあるタグのみの検出を可能とすることができ、そして、その複写を行う者は、複写の際、書類を１枚毎に分けることなく、書類用紙の束のまま原稿台に置くことができる。
【００２６】
また、複数の光透過部は、それぞれ、光の透過率が、光が透過する方向に対した少なくとも一の方向において、一様ではなく、かつ、他のいずれとも互いに異なったパターンを成し、当該タグは、複数の光透過部のいずれかを透過した光を受光素子にて受光し、そして、リーダからの所定の電波などを受けたとき、リーダとの情報のやりとりに関し、光の透過率の成すパターンに対応した受光信号に基づき、その受光信号によってはリーダへの応答を行わず、又は、やりとりするタグ情報を少なくともその一部にその受光信号に応じた受光情報を含むものとすることで、無線ＩＣタグは、そのタグが付けられた有体物（例えば書類用紙）へ光が時刻と共に移動しながら照射されるとき、受光素子での受光状態の時間的変化を各光透過部における光の透過率のパターンに応じてそれぞれ異なったものにできるので、受光素子が１つであってもその受光状態の時間的変化によって光の照射の方向・向きを区別することができる。
【００２７】
そして、デジタル複合機などでは、文書の複写の際、一般に、スキャナによってその紙面上の画像を読取られる書類用紙に対して照明が相対的に移動しながら当てられるので、従って、その書類用紙に設けられた無線ＩＣタグは、受光素子での受光状態の時間的変化の違いによってスキャナの読取りに対する書類用紙の裏表の向きを区別することができ、そして、その区別に係る情報をリーダに対して伝えることができ、一方、そのリーダは、書類用紙などの有無が検知できると共に、照射の方向・向きを予め所定のものとしておくことで、その書類用紙などが置かれた方向・向き（例えば書類用紙のおもて面又は裏面の面した向き）についても同時に知ることができる。
【００２８】
また、無線ＩＣタグが、光に対する反射率が１次元又は２次元の方向において一様ではないパターンを成すように変えることができる面を所定の方向・向きに有した外光反射手段を備えることで、情報を、電磁誘導又は電波でのデータ通信によって他へ伝達できるほか、面にて反射された光がその面上の各所における反射率の差異によって成すパターンでもっても伝達することができるので、タグ情報を、光の照射が行われたときのみ、又は光を受光したときのみやりとりすることができる無線ＩＣタグとすることができる。
【００２９】
また、無線ＩＣタグとの間にて電波などでデータ通信を行って情報のやりとりをし、受信したタグ情報のおける受光情報をもとに、有体物への光の照射の方向・向きを識別して、タグが設けられた有体物の姿勢の方向・向きを特定することができることで、リーダは、タグが設けられた、例えば、紙、フィルムその他の書類用媒体の裏表の検出、及び、書類用紙などにおいて複数束ねられた形態で使用されるときの、その束の表面にある書類用紙の面の検出が行える。
【００３０】
また、無線ＩＣタグとの間にて電波などでデータ通信を行って情報のやりとりをし、受信したタグ情報のおける受光情報をもとに、光照射方向識別手段によって媒体への照明光の照射の方向・向きを識別して、タグが設けられた媒体の姿勢の方向・向きを特定することで、デジタル複合機などの情報処理装置は、タグが設けられた、例えば、紙、フィルムその他の書類用媒体の裏表の検出、及び、書類用紙などにおいて複数束ねられた形態で使用されるときの、その束の表面にある書類用紙の面の検出が行える。
【００３１】
また、無線ＩＣタグ・リーダが、無線ＩＣタグに対し、光に対する反射率が１次元又は２次元の方向において一様ではない所定のパターンを成すよう指示する通信を行った後、パターン認識手段がその所定のパターンを抽出してそのパターンが表した情報を認識できたとき、その認識された情報に基づきその無線ＩＣタグとそのタグ情報のやりとりを行うことで、無線ＩＣタグからの情報を、電磁誘導又は電波でのデータ通信によって得るほか、無線ＩＣタグのパターンでもっても得ることができるので、タグ情報を、光の照射が行われたときのみ、又は光を受光したときのみやりとりすることができる。
【００３２】
また、印刷出力の際、媒体搬送手段が媒体を搬送している時に光照射手段が光を照射し、そのもとで、タグ情報における少なくとも無線ＩＣタグが記憶する情報についてのやりとりを行うことで、プリンタなどの情報処理装置は、複数の方向・向きについて、光の透過率が互いに異なるパターンを有したタグに対して、そのパターンに応じた受光状態の区別を可能とさせる光の照射を行うことができ、その照射光を受光したタグでの受光信号に応じた受光情報を含むタグ情報を、タグへ書込み又はタグから読出してやりとりすることができる。
【００３３】
このように、バーコードよりも遙かに多くのデータが扱える無線ＩＣタグを、物の裏表の検出ができ、そして、印刷用紙などにおいて複数束ねられた形態で使用されるときでも、その束の表面にある書類用紙の面についての情報を伝えることができるものとして提供できるという効果を奏する。
【発明を実施するための最良の形態】
【００３４】
本発明の実施の第１の形態は、有体物に付けられて又はその一部に含められて設けられ、情報の記憶ができ、かつ、電力が無線で供給され、そして、電磁誘導又は電波で、前記有体物の外部に存するリーダとの間でデータ通信を行って、タグ情報を前記リーダとやりとりすることができる無線ＩＣタグである。ここで、タグ情報は、当該タグが記憶する情報、その他の情報である。その他の情報とは、例えば当該タグが生成した情報である。この無線ＩＣタグは、例えば、印刷紙などの書類用紙、その他の有体物に設ける。この無線ＩＣタグは、いわゆるＩＣカードの場合では、そのカード本体であるプラスチック・カードに設けることができる。この無線ＩＣタグは、当該タグが設けられた前記有体物に対する複数の所定の方向・向きのそれぞれにおける外光を互いに区別して受光することができる外光受光手段を含み備える。タグを例えば書類用紙に設けたときであれば、外光受光手段は、その書類用紙の面内における所定の方向やその面に対する所定の向きそれぞれにおける外光を互いに区別して受光する。そして、この無線ＩＣタグは、前記リーダからの所定の電波などを受けたとき、前記リーダとの情報のやりとりに関し、前記外光受光手段が前記外光を受光して得られたその受光信号に基づき、その受光信号によっては前記リーダへの応答を行わず、又は、やりとりする前記タグ情報を少なくともその一部にその受光信号に応じた受光情報を含んだものにする。
【００３５】
このような構成によって、リーダからの所定の電波などを受けたとき、リーダとの情報のやりとりに関し、外光を受光して得られた受光信号に基づき、その受光信号によってはリーダへの応答を行わず、又は、やりとりするタグ情報を少なくともその一部にその受光信号に応じた受光情報を含んだものにすることで、無線ＩＣタグは、それが１つであっても、そのタグが設けられた有体物への外光となる照明光の方向・向きを変えることによって、タグ情報を、外光を受光できる方向・向きの数だけ、その照明光の方向・向き毎に、それぞれ異なるものとすることができる。
【００３６】
そして、照明の方向・向きを所定のものとすれば、その方向・向きに対して、そのタグが設けられた有体物（例えば書類用紙）の置かれた方向・向きによって、タグ情報を、外光を受光できる方向の数だけ、有体物の置かれた方向・向き毎（例えば書類用紙の裏表の面毎）に、それぞれ異なるものとすることができる。例えば、その有体物の置かれた方向・向きによってそれぞれ異なるタグ情報をタグが出力することができる。従って、リーダは、書類用紙などの有無が検知できると共に、その照射方向・向きを予め所定のものとしておくことで、その書類用紙などが置かれた方向・向き（例えば書類用紙のおもて面又は裏面の面した向き）についても同時に知ることができる。
【００３７】
また、このような無線ＩＣタグは、それが設けられた例えば書類用紙が複数枚束ねられた書類の場合においても、その書類の複写が行われるとき、書類の読取りのための照明光が当てられる原稿台に面した書類用紙のタグのみがその照明光に反応してリーダへ応答し、所定の照明条件下にない他の書類用紙のタグは応答しないものとできるので、電波などを受けた複数のタグでのデータの衝突がなく、所定の照明条件下にあるタグのみの検出を可能とすることができ、そして、その複写を行う者は、複写の際、書類を１枚毎に分けることなく、書類用紙の束のまま原稿台に置くことができる。
【００３８】
このように、無線ＩＣタグにおいて、物の裏表の検出ができ、そして、印刷用紙などにおいて複数束ねられた形態で使用されるときでも、その束の表面にある書類用紙の面についての情報を伝えることができる。
【００３９】
本発明の実施の第２の形態は、実施の第１の形態において、前記外光受光手段を、当該素子それぞれが前記所定の方向・向きに向いた複数の受光素子としたものである。
【００４０】
このような構成によって、外光受光手段を、当該素子それぞれが所定の方向・向きに向いた複数の受光素子とすることで、複数の方向・向きについて、それぞれの方向・向きを区別して、その方向・向きにおける外光を簡易に検出することができる。
【００４１】
本発明の実施の第３の形態は、実施の第１の形態において、前記外光受光手段を、当該部それぞれが前記所定の方向・向きから照射された光を当該タグの内部へ透過させる複数の光透過部と、当該素子それぞれが前記光透過部の一に対応してその対応した前記光透過部を透過した光を受光する複数の受光素子とからなるものとしたものである。
【００４２】
このような構成によって、外光受光手段を、当該部それぞれが所定の方向・向きから照射された光を当該タグの内部へ透過させる複数の光透過部と、当該素子それぞれが光透過部の一に対応してその対応した光透過部を透過した光を受光する複数の受光素子とからなるものとすることで、光透過部に光ファーバーなどの光を任意な経路にて導く導光手段を用いて、外光を受光素子へ導くことができるので、受光素子の取付けをタグにおいて任意な方向・向きに構成できる。また、外光を受けて取込む位置をその他の構成要素群から離した構造とすることもできる。
【００４３】
本発明の実施の第４の形態は、有体物に付けられて又はその一部に含められて設けられ、情報の記憶ができ、かつ、電力が無線で供給され、そして、電磁誘導又は電波で、前記有体物の外部に存するリーダとの間でデータ通信を行って、当該タグが記憶する情報、その他のタグ情報を前記リーダとやりとりすることができる無線ＩＣタグであって、複数の光透過部と、１以上の受光素子とを含み備える。この無線ＩＣタグは、複数の光透過部それぞれが、当該タグが設けられた前記有体物に対する所定の方向・向きから照射された光を、当該タグの内部へ透過させ、１以上の受光素子が、光透過部を透過した光を受光する。ここで、各光透過部は、光の透過率が、光が透過する方向に対した少なくとも一の方向において、一様ではなく、かつ、他のいずれとも互いに異なったパターンを成しており、当該タグは、複数の前記光透過部のいずれかを透過した光を前記受光素子にて受光する。そして、この無線ＩＣタグは、前記リーダからの所定の電波などを受けたとき、前記リーダとの情報のやりとりに関し、光の透過率の成す前記パターンに対応した受光信号に基づき、その受光信号によっては前記リーダへの応答を行わず、又は、やりとりする前記タグ情報を少なくともその一部にその受光信号に応じた受光情報を含んだものにする。
【００４４】
このような構成によって、複数の光透過部は、それぞれ、光の透過率が、光が透過する方向に対した少なくとも一の方向において、一様ではなく、かつ、他のいずれとも互いに異なったパターンを成し、当該タグは、複数の光透過部のいずれかを透過した光を受光素子にて受光し、そして、リーダからの所定の電波などを受けたとき、リーダとの情報のやりとりに関し、光の透過率の成すパターンに対応した受光信号に基づき、その受光信号によってはリーダへの応答を行わず、又は、やりとりするタグ情報を少なくともその一部にその受光信号に応じた受光情報を含んだものにすることで、無線ＩＣタグは、そのタグが付けられた有体物（例えば書類用紙）へ光が時刻と共に移動しながら照射されるとき、受光素子での受光状態の時間的変化を各光透過部における光の透過率のパターンに応じてそれぞれ異なったものにできるので、受光素子が１つであってもその受光状態の時間的変化によって光の照射の方向・向きを区別することができる。
【００４５】
そして、デジタル複合機などでは、文書の複写の際、一般に、スキャナによってその紙面上の画像を読取られる書類用紙に対して照明が相対的に移動しながら当てられるので、従って、その書類用紙に設けられた無線ＩＣタグは、受光素子での受光状態の時間的変化の違いによってスキャナの読取りに対する書類用紙の裏表の向きを区別することができ、そして、その区別に係る情報をリーダに対して伝えることができ、一方、そのリーダは、書類用紙などの有無が検知できると共に、照射の方向・向きを予め所定のものとしておくことで、その書類用紙などが置かれた方向・向き（例えば書類用紙のおもて面又は裏面の面した向き）についても同時に知ることができる。
【００４６】
また、このような無線ＩＣタグは、それが設けられた例えば書類用紙が複数枚束ねられた書類の場合においても、その書類の複写が行われるとき、書類の読取りのための照明光が当てられる原稿台に面した書類用紙のタグのみがその照明光に反応してリーダへ応答し、所定の照明条件下にない他の書類用紙のタグは応答しないものとできるので、電波などを受けた複数のタグでのデータの衝突がなく、所定の照明条件下にあるタグのみの検出を可能とすることができ、そして、その複写を行う者は、複写の際、書類を１枚毎に分けることなく、書類用紙の束のまま原稿台に置くことができる。
【００４７】
このように、無線ＩＣタグにおいて、物の裏表の検出ができ、そして、印刷用紙などにおいて複数束ねられた形態で使用されるときでも、その束の表面にある書類用紙の面についての情報を伝えることができる。
【００４８】
本発明の実施の第５の形態は、実施の第４の形態において、前記光透過部は、光の透過率が、その光が透過する方向に対した２つの互いに直交する方向それぞれに前記パターンを成したものである。
【００４９】
このような構成によって、光透過部を、光の透過率が、その光が透過する方向に対した２つの互いに直交する方向それぞれに前記パターンを成したものとすることで、パターンをそれらの２つにおいて同じものとして、無線ＩＣタグは、そのタグが付けられた有体物（例えば書類用紙）へ光が時刻と共に移動しながら照射されるとき、例えば、スキャナの読取りに対する書類用紙の縦横の向きにかかわらず受光素子での受光状態の時間的変化を同じとすることができるので、書類用紙がスキャナの読取りに対して縦横のいずれの方向に置かれても、前述した書類用紙の裏表の別をリーダに対して伝えることができる。
【００５０】
また、パターンをそれらの２つの間で異なるものとすれば、受光素子での受光状態の時間的変化の違いによってスキャナの読取りに対する書類用紙の縦横の向きを区別することもできる。
【００５１】
本発明の実施の第６の形態は、実施の第４の形態において、光の透過率が成した前記パターンを、そのパターンの成す方向におけるその一端側と他端側との間で、それらの中央を横切る軸に対して線対称としたものである。
【００５２】
このような構成によって、光の透過率が成したパターンを、そのパターンの成す方向におけるその一端側と他端側との間で、それらの中央を横切る軸に対して線対称とすることで、前述の無線ＩＣタグに照射される光の移動の向きに対して逆の向きにおいても、リーダの受光素子が検出する光量変化のパターンが同一となり、リーダにおけるパターンの判別処理が容易となる。例えば、タグが印刷用紙などに付けられる場合、その書類用紙がデジタル複合機などの原稿台に置かれるとき、その置かれる向きが、いわゆる天地いずれの向きであっても、リーダの受光素子が検出する光量変化のパターンが同一なので、リーダは、パターンの判別処理が容易となる。
【００５３】
本発明の実施の第７の形態は、実施の第４の形態において、光の透過率が成した前記パターンを、そのパターンの成す方向における端部での光の透過率が、複数の前記光透過部の全てについて同じとしたものである。
【００５４】
このような構成によって、光の透過率が成したパターンを、そのパターンの成す方向における端部での光の透過率が、複数の光透過部の全てについて同じとすることで、無線ＩＣタグ又はリーダは、光がいずれの光透過部を透過したかを判別する際、タグへ照射された光の量の絶対値の多少（照明光量、タグの印刷用紙などへの取付け形態その他の影響）を、受光が始まった時点での受光量をもって知ることができ、照明光量、タグの印刷用紙などへの取付け形態その他の影響を排除することができ、受光素子での受光量の時間的変化とパターンとの対応に基づく光透過部の判別を安定して行うことができる。
【００５５】
本発明の実施の第８の形態は、有体物に付けられて又はその一部に含められて設けられ、情報の記憶ができ、かつ、電力が無線で供給され、そして、電磁誘導又は電波で、前記有体物の外部に存するリーダとの間でデータ通信を行って、当該タグが記憶する情報、その他のタグ情報を前記リーダとやりとりすることができる無線ＩＣタグである。この無線ＩＣタグは、光に対する反射率が１次元又は２次元の方向において一様ではないパターンを成すように変えることができる面を所定の方向・向きに有した外光反射手段を含み備え、リーダからの所定の通信を受けて、その通信された情報に基づく所定のパターンを前記外光反射手段における前記面に現す。
【００５６】
このような構成によって、無線ＩＣタグが、光に対する反射率が１次元又は２次元の方向において一様ではないパターンを成すように変えることができる面を所定の方向・向きに有した外光反射手段を備えることで、情報を、電磁誘導又は電波でのデータ通信によって他へ伝達できるほか、面にて反射された光がその面上の各所における反射率の差異によって成すパターンでもっても伝達することができるので、タグ情報を、光の照射が行われたときのみ、又は光を受光したときのみやりとりすることができる無線ＩＣタグとすることができる。
【００５７】
本発明の実施の第９の形態は、実施の第８の形態において、前記外光反射手段を複数備えてそれぞれの前記パターンが成される前記面が所定の方向・向きに面したものである、又は、一の前記外光反射手段が前記面を複数有してその各面が所定の方向・向きに面したものである。
【００５８】
このような構成によって、外光反射手段を複数備えてそれぞれのパターンが成される面が所定の方向・向きに面したものである、又は、位置の外光反射手段が前記面を複数有してその各面が所定の方向・向きに面したものであるとすることで、それぞれの方向・向きを区別したパターンでもって情報を伝達することができる。
【００５９】
本発明の実施の第１０の形態は、実施の第８の形態において、前記パターンが成される前記面は、光に対する反射率が１次元又は２次元の方向において一様ではない前記パターンを液晶にて成すものである。
【００６０】
このような構成によって、パターンが成される面が、光に対する反射率が１次元又は２次元の方向において一様ではないパターンを液晶にて成すものであるので、液晶に形成させるパターンを電気的に変えることができるので、外部からの指示を受けるなどしてパターンを任意かつ容易に変えることができる。
【００６１】
本発明の実施の第１１の形態は、実施の第８の形態において、前記外光反射手段が成す前記パターンは、１次元又は２次元のバーコード模様である。
【００６２】
このような構成によって、外光反射手段が成すパターンを１次元又は２次元のバーコード模様とすることで、光に対する反射率が１次元又は２次元の方向において一様ではないパターンを簡単に構成でき、さらにそのバーコード模様を既定の仕様に従ったものとすることで、無線ＩＣタグを、その仕様を採用した他のシステムでの利用も可能なものにできる。
【００６３】
本発明の実施の第１２の形態は、実施の第１又は第４の形態において、複数の前記所定の方向・向きが、前記有体物のおもて面が面した向きと、その裏面が面した向きとであるものである。
【００６４】
このような構成によって、複数の所定の方向・向きが、有体物のおもて面が面した向きと、その裏面が面した向きとであることで、無線ＩＣタグを印刷用紙や書類用紙などの薄いシート状の物へ設けることが容易にでき、そのタグによってその物の置かれた裏表の向きの区別を知ることができる。
【００６５】
本発明の実施の第１３の形態は、実施の第１、第４又は第９の形態において、前記受光情報が、前記受光信号のその内容自体を示す受光信号情報、又はその受光信号情報を含んだものである。
【００６６】
このような構成によって、受光情報を、受光信号のその内容自体を示す受光信号情報、又はその受光信号情報を含んだものとすることで、そして、この場合においても、無線ＩＣタグ・リーダにてその受光信号情報を処理して所望の情報を得ることができるので、タグにおける情報処理の規模の増大及びタグのコストアップを抑えつつ、機能の拡大が図られる。
【００６７】
本発明の実施の第１４の形態は、実施の第１又は第４の形態において、光を受けて電圧又は電流を発生する受光素子と、電荷を蓄える蓄電手段とを含み備え、前記受光素子によって得られる電力を前記蓄電手段に蓄えて当該タグの電気回路のための電力の少なくとも一部とするものである。
【００６８】
このような構成によって、受光素子によって得られる電力を蓄電手段に蓄えて無線ＩＣタグの電気回路のための電力の少なくとも一部とすることで、互いに近接して多数のタグが存在する形態でのリーダの読取りなどにおいて、タグに内蔵されたアンテナ間の相互インダクタンスの影響によりＩＣが作動するのに十分な電力を受電できない状態となっても、当該タグ内の回路に電力を供給して動作させることができ、また、電波などだけによる場合よりも、より十分な電力が得られ、さらに、電波などが無い状態においても外光によって電力を蓄えることができるので、タグの電源能力を余力のあるものとして、その電気回路動作を安定させ、また時間を要する処理の取扱いを可能とし、また回路機能のさらなる拡張を容易にできる。
【００６９】
本発明の実施の第１５の形態は、実施の第１から第１４の各形態に示した無線ＩＣタグを設けた紙、フィルムその他の書類用媒体である。
【００７０】
このような構成によって、紙、フィルムその他の書類用媒体に、実施の第１から第１４の各形態に示した無線ＩＣタグを設けることで、タグへの光の照射の方向・向きによって、リーダによる、媒体の裏表の検出、及び、書類などにおいて複数束ねられた形態で使用されるときの、その束の表面にある書類用紙の面の検出を可能にできる。そして、書類用紙が複数枚束ねられた書類の場合でも、その書類用紙の１面を複写するとき、照明光が当てられる原稿台に面した書類用紙のタグのみが動作できるので、１枚毎に分けることなく、書類用紙の束のまま原稿台に置く使用ができる。
【００７１】
このように、バーコードよりも遙かに多くのデータが保持でき、かつ無線で伝送でき、また、書類用紙の裏表の検出ができ、そして、複数束ねられた形態で使用されるときでも、その束の表面にある書類用紙の面についての情報を伝えることができる書類用紙が提供できる。
【００７２】
本発明の実施の第１６の形態は、有体物に付けられて又はその一部に含められて設けられ、情報の記憶ができ、かつ、電力が無線で供給され、さらに、前記有体物に対する複数の所定の方向・向きから照射される光を区別して受光する機能を有した無線ＩＣタグとの間で、電磁誘導又は電波でデータ通信が行え、前記無線ＩＣタグが記憶する情報、前記光の受光に係る受光情報その他のタグ情報をやりとりする無線ＩＣタグ・リーダであって、前記タグ情報から、前記無線ＩＣタグが前記有体物に対する複数の所定の方向・向きから照射される光を区別して受光して得たその受光情報を抽出することができ、そして、その情報をもとに、前記有体物への光の照射の方向・向きを識別する光照射方向識別手段を含み備え、前記無線ＩＣタグとの間にて電波などでデータ通信を行って情報のやりとりをし、受信したタグ情報のおける受光情報をもとに、前記光照射方向識別手段によって前記有体物への光の照射の方向・向きを識別して、前記無線ＩＣタグが設けられた有体物の姿勢の方向・向きを特定することができるものである。
【００７３】
このような構成によって、無線ＩＣタグとの間にて電波などでデータ通信を行って情報のやりとりをし、受信したタグ情報における受光情報をもとに、有体物への光の照射の方向・向きを識別して、タグが設けられた有体物の姿勢の方向・向きを特定することができることで、リーダは、タグが設けられた、例えば、紙、フィルムその他の書類用媒体の裏表の検出、及び、書類などにおいて複数束ねられた形態で使用されるときの、その束の表面にある書類用紙の面の検出が行える。
【００７４】
本発明の実施の第１７の形態は、実施の第１６の形態において、照射域が有体物の一の面において一定の方向に相対的に移動され又は走査される光を照射する光照射手段を含み備えたものである。
【００７５】
このような構成によって、照射域が有体物の一の面において一定の方向に相対的に移動され又は走査される光を照射することで、リーダは、複数のその方向・向きについて、光の透過率が互いに異なるパターンを有したタグに対して、そのパターンに応じた受光状態の区別を可能とさせる光の照射を行うことができ、その照射光を受光したタグでの受光信号に応じた受光情報を含むタグ情報を、タグとやりとりすることができる。
【００７６】
本発明の実施の第１８の形態は、紙などを媒体とした書類などについてその媒体面上の画像を読取るなどの処理を行う情報処理装置である。この情報処理装置は、画像読取りの照明として照射域が前記媒体の一の面において一定の方向に相対的に移動され又は走査される光を照射する照明手段と、前記照明手段による光を前記媒体への照明光としてその媒体面上の画像を光学的に読取る画像読取り部と、前記媒体に付けられて又はその一部に含められて設けられ、情報の記憶ができ、かつ、電力が無線で供給され、さらに、前記媒体に対する複数の所定の方向・向きから照射される光を区別して受光する機能を有した無線ＩＣタグとの間で、電磁誘導又は電波でデータ通信が行え、前記無線ＩＣタグが記憶する情報、前記光の受光に係る受光情報その他のタグ情報をやりとりする無線ＩＣタグ・リーダと、前記タグ情報から、前記無線ＩＣタグが前記媒体に対する複数の所定の方向・向きから照射される光を区別して受光して得たその受光情報を抽出することができ、そして、その情報をもとに、前記媒体への光の照射の方向・向きを識別する光照射方向識別手段とを含み備え、前記無線ＩＣタグとの間にて電波などでデータ通信を行って情報のやりとりをし、受信したタグ情報のおける受光情報をもとに、前記光照射方向識別手段によって前記媒体への前記照明光の照射の方向・向きを識別して、前記無線ＩＣタグが設けられた媒体の姿勢の方向・向きを特定することができる。
【００７７】
このような構成によって、無線ＩＣタグとの間にて電波などでデータ通信を行って情報のやりとりをし、受信したタグ情報における受光情報をもとに、光照射方向識別手段によって媒体への照明光の照射の方向・向きを識別して、タグが設けられた媒体の姿勢の方向・向きを特定することで、デジタル複合機などの情報処理装置は、タグが設けられた、例えば、紙、フィルムその他の書類用媒体の裏表の検出、及び、書類などにおいて複数束ねられた形態で使用されるときの、その束の表面にある書類用紙の面の検出が行える。
【００７８】
本発明の実施の第１９の形態は、光に対する反射率が１次元又は２次元の方向において一様ではないパターンを成すように変えることができる面を所定の方向・向きに有した無線ＩＣタグが設けられた紙などを媒体とした書類などについてその媒体面上の画像を読取るなどの処理を行う情報処理装置である。この情報処理装置は、画像読取りの照明として照射域が前記媒体の一の面において一定の方向に相対的に移動され又は走査される光を照射する照明手段と、前記照明手段による光を前記媒体への照明光としてその媒体面上の画像を光学的に読取る画像読取り部と、前記画像内から特定のパターンを抽出してそのパターンが表わした情報を認識するパターン認識手段と、前記媒体に付けられて又はその一部に含められて設けられ、情報の記憶ができ、かつ、電力が無線で供給される無線ＩＣタグとの間で、電磁誘導又は電波でデータ通信が行え、前記無線ＩＣタグが記憶する情報その他のタグ情報をやりとりする無線ＩＣタグ・リーダと、を含み備え、前記無線ＩＣタグ・リーダが、前記無線ＩＣタグに対し、光に対する反射率が１次元又は２次元の方向において一様ではない所定のパターンを成すよう指示する通信を行った後、前記パターン認識手段がその所定のパターンを抽出してそのパターンが表わした情報を認識できたとき、その認識された情報に基づきその無線ＩＣタグとそのタグ情報のやりとりを行う。
【００７９】
このような構成によって、無線ＩＣタグ・リーダが、無線ＩＣタグに対し、光に対する反射率が１次元又は２次元の方向において一様ではない所定のパターンを成すよう指示する通信を行った後、パターン認識手段がその所定のパターンを抽出してそのパターンが表した情報を認識できたとき、その認識された情報に基づきその無線ＩＣタグとそのタグ情報のやりとりを行うことで、情報処理装置は、自らの指示に応答する無線ＩＣタグを選択することができ、さらには、そのようなタグからの情報を、電磁誘導又は電波でのデータ通信によって得るほか、無線ＩＣタグのパターンでもっても得ることができる。
【００８０】
本発明の実施の第２０の形態は、画像を紙などの媒体に印刷出力するなどの処理を行う情報処理装置であって、前記媒体を搬送して当該装置の外部へ送り出す媒体搬送手段と、前記媒体に付けられて又はその一部に含められて設けられ、情報の記憶ができ、かつ、電力が無線で供給され、さらに、前記媒体に対する複数の所定の方向・向きから照射される光を区別して受光する機能を有した無線ＩＣタグとの間で、電磁誘導又は電波でデータ通信が行え、前記無線ＩＣタグが記憶する情報、前記光の受光に係る受光情報その他のタグ情報をやりとりする無線ＩＣタグ・リーダと、前記媒体への印刷がされる面へ光を照射する光照射手段とを含み備え、印刷出力の際、前記媒体搬送手段が前記媒体を搬送している時に前記光照射手段が光を照射し、そのもとで、前記タグ情報における少なくとも前記無線ＩＣタグが記憶する情報についてのやりとりを行うものである。
【００８１】
このような構成によって、印刷出力の際、媒体搬送手段が媒体を搬送している時に光照射手段が光を照射し、そのもとで、タグ情報における少なくとも無線ＩＣタグが記憶する情報についてのやりとりを行うことで、プリンタなどの情報処理装置は、複数の方向・向きについて、光の透過率が互いに異なるパターンを有したタグに対して、そのパターンに応じた受光状態の区別を可能とさせる光の照射を行うことができ、その照射光を受光したタグでの受光信号に応じた受光情報を含むタグ情報を、タグへ書込み又はタグから読出してやりとりすることができる。
【００８２】
本発明の実施の第２１の形態は、実施の第２０の形態において、機密情報を含んだ又は機密情報に関連した情報の印刷出力の処理において、機密情報についてはそれ自体又はその機密情報へのアクセスのための情報を前記無線ＩＣタグに記憶させ、そして、紙などの前記媒体上には機密に係るものを除いた情報を画像として印刷することを特徴とするものである。
【００８３】
このような構成によって、機密情報についてはそれ自体又はその機密情報へのアクセスのための情報（例えば、機密情報がネットワーク上のサイトなどに置かれているときのそのネットワークアドレス、サイト名、ファイル名、パスワード等）を無線ＩＣタグに記憶させ、かつ、紙などの前記媒体上には機密に係るものを除いた情報を画像として印刷することで、何人にも視認可能な画像としては機密情報を除いた情報に限り、機密情報はセキュリティ機能を有したタグに記憶させて配布することができる印刷物を作製することができる。
【００８４】
例えば、そのようなタグが設けられた印刷物を、リーダを備えていない複写機で複写したとき、又は、機密情報に対するパスワードなどを知らずに複写したときには、タグ内に記録されている機密情報は可視画像化されることなく、一般的な複写同様に視認可能な画像のみが複写される。一方、機密情報に対するパスワードなどを知る者は、視認可能な画像に重ねて機密情報も可視画像化させた複写や、機密情報のみを別の書面として印刷させたりなどできる。このとき、そのパスワードが有する機密情報に対する権限レベルなどに応じてその権限に係る機能を種々異なるものとすることもできる。
【００８５】
そして、このような印刷物についてもその裏表の面毎に異なるセキュリティを掛けるなどして（例えばネットワークアドレス、パスワード、その他が異なる）、機密情報を印刷物の裏表の別によってそこに印刷された画像と関連付けて、特定の者のみに開示することなどができる。
【実施例】
【００８６】
以下、本発明の各実施例について図面を用いて説明する。
【００８７】
（第１の実施例）
本実施例では、本発明に係る無線ＩＣタグ（本実施例において、単に本タグとも呼ぶ）であって、無線電波でリーダとのデータ通信を行うことができ、また本タグの裏表の面それぞれに受光素子を備えたものが、印刷用紙、印刷紙その他の書類用の紙などの記録媒体（書類用紙）に埋め込まれて設けられた例について説明する。
【００８８】
図１は、本タグが埋め込まれた書類用紙の模式図で、図１Ａはその上面を、図１Ｂは図１Ａにおける線Ａ１での断面を拡大して示す。
【００８９】
図１において、無線ＩＣタグ１は、書類用紙２の紙厚内に埋め込まれている。ここで、書類用紙２は、タグ１が埋め込まれて、タグ１のおもて面１ａ又は裏面１ｂに面している箇所（２Ａ）ではその紙の厚さが薄くなっており、書類用紙２の外部の光がその箇所（２Ａ）を通してタグ１に透過できるものである。
【００９０】
図２は、無線ＩＣタグ１を模式的に示すもので、図２Ａは上面図、図２Ｂは図２Ａにおける線Ａ２での断面図、図２Ｃは下面図である。
【００９１】
図２において、回路基板３には、無線ＩＣタグ１を構成する回路素子群４が実装されている。
【００９２】
受光素子５は、受光部分を無線ＩＣタグ１のおもて面（タグおもて面と呼ぶ）１ａ側へ向けて、回路基板３のおもて面側に実装され、タグおもて面１ａへの外部光を受光する素子である。一方、受光素子６は、受光部分をタグ１の裏面（タグ裏面と呼ぶ）１ｂ側へ向けて、回路基板３の裏面側に実装され、タグ裏面１ｂへの外部光を受光する素子である。受光素子には、本実施例ではフォトダイオードを用いている。書類用紙２内に埋め込まれた無線ＩＣタグ１の回路基板３は、書類用紙２とほぼ平行になるので、受光素子５の受光部分が書類用紙２の一方の面に向き、受光素子６の受光部分が他方の面に向くことになる。
【００９３】
タグカバー７は、受光素子５及び６その他の回路素子が実装されて含まれた回路基板３を保持し、かつ外部からの湿度などの影響を遮断するための樹脂を素材としたカバーであり、そして、受光素子５及び６の受光部分が面する箇所は、透明に形成されて、書類用紙２の外部からの光を透過することができる光透過窓８を成し、その他の箇所は、書類用紙２の外部からの光が無線ＩＣタグ１内部へ透過しない不透明に形成されている。なお、受光素子５、６の受光部分を書類用紙２の各面に向けず、この光透過窓８から無線ＩＣタグ１の内部に光を透過させる透過部を設け、その透過部を通して受光素子５、６の受光部分に当該光を導く構成をとってもよい。
【００９４】
図３は、受光素子５及び６並びに回路素子群４からなる無線ＩＣタグ１の回路ブロックの構成を示すブロック図である。
【００９５】
図３において、アンテナ９は、本実施例では、図１に図示していないが書類用紙２の内部に設けられており、無線ＩＣタグ１が、書類用紙２の外部に存する無線ＩＣタグ・リーダ（書込み機能を有するものも含む。単にリーダとも呼ぶ）から電力の供給を無線電波で受け、かつそのリーダとの間で、後述するメモリーに保持される情報、その機能・動作の制御に係る情報その他のタグ情報を授受するデータ通信を無線電波で行うためのものである。
【００９６】
電源発生回路１０は、受信される無線電波の搬送波によってアンテナ９に励起された電流を整流・平滑化して、その電流による電力を無線ＩＣタグ１の回路に対する電源とする。ここで、電源発生回路１０は、ある程度の蓄電機能を有し、それによって、無線電波が切れた後も、所定時間以上、タグ１の回路を動作させることができる。
【００９７】
復調回路１１は、アンテナ９が受信した無線電波の搬送波に変調されている信号を復調する回路で、復調された信号は後述する制御回路１２へ与えられる。
【００９８】
一方、変調回路１３は、制御回路１２から出力され、リーダへ送信されるべき信号によって、無線搬送波を変調して、その変調された無線搬送波をアンテナ９に与える。そして、その変調された無線搬送波はアンテナ９を通して外部へ放射される。
【００９９】
メモリー１４は、タグ情報の少なくとも一部のデータを保持する記憶素子（本実施例においてメモリー１４が記憶する情報であって、外部から読み書きがされる状態にあるものをメモリ情報と呼ぶ）で、本実施例では、その記憶素子は保持されるデータの書換えが可能なものとし、そしてそのデータは制御回路１２によって読み書きがされるものとしている。なお、メモリ情報には、後述する、無線ＩＣタグ１における受光の状態を示す情報（受光情報と呼ぶ）を含めてもよく、本実施例では含めている。
【０１００】
受光素子（おもて）５は、図２において受光部分をタグおもて面１ａへ向けて実装された受光素子５であり、タグ１の外部からタグおもて面１ａへ照射された光を電気信号として制御回路１２に与える。また、受光素子（裏）６は、図２において受光部分をタグ裏面１ｂへ向けて実装された受光素子（裏）６であり、タグ１の外部からタグ裏面１ｂへ照射された光を電気信号として制御回路１２に与える。
【０１０１】
制御回路１２は、復調回路１１、変調回路１３、メモリー１４並びに受光素子５及び６を入出力とし、それらからの又はそれらへの入出力信号を処理して、タグ１の機能・動作を制御する。さらに、タグ１の機能・動作を制御して、リーダとの間で、無線電波で互いにデータ通信を行うこともできる。
【０１０２】
制御回路１２におけるメモリ切換え回路１５は、制御回路１２がメモリー１４から読出すメモリ情報を、受光素子５及び６での光の受光量によって切換えるものである。このメモリ切換え回路１５について、さらにその詳細を次に説明する。
【０１０３】
図４は、メモリ切換え回路１５及びメモリー１４の回路構成を示す。
【０１０４】
図４において、積分器１６及び１７は、所定（０．３秒程度）の時定数を有して受光素子５又は６での受光量に応じた信号を積分するもので、その信号における高周波成分をろ過する。これにより、所定の時間平均での受光量に相当する信号が得られる。
【０１０５】
減算器１８は、受光素子（おもて）５及び積分器１６で得られるタグおもて面１ａの受光量から、受光素子（裏）６及び積分器１７で得られるタグ裏面１ｂの受光量を減算する。そして、絶対値演算器１９は、その減算結果の絶対値を求める。
【０１０６】
これらの減算器１８及び絶対値演算器１９によって、タグおもて面１ａの受光量とタグ裏面１ｂの受光量とについて、それらのいずれの多少にかかわらず、それらの差分の絶対値に相当する信号が得られる。
【０１０７】
第１の比較器２０は、入力のアナログ信号の電圧を比較してデジタル信号を出力するもので、出力デジタル信号を、タグおもて面１ａの受光量がタグ裏面１ｂの受光量以上のときには高電圧（デジタル回路信号の高電圧を意味し、”Ｈ”とも記す）に、タグおもて面１ａの受光量がタグ裏面１ｂの受光量より少ないときには低電圧（デジタル回路信号の低電圧を意味し、”Ｌ”とも記す）にする。
【０１０８】
第２の比較器２１は、前述の差分の絶対値に相当する信号が、所定の電圧以上のときに、高電圧（”Ｈ”）のデジタル信号を出力する。すなわち、タグおもて面１ａの受光量とタグ裏面１ｂの受光量との差が所定の値（この値を閾値と呼ぶ）以上のとき、その出力デジタル信号が高電圧（”Ｈ”）となる。
【０１０９】
Ｄ型フリップ・フロップ２２は、そのＣ端子には本タグ１の制御回路１２の全体に渡って使用されているデジタル処理回路用の同期信号であるいわゆるクロック信号（Ｃｌｏｃｋ）が入力されており、これにより、第１の比較器２０及び第２の比較器２１の各出力信号もそのクロック信号に同期化させている。ここで、クロック信号（Ｃｌｏｃｋ）の周波数は、本実施例では、１ＭＨｚとしているが、デジタル回路を構成している素子の遅延時間よりも長い周期で、かつ、本タグ１の処理応答速度についての設計仕様を満たすものであれば、いくらであってもよい。
【０１１０】
第１のＪ−Ｋフリップ・フロップ２３は、その出力Ｑを、制御回路１２内の他の回路から与えられるクリア信号（Ｃｌｅａｒ）（後述）の高電圧（”Ｈ”）によって、低電圧（”Ｌ”）にクリアし、その後、第２の比較器２１の出力がいったん高電圧（”Ｈ”）に、すなわち、タグおもて面１ａの受光量とタグ裏面１ｂの受光量との差が所定の値以上になると、高電圧（”Ｈ”）にセットする。つまり、第１のＪ−Ｋフリップ・フロップ２３の出力信号Ｘ２における高電圧”Ｈ”の状態は、本タグ１がそのいずれか一つの面で所定の受光をしたことを示すものとみなせる。そして、本実施例では、回路接続の便利のため、第１のＪ−Ｋフリップ・フロップ２３の出力Ｘ２について、その信号論理（信号における高電圧又は低電圧の状態）が反転されたものである信号Ｘ２−も併せて出力するものとしている。
【０１１１】
第２のＪ−Ｋフリップ・フロップ２４も、その出力Ｑを、制御回路１２内の他の回路から与えられるクリア信号（Ｃｌｅａｒ）によってクリアする。そして、その後、第２の比較器２１の出力が高電圧（”Ｈ”）で、かつその間において、第１の比較器２０がいったん高電圧（”Ｈ”）に、すなわち、タグおもて面１ａの受光量がタグ裏面１ｂの受光量以上であると、その出力を高電圧（”Ｈ”）にセットする。つまり、第２のＪ−Ｋフリップ・フロップ２４の出力信号Ｘ１における高電圧”Ｈ”は、本タグ１がそのおもて面１ａで所定の受光をしたことを示すものとみなせる。
【０１１２】
ここで、第１のＪ−Ｋフリップ・フロップ２３及び第２のＪ−Ｋフリップ・フロップ２４は、それぞれ、出力の状態がいったんセットされると、その状態を、Ｊ−Ｋフリップ・フロップが次にクリアされるまでの間、その間の受光素子５及び６の受光状態にかかわらず保持し、固定している。
【０１１３】
デコーダ２５は、第１のＪ−Ｋフリップ・フロップ２３の出力Ｘ２と第２のＪ−Ｋフリップ・フロップ２４の出力Ｘ１とを合わせた信号を２ビットの２進符号とみなしてそれを４通りの状態に復号化する。本実施例では、第１のＪ−Ｋフリップ・フロップ２３の出力信号Ｘ２を２進数の２の位として、第２のＪ−Ｋフリップ・フロップ２４の出力信号Ｘ１を２進数の１の位としてデコーダ２５に入力している。そして、デコーダ２５の出力Ｙ３はＸ２が高電圧（”Ｈ”）でかつＸ１が高電圧（”Ｈ”）のときに、また、出力信号Ｙ２はＸ２が高電圧（”Ｈ”）でかつＸ１が低電圧（”Ｌ”）のときに、それぞれ高電圧（”Ｈ”）となる。
【０１１４】
引続き図４において、メモリー１４は、本実施例では、３つの記憶素子（２６、２７、２８）で構成され、それぞれは、データの記憶容量が４，０９６ビット（４ｋビット）（従って、４，０９６ビットまでのメモリ情報が記憶できる。）で、１２ビットのアドレス空間を有したものであり、アドレス（信号Ａｄｄｒｅｓｓ）が制御回路１２から共通に与えられるものとしている。さらに、これら３つの記憶素子（２６、２７、２８）は、前述したメモリ切換え回路１５からの信号Ｘ２−、Ｙ２及びＹ３によっていずれか１つのみが選択（いわゆるチップセレクト）されてそのデータが出力（信号Ｄａｔａ）され、そのデータの読取りが制御回路１２によってできる構成としている。
【０１１５】
すなわち、メモリー１４は、信号Ｘ２−の高電圧（”Ｈ”）によって第１の記憶素子２６が選択され、信号Ｙ２の高電圧（”Ｈ”）によって第２の記憶素子２７が選択され、また、信号Ｙ３の高電圧（”Ｈ”）によって第３の記憶素子２８が選択される。
【０１１６】
このように、メモリー１４は、本実施例では、４，０９６ビットまでのメモリ情報を３種類記憶することができ、メモリ切換え回路１５からの信号Ｘ２−、Ｙ２及びＹ３によってその種類の切換えが行われる。本明細書では、メモリ情報をその種類について区別するとき、第１の記憶素子２６が記憶するメモリ情報（第１の種類）を第１メモリ情報と、第２の記憶素子２７が記憶するメモリ情報（第２の種類）を第２メモリ情報と、第３の記憶素子２８が記憶するメモリ情報（第３の種類）を第３メモリ情報と、それぞれ呼ぶ。
【０１１７】
（表１）は、タグおもて面１ａ及びタグ裏面１ｂでの各受光量の関係及びその差の程度と、第１のＪ−Ｋフリップ・フロップ２３（第１Ｊ−Ｋ・ＦＦ）の出力信号Ｘ２及び第２のＪ−Ｋフリップ・フロップ２４（第２Ｊ−Ｋ・ＦＦ）の出力信号Ｘ１と、メモリー１４を構成する３つの記憶素子（２６、２７、２８）の選択状態と、各記憶素子に記憶される受光情報との対応関係を示す。
【０１１８】
【表１】
2007105634.tif 000020
【０１１９】
（表１）において、例えば、第１Ｊ−Ｋ・ＦＦの出力信号Ｘ２が”Ｈ”（高電圧）で、第２Ｊ−Ｋ・ＦＦの出力信号Ｘ１が”Ｈ”（高電圧）の場合、これは、タグおもて面１ａの受光量とタグ裏面１ｂの受光量とについて、それらの受光量の差が大きく、かつ、タグおもて面１ａの受光量がタグ裏面１ｂの受光量以上であること、つまり、タグ１がそのおもて面１ａで所定の受光をしたときにあたり、そして、このとき、メモリー１４は、第３の記憶素子２８が選択されることを示す。また、例えば、第１Ｊ−Ｋ・ＦＦの出力信号Ｘ２が”Ｌ”（低電圧）の場合、これは、タグおもて面１ａの受光量とタグ裏面１ｂの受光量とについて、それらの受光量の差が小さいこと、つまり、タグ１が、後述するように所定の受光をしていないときにあたり、そして、このとき、メモリー１４は、第１の記憶素子２６が選択されることを示す。
【０１２０】
また、受光情報として、第１の記憶素子２６は［受光情報１］（例えば、数値の１）を、第２の記憶素子２７は［受光情報２］（例えば、数値の２）を、第３の記憶素子２８は［受光情報３］（例えば、数値の３）を、それぞれの記憶するメモリ情報の一部に含めて記憶するものとしていることを示す。
【０１２１】
ここで、受光情報は、無線ＩＣタグ１における受光の状態を示す情報であり、［受光情報１］、［受光情報２］及び［受光情報３］は、受光の各状態に応じて互いに異なるデータ（本実施例では、値）としている。また、上述したように、メモリ切換え回路１５は、無線ＩＣタグ１が光を受けて発生した受光信号（受光素子５及び６の出力信号）に応じて信号Ｘ２−、Ｙ２、Ｙ３を出力し、そして、メモリー１４は、その受光信号に応じた信号Ｘ２−、Ｙ２、Ｙ３によって、受光情報が含まれたメモリ情報の種類が切換えられる。従って、メモリー１４が出力するメモリ情報に含まれた受光情報のデータの別によって、タグ１における受光信号の状態を特定し、また知ることが可能である。
【０１２２】
再び図４において、前述のメモリ切換え回路１５を備えた制御回路１２は、無線ＩＣタグ１の機能・動作を制御して、リーダとの間で、無線電波で互いにデータ通信を行うことができる。（表２）は、そのデータ通信が行われる情報（問い合わせコマンド又は単にコマンドと呼ぶ）のいくつかを示し、また、そのコマンドに対するタグ１の応答の動作の関係を示す。
【０１２３】
【表２】
2007105634.tif 000021
【０１２４】
（表２）において、例えば、タグ検出コマンドは、リーダがその通信可能な範囲内に無線ＩＣタグ１が入ったことを検出するためにその検出のための情報を含んだ問い合わせコマンドであることを示す。
【０１２５】
また、応答欄は、各コマンドに対し、タグ１における受光情報が○印の付されたもの（本実施例では、［受光情報１］、［受光情報２］及び［受光情報３］）であるときに限り、タグ１が応答することを示す。例えば、タグ１は、タグ検出コマンドに対し、タグ１の受光情報が［受光情報１］、［受光情報２］又は［受光情報３］のいずれであっても、すなわち受光信号の状態にかかわらずリーダへ応答することを、また、読取り完了コマンドに対し、受光情報が［受光情報２］又は［受光情報３］のどちらかであるときにリーダへ応答し、受光情報が［受光情報１］であるときには応答しないことを示す。
【０１２６】
このように、本無線ＩＣタグ１は、リーダからの無線電波を受けたとき、その応答の動作が、リーダから送信されたコマンドの別と、受光情報の別、すなわち、タグ１における受光の状態の別とに応じて異なる。
【０１２７】
以上の構成において、次に本無線ＩＣタグ１の動作について説明する。
【０１２８】
ここでは、一例として、リーダを内蔵し、書類用紙２の紙面上の画像を読取って原稿とし、その原稿を別の用紙に印刷して書類の複写などを行うデジタル複合機が、タグ１が設けられた書類用紙２の紙面上の画像を読取って印刷の原稿とする例を説明する。
【０１２９】
図５は、本実施例におけるデジタル複合機の概略構成を示す図である。このデジタル複合機１００は、従来の一般的な複写機と同様、その画像読取り部として、画像スキャナ１０１を備えたもので、画像読取りスキャナ１０２又は書類用紙２を移動することにより、その画像読取りの領域を画像読取りの対象である書類用紙２に対して相対的に移動（走査）させながら読取りを行う。画像読取りスキャナ１０２は、その画像読取りのための線状の光源を有しており、その照射領域を画像読取りの領域と共に書類用紙２に対して相対的に移動（走査）させる。画像読取りスキャナ１０２を移動する場合、原稿台である透明なガラス板３７に書類用紙２が置かれる。画像読取りスキャナ１０２は、そのガラス板３７の下方に配置されており、矢印１０３方向に往復動が可能に取り付けられている。画像読取りスキャナ１０２は、矢印１０３方向に移動しながらガラス板３７に置かれた書類用紙２の紙面全面を照明し、その反射光像を光電変換する。これにより画像スキャナ１０１は、原稿の画像データを取得する。
【０１３０】
書類用紙２を移動する場合、原稿台カバーを兼ねる自動原稿送り装置１０４が用いられる。この場合、画像読取りスキャナ１０２は、画像スキャナ１０１の天面に配置された他のガラス板１０５の下方に一時的に固定される。自動原稿送り装置１０４が、複数枚の書類用紙を１枚ずつガラス板１０５上に給送することで、書類用紙に対して画像読取りスキャナ１０２が相対的に移動する。これにより画像スキャナ１０１は、書類用紙の紙面から原稿の画像データを得る。
【０１３１】
デジタル複合機１００は、画像スキャナ１０１の下方に画像形成部１０６を備え、画像形成部１０６は、画像スキャナ１０１により得た画像データを蓄積したり、ネットワークを通じて転送したり、ファクシミリ送信したり、印刷用紙に印刷したりする。
【０１３２】
図６は、デジタル複合機の原稿台に書類用紙を置いた状態の一例を示す図である。この例では、書類用紙２がガラス板３７上に置かれている。書類用紙２の長手方向が矢印１０２方向と平行な横方向に配置されており、本無線ＩＣタグ１は、画像読取りスキャナ１０２の待機位置に近い位置にあることになる。このため、読取り開始後まもなく本無線ＩＣタグ１も画像読取りスキャナ１０２により照明されることになる。読取り時には、画像読取り部の天面が原稿台カバーにより覆われるため、書類用紙２のガラス板３７に向いた面のみが照明により明るくなる。本無線ＩＣタグ１は、例えばこのような状態で、デジタル複合機の内蔵するリーダからのコマンドにしたがって動作する。
【０１３３】
図７は、デジタル複合機における情報処理回路の概略構成の一例を示す図である。デジタル複合機１００は、装置全体を制御するために情報処理回路２００を備える。情報処理回路２００には、ＣＰＵ２０１やＲＡＭ２０２、ＲＯＭ２０３を有する汎用の処理回路を用いることができる。ＣＰＵ２０１は、バス２０４を通じてＲＡＭ２０２やＲＯＭ２０３と接続されており、ＲＯＭ２０３に格納された制御プログラム２０５のコードを読み出して、装置全体を制御する。
【０１３４】
バス２０４には、インターフェイス回路２０６、２０７、２０８を介して、ディスプレイ２０９や、画像読取りスキャナ１０２、リーダ２１０とそれぞれ接続されている。ＣＰＵ２０１は、制御プログラムの指令にしたがってバス２０４を通じて、これらのデバイスに対し入出力を行い制御する。
【０１３５】
ディスプレイ２０９は、デジタル複合機１００の操作パネルに配置されるものであり、ＣＰＵ２０１の制御にしたがって、ユーザが複合機１００を操作したり、ユーザに情報を通知したりする画面を表示する。
【０１３６】
画像読取りスキャナ１０２は、ＣＰＵ２０１の制御により、光源２１１を点灯し、原稿台におかれた書類用紙２の紙面を照明する。複数枚の書類用紙２が綴じられている場合、それら書類用紙２のうち、光源２１１に対して最前面にある書類用紙２の紙面が照明される。
【０１３７】
リーダ２０９は、書類用紙２に埋め込まれた無線ＩＣタグ１と無線通信を行う。通信範囲内にある無線ＩＣタグ１にコマンドを送り、無線ＩＣタグ１は、そのコマンドにしたがって動作し、必要な場合、そのコマンドに対して応答する。複数枚の書類用紙２に埋め込まれた無線ＩＣタグ１がリーダ２０９の通信範囲内にある場合でも、光源２１１に対して最前面にある書類用紙２の紙面が照明されると、その書類用紙２に埋め込まれた無線ＩＣタグ１だけが、上述の読取り完了コマンドに対して応答をする。
【０１３８】
図８は、本実施例の無線ＩＣタグ１の動作を説明するための、デジタル複合機１００と無線ＩＣタグ１とのコマンドシーケンスを示す図である。
【０１３９】
図８において、まず、デジタル複合機１００に内蔵されたリーダは、通常、その通信可能な範囲内に無線ＩＣタグ１が入ったことを検出するためにその検出のための情報を含んだ問い合わせコマンド（タグ検出コマンドと呼ぶ）を通信データとして一定周期で繰返し無線電波を発している（図８におけるステップＳ１。以下、単にＳ１とも記す。他のステップについても同様）。
【０１４０】
このような状態において、書類用紙２がデジタル複合機１００の原稿台に置かれると、書類用紙２に埋め込まれた無線ＩＣタグ１は、複合機１００に内蔵されたリーダ２０９に近接する形となり、リーダ２０９からの無線電波を受けたとき、その無線搬送波がアンテナ９において所定強度以上になる。これにより、電源発生回路１０での電源の発生量がタグ１内の回路が動作するのに必要な量を超え、タグ１内の回路が、所定時間、動作可能になる。
【０１４１】
そして、無線ＩＣタグ１は、受信した無線電波について、その無線電波に変調されている信号を復調回路１１で復調し、その復調された信号を制御回路１２で処理してリーダ２０９からのデータ受信を行い、データ受信したリーダからの通信データをタグ検出コマンドと判別したときには、（表２）に示されるようにタグ１の受光情報の種類にかかわらずそのコマンドに応答して、メモリ情報に基づいたタグ情報をリーダへデータ送信する（Ｓ２）。
【０１４２】
一方、リーダは、その検出コマンドの送信に対する応答として、無線ＩＣタグ１からのタグ情報を受信したとき、その受信によって、原稿台に書類用紙２が置かれたことを検知する。そして、デジタル複合機１００は、受信されたタグ情報をもとに必要な処理・制御を行うことができる。ここで、本実施例では、デジタル複合機１００は、この時点でのタグ情報に含まれた受光情報は無視して、それによる特段の処理・制御は行っていない。
【０１４３】
このとき、デジタル複合機１００の原稿台に置かれた書類用紙２が複数ある（例えば、複数枚の書類用紙が綴じられた書類）場合、各書類用紙２に設けられた無線ＩＣタグ１のいずれもがリーダへ応答するが、リーダ２０９は、この時点では、原稿台に書類用紙２が置かれたことが検知できればよく、応答が複数あることによる支障はない。
【０１４４】
次に、書類用紙２が原稿台に載置されたことを知ったデジタル複合機１００は、その複写などの開始の要求がオペレータなどによって指示されると、まず、内蔵したリーダ２０９から、無線ＩＣタグ１に対し画像読取りの開始を示す情報を含む問い合わせコマンド（読取り開始コマンドと呼ぶ）を通信データとして送信する。
【０１４５】
一方、無線ＩＣタグ１は、データ受信したリーダ２０９からの通信データを読取り開始コマンドと判別したときには、制御回路１２が、クリア信号（Ｃｌｅａｒ）をパルス状に所定時間だけ高電圧（”Ｈ”）とする。これによって、第１のＪ−Ｋフリップ・フロップ２３及び第２のＪ−Ｋフリップ・フロップ２４は、それぞれの出力を低電圧（”Ｌ”）にクリアし、従ってメモリー１４は、（表１）に示したように、本実施例の場合、第１の記憶素子２６が選択され、［受光情報１］を含んだ第１メモリ情報がメモリ情報となる。
【０１４６】
ところで、無線ＩＣタグ１は、前述したように、書類用紙２への外光について、おもて面１ａへの光を受光素子５が受光し、裏面１ｂへの光を受光素子６が受光し、そのおもて面１ａ及び裏面１ｂへのそれぞれの光の強度におけるそれらの差の有無とその向きに応じた信号をメモリ切換え回路１５内で発生することができるが、この時点では、デジタル複合機１００での画像読取りのための照明が点灯されておらず、受光素子５及び受光素子６は、共に、複合機１００が設置されている周囲の外光を受けて室内光程度で同程度の受光量となっているか、原稿台カバーが閉じられているときには、受光が殆ど無い状態となっている。従って、この時点では、メモリ切換え回路１５における信号Ｘ２−、Ｙ２、Ｙ３の状態は、受光信号による変化がなく、メモリー１４は、第１の記憶素子２６が選択され、その第１メモリ情報がメモリ情報となった状態のままである。この状態は、その後の無線ＩＣタグ１の受光による信号Ｘ２−、Ｙ２、Ｙ３の状態に変化があるまでの間、保たれる。
【０１４７】
このように、読取り開始コマンドを受信した無線ＩＣタグ１は、メモリ情報が第１メモリ情報となり、そして受光情報が［受光情報１］となっているので、次に、（表２）に示されるようにそのコマンドに応答して、メモリ情報である第１メモリ情報に基づいてタグ情報をリーダ２０９へデータ送信する（Ｓ３）。ここでも、デジタル複合機１００の原稿台に置かれた書類用紙２が複数ある（例えば、複数枚の書類用紙が綴じられた書類）場合、各書類用紙２に設けられた無線ＩＣタグ１のいずれもがリーダ２０９へ応答するが、後述するように、応答が複数あることによる支障はない。
【０１４８】
一方、リーダ２０９は、その読取り開始コマンドの送信に対する応答として、無線ＩＣタグ１からのタグ情報を受信すると、その受信によって、タグ１の制御回路１２が第１のＪ−Ｋフリップ・フロップ２３及び第２のＪ−Ｋフリップ・フロップ２４のクリアを完了したものとみなす。ここで、リーダ２０９は、デジタル複合機１００の原稿台に置かれた書類用紙２が複数ある場合にも対応できるよう、所定時間、複数のタグ１からの応答を受取るものとしており、また、本実施例では、この時点でも、各タグ情報に含まれた受光情報（［受光情報１］）は無視するものとして、それによる特段の処理・制御は行っていない。
【０１４９】
その後、デジタル複合機１００は、画像読取りのための照明を点灯し、画像スキャナ及び照明の走査を開始して、その照明を書類へ照射しつつ、原稿となる画像を光学的に読取る画像読取り部での画像の読取りを行う。
【０１５０】
ここで、その画像の読取りの間、リーダ２０９は、無線ＩＣタグ１に対し、その電源を供給し、照明光の受光を促すために、タグ１での受光を指示するための情報を含んだコマンド（受光コマンドと呼ぶ）を通信データとした無線電波を一定周期で繰返し発する。
【０１５１】
一方、無線ＩＣタグ１は、その受光コマンドの受信に対して、本実施例では、（表２）に示されるように応答することはせずタグ情報の送信を行わないが、受光素子５及び受光素子６での受光の検出、並びにその受光信号に基づくメモリ切換え回路１５での信号の発生の動作を、受光コマンドが継続して受信できている間、継続して行う。この受光及び信号の発生の動作は、先のステップＳ３における読取り開始コマンドに対する応答としてのタグ情報を送信した後、次に、後述する読取り完了コマンドを受信するまでの間（この間を受光検出期間と呼ぶ）、行う（Ｓ４）。
【０１５２】
このような受光検出期間において、無線ＩＣタグ１は、デジタル複合機１００での画像読取りのための照明の走査がされ、その照明を受光素子５又は受光素子６にて受けると、その時、その照射の向きに面した一方の受光素子が他方の受光素子よりも強い光を受けるので、第１のＪ−Ｋフリップ・フロップ２３の出力信号Ｘ２を高電圧（”Ｈ”）にセットする。
【０１５３】
ここで、デジタル複合機１００の原稿台に置かれたものが、例えば、複数枚の用紙が綴じられた書類の場合、その綴じられた用紙のうち照明の照射の向きに面した最上面の書類用紙２に設けられた無線ＩＣタグ１のみが、照明を受けて、上述の、第１のＪ−Ｋフリップ・フロップ２３の出力信号Ｘ２を高電圧（”Ｈ”）にセットする動作を行う。このように、タグ１は、書類の最上面にない書類用紙２に設けられたものでは、複合機１００からの照明の照射によってもその信号Ｘ２が高電圧（”Ｈ”）にセットされないよう、第２の比較器２１の閾値が設定されている。なお、第２の比較器２１の閾値の設定は、タグ１がリーダ２０９からの指令・情報に従ってその値を可変として設定ができるものとしてもよい。
【０１５４】
そして、その照明を受けた当該無線ＩＣタグ１のメモリー１４は、（表１）に示したように、第２又は第３の記憶素子が選択されて、第２メモリ情報又は第３メモリ情報がメモリ情報となる（Ｓ５）。
【０１５５】
ここで、メモリ情報の種類が第２メモリ情報又は第３メモリ情報のいずれであるかは、（表１）に示したように、受光信号に係る第２のＪ−Ｋフリップ・フロップ２４の出力（信号Ｘ２及びＸ２−）の状態に従っており、原稿台に置かれた書類用紙２の裏表の向きによって特定される。すなわち、当該無線ＩＣタグ１は、書類用紙２がそのおもて面を照明の照射の向きに面して原稿台に置かれているときには、［受光情報３］を含んだ第３メモリ情報をメモリ情報とし、また、書類用紙２がその裏面を照明の照射の向きに面して原稿台に置かれているときには、［受光情報２］を含んだ第２メモリ情報をメモリ情報とする。
【０１５６】
その後、デジタル複合機１００がその画像の読取りを終えると、リーダ２０９は、タグ１に対し画像の読取り完了を示す情報を含む問い合わせコマンド（読取り完了コマンドと呼ぶ）を通信データとして送信する。
【０１５７】
一方、第２又は第３の記憶素子が選択されて第２メモリ情報又は第３メモリ情報がメモリ情報となった当該無線ＩＣタグ１は、その読取り完了コマンドを受信して、（表２）に示されたように、そのコマンドに対する応答として、第２メモリ情報又は第３メモリ情報に基づくタグ情報をリーダ２０９へ送信する（Ｓ６）。
【０１５８】
ここで、デジタル複合機１００の原稿台に置かれた書類用紙２が複数ある（例えば、複数枚の書類用紙が綴じられた書類）場合、各書類用紙２に埋め込まれた無線ＩＣタグ１は、前述したように、読取り開始コマンドを受けて、いずれも、そのメモリー１４において第１の記憶素子２６を選択している。そして、その後、デジタル複合機１００での画像読取りの際に、その画像読取りのための照明を受けた当該タグ１のみが、そのメモリー１４における選択を第２又は第３の記憶素子に切替えており、他方、その照明を受けなかった他のタグ１は、そのメモリー１４における記憶素子の選択を切替えることなく第１の記憶素子の選択を保っている。従って、書類用紙２が複数ある場合であっても、その照明を受けなかった無線ＩＣタグ１は、第１の記憶素子が選択されて第１メモリ情報がメモリ情報となっており、（表２）に示されたように、読取り完了コマンドに対するリーダ２０９への応答を返さない。
【０１５９】
また、その照明を受けた当該無線ＩＣタグ１は、メモリ情報が第２メモリ情報又は第３メモリ情報となって受光情報が更新された状態を保持しているので、送信するタグ情報は、第２メモリ情報又は第３メモリ情報に基づくものであり、前述したとおり、書類用紙２がそのおもて面を照明の照射の向きに面して原稿台に置かれているときには、［受光情報３］を含んだ第３メモリ情報であり、また、書類用紙２がその裏面を照明の照射の向きに面して原稿台に置かれているときには、［受光情報２］を含んだ第２メモリ情報に基づくものとなる。
【０１６０】
このように、リーダ２０９は、デジタル複合機１００の原稿台に置かれたものが、例えば、複数枚の用紙が綴じられた書類の場合においても、その綴じられた用紙のうち照明の照射の向きに面した最上面の書類用紙２に設けられた無線ＩＣタグ１からそのタグ情報を受信する。さらに、そのタグ情報に含まれた受光情報の別によって、タグ情報に含まれた受光情報が［受光情報３］のときには、書類用紙２はそのおもて面を照明の照射の向きに面して原稿台に置かれており、また、［受光情報２］のときには、書類用紙２はその裏面を照明の照射の向きに面して原稿台に置かれているものと、書類用紙２の裏表の向きを検知することができる。この検知は、リーダ２０９により行ってもよいし、情報処理回路２００により行ってもよい。
【０１６１】
その後、デジタル複合機１００は、画像読取りのための照明を消灯し、画像読取り部での１つの画像の読取りを完了する。
【０１６２】
ここで、画像読取り部での画像の読取りが複数の書類用紙２について行われる場合には、以上のステップＳ１からステップＳ６までの動作がその複数の書類用紙２の数だけ繰返し行われることになる。
【０１６３】
以上述べたように、リーダ２０９からの所定の電波などを受けたとき、リーダ２０９との情報のやりとりに関し、外光を受光して得られた受光信号に基づき、その受光信号によってはリーダ２０９への応答を行わず、又は、やりとりするタグ情報を少なくともその一部にその受光信号に応じた受光情報を含むものとすることで、無線ＩＣタグ１は、それが１つであっても、そのタグ１が設けられた有体物（例えば印刷紙などの書類用紙２）への外光となる照明光の方向・向きを変えることによって、タグ情報を、外光を受光できる方向・向きの数だけ、その照明光の方向・向き毎に、それぞれ異なるものとすることができる。
【０１６４】
そして、デジタル複合機１００などでの書類の複写などにおける画像読取りのための照明のように照明の方向・向きを所定のものとすれば、その方向・向きに対して、そのタグが設けられた有体物（例えば書類用紙２）の置かれた方向・向きによって、タグ情報を、外光を受光できる方向の数だけ、有体物の置かれた方向・向き毎（例えば書類用紙２の裏表の面毎）に、それぞれ異なるものとすることができる。従って、リーダ２０９や情報処理回路２００は、書類用紙２などの有無が検知できると共に、その照射方向・向きを予め所定のものとしておくことで、その書類用紙２などが置かれた方向・向き（例えば書類用紙２のおもて面又は裏面の面した向き）についても同時に知ることができる。
【０１６５】
また、このような無線ＩＣタグは、それが設けられた例えば書類用紙２が複数枚束ねられた書類の場合においても、その書類の複写が行われるとき、書類の読取りのための照明光が当てられる原稿台に面した書類用紙２のタグのみがその照明光に反応してリーダ２０９へ応答し、所定の照明条件下にない他の書類用紙２のタグは応答しないものとできるので、電波などを受けた複数のタグでのデータの衝突がなく、所定の照明条件下にあるタグのみの検出を可能とすることができ、そして、その複写を行う者は、複写の際、書類を１枚毎に分けることなく、書類用紙２の束のまま原稿台に置くことができる。
【０１６６】
デジタル複合機１００は、例えば複数枚束ねられた書類用紙２がそれぞれ両面印刷された印刷用紙であり、各書類用紙２の裏面のみを複写する設定になっているとき、各書類用紙２の裏面のタグ情報をおもて面のタグ情報や他の書類用紙２のタグ情報と区別することができる。タグ情報に、デジタル複合機１００の制御情報や重ね合わせ画像のデータが含まれている場合、デジタル複合機１００は、各書類用紙２の裏面のタグ情報にしたがって動作することができる。書類用紙２の裏面がカラー画像であり、おもて面がモノクロ画像であっても、デジタル複合機１００は、裏面のタグ情報を参照することにより、カラー印刷をすることが可能となる。各書類用紙２の裏表についてユーザが印刷モードを指定する必要がない。さらにデジタル複合機１００は、各書類用紙２の裏面を読み取ったことを検知すると、情報処理回路２００の制御により、裏面の画像読取りが完了したことをディスプレイ２０９に表示したりブザーを鳴らしたりして、ユーザに報知することができる。それにより、書類用紙２の同じ紙面をユーザが誤って繰り返し複写する可能性を軽減することが可能である。また書類用紙２のおもて面を読み取ったことを検知すると、情報処理回路２００の制御により、おもて面の画像読取りが行われたことをユーザに報知することができる。ユーザは、誤って書類用紙２のおもて面の画像を読み取ってしまったことを把握することができる。
【０１６７】
このように、無線ＩＣタグにおいて、物の裏表の検出ができ、そして、書類用紙２などにおいて複数束ねられた形態で使用されるときでも、その束の表面にある書類用紙２の面についての情報を伝えることができる。
【０１６８】
なお、受光情報（本実施例では［受光情報１］、［受光情報２］及び［受光情報３］）は、本実施例では、３つの状態（値）のいずれかに区分して示した情報としたが、その区分をさらに細かく（多く）したものとしてもよい。さらに、本実施例では、受光情報のデータを、無線ＩＣタグ１が光を受けて発生した受光信号を処理して得た処理信号（信号Ｘ１及びＸ２）の状態（組合わせ）を示す符号（数値の１、２及び３）としたが、受光信号そのものの信号状態（例えば、各受光信号の電圧値など）を示し又は表したものであってもよいし、受光情報がこれらの状態を示し又は表す情報を含んでいるものとしてもよい。
【０１６９】
このように受光信号を細かく検出・処理することで、デジタル複合機からの照明についてその照射（タグ１での受光）の有無及び方向をより正確に検出することができ、また、タグ１がリーダ２０９からの指令・情報に従ってタグ１回路内における設定閾値を可変として設定ができるものとすれば、時々の状態に応じてより正確に適応できて、より正確な検出が行える。
【０１７０】
また受光情報として、例えば各受光信号の電圧値のデータを含むタグ情報をリーダ２０９が取得する場合には、デジタル複合機１００の情報処理回路２００やリーダ２０９が、そのデータをもとに、媒体への光の照射の方向・向きを識別する光照射方向識別手段として動作することができる。
（第２の実施例）
本実施例で説明する本発明に係る無線ＩＣタグ（本実施例において、単に本タグとも呼ぶ）は、第１の実施例のタグと同様に、無線電波でリーダとのデータ通信を行うことができ、また、光透過窓を具備するものであるが、その光透過窓における光の透過率が、光が透過する方向に対した少なくとも一の方向において、一様ではなく、かつ、他のいずれとも互いに異なったパターンを成し、そして、本タグの内部に受光素子を１つ備えたものである。本実施例では、本タグが、印刷用紙、印刷紙その他の書類用の紙などの記録媒体（書類用紙）に埋め込まれて設けられた例について説明する。
【０１７１】
ここで、本タグが埋め込まれた書類用紙については第１の実施例と同様なので、本実施例においても図１を援用する。
【０１７２】
図９は、無線ＩＣタグ１を模式的に示すもので、図９Ａは上面図、図９Ｂは線Ａ２での断面図、図９Ｃは下面図である。
【０１７３】
図９において、回路基板３には、無線ＩＣタグ１を構成する回路素子群４が実装されている。
【０１７４】
受光素子２９は、本実施例ではフォトダイオードであり、回路素子群４と共に回路基板３に実装されている。この受光素子２９は、後述するように、書類用紙２の外部からの光を受光するためのものである。
【０１７５】
タグカバー７は、受光素子２９その他の回路素子が実装されて含まれた回路基板３を保持し、かつ外部からの湿度などの影響を遮断するための樹脂を素材としたカバーであり、そして、そのおもて面（タグおもて面と呼ぶ）（１ａ）及び裏面（タグ裏面と呼ぶ）（１ｂ）のそれぞれ一部の箇所には、無線ＩＣタグ１への外光を透過することができる光透過窓３０、３１が設けられ、また、その他の箇所は、書類用紙２の外部からの光がタグ１内部へ透過しない不透明に形成されている。
【０１７６】
タグカバー７の一部を成した各光透過窓（３０、３１）は、透明な樹脂を素材として無線ＩＣタグ１への外光をさらにタグ１の内部へ透過するためのものであるが、光の透過率が、図示された白い部分（Ｗ及びｗ）では高く、濃く網掛けされた部分（Ｂ）の部分では低い。そして、この光の透過率のパターンは、図示したように、線Ａ２の方向について、タグ１のおもて面（１ａ）と裏面（１ｂ）とでは異なるものとしている。本実施例では、パターンは、図示したように、線Ａ２の方向について、タグおもて面１ａの光透過窓３０では中央部をＷとして、ｗ−Ｂ−Ｗ−Ｂ−ｗの順に並んだものであり、タグ裏面１ｂの光透過窓３１では中央部をＢとして、Ｗ−Ｂ−Ｗの順に並んだものとしている。ここで、ｗは、幅がＷに比べて狭いものである。
【０１７７】
導光部材３２は、透明の樹脂であり、図示したような配置及び形状並びに部材の内外での光の屈折率の違いによって、光透過窓（３０、３１）を透過してきた無線ＩＣタグ１への外光を、図中の２点鎖線矢印のように、部材内に入射させ、その入射させた光を部材の内側面で反射させ、そして、その反射させた光を部材外にある受光素子２９の受光部分へ出射させて、タグ１への外光を受光素子２９の受光部分へ導くことができるものである。この導光部材３２により、受光素子２９は、光透過窓３０又は光透過窓３１を透過したいずれの光も受光することができる。
【０１７８】
図１０は、受光素子２９及び回路素子群４からなる無線ＩＣタグ１の回路構成を示すブロック図である。
【０１７９】
図１０において、アンテナ９、電源発生回路１０、復調回路１１、変調回路１３及びメモリー１４は、第１の実施例におけるものと同様のものである。
【０１８０】
受光素子２９は、図９において受光部分を導光部材３２の一つの端面へ向けて回路基板３に実装された回路素子であり、タグ１の外部からタグおもて面１ａ又はタグ裏面１ｂへ照射された光の量に応じた電気信号を制御ユニット３３に与える。
【０１８１】
制御ユニット３３は、中央処理ユニット（ＣＰＵ）であるマイクロプロセシングユニット（ＣＰＵと呼称する）３４及び記憶素子（タグ情報の少なくとも一部のデータを保持するための記憶領域に係る部分のみを、本実施例では、説明の便宜上、メモリー３５と呼ぶ）などを用いたコンピュータで構成されており、復調回路１１、変調回路１３及び受光素子２９を入出力とし、それらからの又はそれらへの入出力信号を処理して、タグ１の機能・動作を制御する。そして、制御ユニット３３は、受光素子２９の出力する電気信号量（電圧）をデジタル値に変換するアナログ／デジタル（Ａ／Ｄ）変換器３６を備え、ＣＰＵ３４が、適時、受光素子２９で受光されるその時の光の量をデジタル値にて入力し、信号処理することができる。
【０１８２】
メモリー３５は、本実施例でも第１の実施例と同様に３つの記憶ブロック（これらを第１の記憶ブロック、第２の記憶ブロック及び第３の記憶ブロックと呼ぶ。また、本実施例において記憶ブロックが記憶する情報をメモリ情報と呼ぶ）で構成され、記憶ブロック毎に、ＣＰＵ３４のアドレス空間において、それぞれ異なる空間に割り付けられており、ＣＰＵ３４が、アクセスするアドレスによってブロックを区別してそのブロックの記憶データの読み書きができるものとされている。
【０１８３】
そして、これらの第１から第３までの各記憶ブロックは、それぞれ、データの記憶容量が４，０９６ビット（４ｋビット）であり、従って、４，０９６ビットまでのメモリ情報が記憶できる（メモリ情報をその種類について区別するとき、第１の記憶ブロックが記憶するメモリ情報（第１の種類）を第１メモリ情報と、第２の記憶ブロックが記憶するメモリ情報（第２の種類）を第２メモリ情報と、第３の記憶ブロックが記憶するメモリ情報（第３の種類）を第３メモリ情報と、それぞれ呼ぶ）。そして、第１メモリ情報は［受光情報１］（例えば、数値の１）を、第２メモリ情報は［受光情報２］（例えば、数値の２）を、第３メモリ情報は［受光情報３］（例えば、数値の３）を、受光情報として、それぞれの記憶するメモリ情報の一部に含めて記憶するものとしている。
【０１８４】
ここで、受光情報は、無線ＩＣタグ１における受光の状態を示す情報であり、［受光情報１］、［受光情報２］及び［受光情報３］は、受光の各状態に応じて互いに異なるデータ（本実施例では、値）とし、本実施例では、［受光情報２］は、受光素子２９が光をタグ裏面１ｂの光透過窓３１を通して受光したことを示すものと定めている。同様に、［受光情報３］は、受光素子２９が光をタグおもて面１ａの光透過窓３０を通して受光したことを示すものと定めている。さらに、［受光情報３］は、それらのどちらの状態でもないことを示すものと定めている。
【０１８５】
再び、前述のＣＰＵ３４、メモリー３５などを備えた制御ユニット３３について、それは、無線ＩＣタグ１の機能・動作を制御して、リーダ２０９との間で、無線電波で互いにデータ通信を行うことができるものである。ここで、そのデータ通信が行われる情報（問い合わせコマンド又は単にコマンドと呼ぶ）、及びそのコマンドに対するタグ１の応答の動作の関係については、第１の実施例と同様であり、（表２）を援用する。そして、本無線ＩＣタグ１は、リーダ２０９からの無線電波を受けたとき、その応答の動作が、第１の実施例と同様に、リーダ２０９から送信されたコマンドの別と、受光情報の別、すなわち、タグ１における受光の状態の別とに応じて異なる。
【０１８６】
図１１は、本無線ＩＣタグ１が埋め込まれた書類用紙２が、デジタル複合機（画像スキャナ）１００の原稿台に置かれた状態での断面（図１Ｂにあたる）を拡大して示す模式図である。
【０１８７】
図１１において、ガラス板３７の上に画像読取りの対象となる書類用紙２が置かれ、そして、画像スキャナがこのガラス３７を通してその下から画像読取りのための照明を当てつつ画像読取りを行う。
【０１８８】
画像スキャナの内部に設けられた遮光板３８は、光を通さない板の一部に所定の幅（ＷＬ）（無線ＩＣタグ１の光透過窓（３０、３１）のそれよりも長い）の開口部分を有したものであり、その開口部分においてのみ、照明からの光（光線３９）及び書類用紙２でのその反射光を通し、その開口部分以外では、少なくとも照明からの光（光線３９）を書類用紙２に対して遮断することができるものである。そして、画像スキャナは、遮光板３８の開口部分を画像の読取りの領域及び照明領域の移動（走査）に連れて矢印４０の向きに移動させ、その開口部分を通して、照明を照射しつつ画像の読取りを行うことができる。
【０１８９】
ここで、遮光板３８の開口部分の端部３８ｇは、ある程度先鋭に形成されたものとして、タグ１が照明からの光（光線３９）を受光する際、その端部３８ｇの移動の前後におけるタグ１の受光する光線の有無（受光量の差）が明瞭になるようされている。
【０１９０】
以上の構成において、次に本無線ＩＣタグ１の動作について説明する。
【０１９１】
ここでは、一例として、第１の実施例と同様、リーダ２０９を内蔵し、書類用紙２の紙面上の画像を読取って原稿とし、その原稿を別の用紙に印刷して書類の複写などを行うデジタル複合機１００が、タグ１が設けられた書類用紙２の紙面上の画像を読取って印刷の原稿とする際のタグ１の動作について述べる。なお、本実施例でのデジタル複合機と無線ＩＣタグ１とのコマンドシーケンスは、第１の実施例とほぼ同様なので、図８を引用して述べる。
【０１９２】
図８において、ステップ２までは第１の実施例と同様である。
【０１９３】
その後において、書類用紙２が原稿台に載置されたことを知ったデジタル複合機１００は、その複写などの開始の要求がオペレータなどによって指示されると、まず、内蔵したリーダ２０９から、無線ＩＣタグ１に対し画像読取りの開始を示す情報を含む問い合わせコマンド（読取り開始コマンドと呼ぶ）を通信データとして送信する。
【０１９４】
一方、無線ＩＣタグ１は、データ受信したリーダ２０９からの通信データを読取り開始コマンドと判別したときには、ＣＰＵ３４は、メモリー３５に対して、［受光情報１］が含まれた第１メモリ情報をそのメモリ情報として読み書きするものとする。そして、無線ＩＣタグ１は、（表２）に示されるようにそのコマンドに応答して、メモリ情報である第１メモリ情報に基づいてタグ情報をリーダ２０９へデータ送信する（Ｓ３）。ここで、デジタル複合機１００の原稿台に置かれた書類用紙２が複数ある（例えば、複数枚の書類用紙が綴じられた書類）場合、第１の実施例同様、各書類用紙２に設けられた無線ＩＣタグ１のいずれもがリーダ２０９へ応答するが、後述するように、応答が複数あることによる支障はない。
【０１９５】
一方のリーダ２０９は、その読取り開始コマンドの送信に対する応答として、無線ＩＣタグ１からのタグ情報を受信すると、その受信によって、タグ１の制御ユニット３３が、第１メモリ情報がメモリ情報として読み書きされる状態になったものとみなす。ここで、リーダ２０９は、デジタル複合機１００の原稿台に置かれた書類用紙２が複数ある場合にも対応できるよう、所定時間、複数のタグ１からの応答を受取るものとしており、また、本実施例では、この時点でも、各タグ情報に含まれた受光情報（［受光情報１］）は無視するものとして、それによる特段の処理・制御は行っていない。
【０１９６】
その後、デジタル複合機１００は、画像読取りのための照明を点灯し、画像スキャナ及び照明の走査を開始して、その照明を書類へ照射しつつ、原稿となる画像を光学的に読取る画像読取り部での画像の読取りを行う。
【０１９７】
ここで、その画像の読取りの間、リーダ２０９は、無線ＩＣタグ１に対し、その電源を供給し、照明光の受光を促すために、タグ１での受光を指示するための情報を含んだ受光コマンドを通信データとした無線電波を一定周期で繰返し発する。
【０１９８】
一方、無線ＩＣタグ１は、その受光コマンドの受信に対して、本実施例では、（表２）に示されるように応答することはせずタグ情報の送信を行わないが、受光素子２９での受光の検出、並びにその受光信号に基づく受光の強弱の状態を、受光コマンドが継続して受信できている間、継続して行う。この受光及び信号の発生の動作は、先のステップＳ３における読取り開始コマンドに対する応答としてのタグ情報を送信した後、次に、後述する読取り完了コマンドを受信するまでの受光検出期間、行う（Ｓ４）。
【０１９９】
このような受光検出期間において、受光素子２９は、その受光量に応じた信号を出力しており、そして、デジタル複合機での画像読取りのための照明の走査がされ、その照明を、光の透過率がパターンを成した光透過窓（３０、３１）を通して受けると、その出力信号を、光透過窓（３０、３１）が有する光の透過率のパターンに応じた時間的変化を示すものとする。
【０２００】
図１２は、受光素子２９での受光量について、画像スキャナの照明の矢印４０の向きへの走査に伴うその時間的変化を説明するための模式図である。そして、図１２Ａは、書類用紙２のおもて面の画像読取りがされるとき、すなわちタグ１のおもて面１ａが画像スキャナに向けられたときの受光量の時間的変化を示し、図１２Ｂは、書類用紙２の裏面の画像読取りがされるとき、すなわちタグ１の裏面１ｂが画像スキャナに向けられたときの受光量の時間的変化を示す。
【０２０１】
図１２において、無線ＩＣタグ１の受光素子２９での受光量は、画像スキャナの照明の走査移動（矢印４０の向き）がされたとき、タグ１の光透過窓（３０、３１）に対する遮光板３８の部位が開口部分以外のときの時間、光線３９が遮光板３８によって遮られ光透過窓（３０、３１）に届かないのでほぼ０（零）であり、その後、照明の移動によってその部位が開口部分に掛かると、遮光板３８の端部３８ｇの光透過窓（３０、３１）に対する移動の位置に応じて、その移動に連れて受光量が図中のグラフ（受光グラフと呼ぶ）のように増加し、やがて光透過窓（３０、３１）の全体が遮光板３８の開口部分に面すると、その間、その時の受光量が維持されたものとなる。さらにその後、光透過窓（３０、３１）に対する遮光板３８の部位が開口部分から離れていく時には、先程とは逆の様相を呈する。
【０２０２】
ここで、タグ１の光透過窓（３０、３１）に対する遮光板３８の部位が開口部分に掛かっているときにおいて、受光素子２９での受光量は、光透過窓（３０、３１）の内の光の透過率の高い部分（Ｗ及びｗ）が開口部分に掛かる面積に比例したものとなるので、開口部分の移動に応じて図中のグラフのような変化（増加又は減少。この変化を受光変化と呼ぶ）を示す。そして、その受光変化の様子は、光透過窓（３０、３１）の有する光の透過率のパターンの違いによって異なるものとなり、具体例として、図１２の受光グラフにおける図１２ＡとＢとのように異なったものとなる。
【０２０３】
そこで、ＣＰＵ３４は、受光検出期間において、受光素子２９での受光量の変化の様子を検知して、その変化の様子の違い、すなわち図９の受光グラフにおける図１２ＡおよびＢの受光変化の違いを識別して、照明光が光透過窓３０及び光透過窓３１のいずれを透過してきたものかを判断することができる。そして、ＣＰＵ３４は、照明光が光透過窓３０を透過してきたものと判断したときには書類用紙２のおもて面が画像スキャナへ向けられていると、一方、照明光が光透過窓３１を透過してきたものと判断したときには書類用紙２の裏面が画像スキャナへ向けられていると判定できる。このように、制御ユニット３３は、そのＣＰＵ３４などによって無線ＩＣタグ１における光照射方向識別手段としての機能を有する。
【０２０４】
このとき、図１２ＡおよびＢの各受光グラフの縦軸（受光量）及び横軸（時間）の各単位量の絶対値は、時々の条件によるので、一の値に特定されるものではないが、上述の識別においては、各受光グラフにおける受光変化が検知できれば、ＣＰＵ３４での識別・判断が可能である。
【０２０５】
すなわち、例えば、画像スキャナの照明の走査移動の速度がデジタル複合機１００の画像読取り速度についての製品仕様などにより異なるので、その横軸（時間軸）の絶対値（時間）が特定できない。そこで、光透過窓３０（Ｗ部分及びＢ部分が、中央部をＷとして、ｗ−Ｂ−Ｗ−Ｂ−ｗの順に並ぶ）では、Ｗよりも幅が狭いｗを窓の端に設けて、照明の走査に伴う光透過窓３０での受光の始まりと終わりの時点が確実に検知でき（Ｂ部分が窓の端につながっていると、受光窓に照明の走査が掛かった時点の検出が困難である）、Ｂ部分の検知を確実にして、Ｂ部分の時間とＷ部分の時間との対比を可能としている。このように、Ｂ部分が窓の端につながることを避けることで光透過窓３０のパターンの検知を確実なものとして、受光変化のＣＰＵ３４での識別を可能としている。
【０２０６】
図１３は、無線ＩＣタグ１における上述したような光照射方向識別機能の処理フローチャートを示す。
【０２０７】
図１３において、ステップ７（Ｓ７）からＳ９までの期間は、図８におけるステップ４（Ｓ４）に当たる。そして、ＣＰＵ３４は、受光コマンドを受信し（Ｓ７）、その後読取り完了コマンドを受信する（Ｓ９）までの間、所定の時間間隔毎に（所定周期で）、受光素子２９での受光量を順次メモリー３５に書込んで一時記憶させる（Ｓ８）。
【０２０８】
次に、ＣＰＵ３４は、読取り完了コマンドを受信する（Ｓ９）と、メモリー３５に記憶されている受光量についてのデータを記憶したその最初から順に読出し、データが書込まれた時刻毎に、その前後間におけるデータの差分を取って、受光量の時間変化率を求める（Ｓ１０）。そして、その変化率が所定の値を超えた点を図１２における時刻Ｔ１として検知する。
【０２０９】
さらに、ＣＰＵ３４は、その変化率がほぼ変わらない区間（図１２ＡのＴ１−Ｔ２ａ間、同（ｂ）のＴ１−Ｔ２ｂ間）を認知しつつ、次に変化率が大きく変わった（下がった）点を時刻Ｔ２ａ（図１２Ａ）又はＴ２ｂ（図１２Ｂ）として検知する。引続きさらに、ＣＰＵ３４は、その変化率がほぼ変わらない区間（図１２ＡのＴＴ２ａ−Ｔ３ａ間、図１２ＢのＴ２ｂ−Ｔ３ｂ間）を認知しつつ、次に変化率が大きく変わった（上がった）点を時刻Ｔ３ａ（図１２Ａ）又はＴ３ｂ（図１２Ｂ）として検知する。このようにして、ＣＰＵ３４は、Ｔ１からＴ６ａまで、又はＴ１からＴ４ｂまでの各時刻を検知する（Ｓ１１）。ここで、各時刻の検知は、各時刻が絶対的な時刻である必要はなく、各時刻間の時間が検知できればよく、さらにはその時間の比の検知でもよい。
【０２１０】
受光量の変化率が大きく変わった各時刻を検知したＣＰＵ３４は、次に、複数の区間の間で、各区間の受光量（例えば好ましくは区間での平均値を取ってもよい）の大小を比較して各区間がＢの部分か、Ｗの部分かを判別する（Ｓ１２）。ここで、各区間の受光量は、複数の区間の間での差が判別できるものであればどのような指標であってもよい。
【０２１１】
そして、Ｂの部分及びＷの部分についての各時間及びそれらの並びによって、光透過窓（３０、３１）の光の透過率のパターンが、ｗ−Ｂ−Ｗ−Ｂ−ｗであるか、Ｗ−Ｂ−Ｗであるかを判定して、これによって、光の照射方向がタグおもて面１ａであるか、タグ裏面１ｂであるかを識別する（Ｓ１３）。
【０２１２】
以上のようにして、ＣＰＵ３４は、画像スキャナへ向けられた書類用紙２の裏表についてのその識別・判定を行うことができる。
【０２１３】
このようなＣＰＵ３４での識別・判定によって、無線ＩＣタグ１は、画像スキャナへ向けられた書類用紙２の裏表についてのその判定に基づき、［受光情報２］を含んで記憶した第２メモリ情報、又は、［受光情報３］を含んで記憶した第３メモリ情報のいずれかをメモリ情報とする（Ｓ５）。そして、この第２メモリ情報又は第３メモリ情報をメモリ情報とした状態は、無線ＩＣタグ１が、その後に次のタグ検出コマンドを受信して応答するまでの間、保持されるものとしている。
【０２１４】
このように、無線ＩＣタグ１は、書類用紙２がそのおもて面を照明の照射の向きに面して原稿台に置かれているときには、［受光情報３］を含んだ第３メモリ情報をメモリ情報とし、また、書類用紙２がその裏面を照明の照射の向きに面して原稿台に置かれているときには、［受光情報２］を含んだ第２メモリ情報をメモリ情報とする。
【０２１５】
その後、デジタル複合機１００がその画像の読取りを終えると、リーダ２０９は、タグ１に対し画像の読取り完了を示す情報を含む問い合わせコマンド（読取り完了コマンドと呼ぶ）を通信データとして送信する。
【０２１６】
一方、第２メモリ情報又は第３メモリ情報がメモリ情報となった当該無線ＩＣタグ１は、その読取り完了コマンドを受信して、（表２）に示されたように、そのコマンドに対する応答として、第２メモリ情報又は第３メモリ情報に基づくタグ情報をリーダ２０９へ送信する（Ｓ６）。
【０２１７】
ここで、デジタル複合機１００の原稿台に置かれたものが、例えば、複数枚の用紙が綴じられた書類の場合、その綴じられた用紙のうち照明の照射の向きに面した最上面の書類用紙２に設けられた無線ＩＣタグ１のみが、照明を受けて、上述の動作を行う。このように、タグ１は、書類の最上面にない書類用紙２に設けられたものでは、複合機１００からの照明の照射によっても、受光素子２９の出力信号のレベルが大きくならないように、受光素子２９の感度が設定されている。従って、書類用紙２が複数ある場合であっても、その照明を受けなかった無線ＩＣタグ１は、第１メモリ情報がメモリ情報となったままであり、（表２）に示されたように、読取り完了コマンドに対するリーダ２０９への応答を返さない。
【０２１８】
また、その照明を受けた当該無線ＩＣタグ１は、メモリ情報が第２メモリ情報又は第３メモリ情報となって受光情報が更新された状態を保持しているので、送信するタグ情報は、第２メモリ情報又は第３メモリ情報に基づくものであり、前述したとおり、書類用紙２がそのおもて面を照明の照射の向きに面して原稿台に置かれているときには、［受光情報３］を含んだ第３メモリ情報であり、また、書類用紙２がその裏面を照明の照射の向きに面して原稿台に置かれているときには、［受光情報２］を含んだ第２メモリ情報に基づくものとなる。
【０２１９】
このように、リーダ２０９は、デジタル複合機１００の原稿台に置かれたものが、例えば、複数枚の用紙が綴じられた書類の場合においても、その綴じられた用紙のうち照明の照射の向きに面した最上面の書類用紙２に設けられた無線ＩＣタグ１からそのタグ情報を受信して、さらに、そのタグ情報に含まれた受光情報の別によって、タグ情報に含まれた受光情報が［受光情報３］のときには、書類用紙２はそのおもて面を照明の照射の向きに面して原稿台に置かれており、また、［受光情報２］のときには、書類用紙２はその裏面を照明の照射の向きに面して原稿台に置かれているものと、書類用紙２の裏表の向きを検知することができる。
【０２２０】
その後、デジタル複合機１００は、画像読取りのための照明を消灯し、画像読取り部での１つの画像の読取りを完了する。
【０２２１】
ここで、画像読取り部での画像の読取りが複数の書類用紙２について行われる場合には、以上のステップＳ１からステップＳ６までの動作がその複数の書類用紙２の数だけ繰返し行われることになる。
【０２２２】
以上述べたように、光透過窓における光の透過率が、光が透過する方向に対した少なくとも一の方向において、一様ではなく、かつ、他のいずれとも互いに異なったパターンを成し、そして、無線ＩＣタグの内部に受光素子を１つ備えたものあっても、第１の実施例のものと同様に、それが埋め込まれている物の裏表の検出ができ、そして、書類用紙２などにおいて複数束ねられた形態で使用されるときでも、その束の表面にある書類用紙２の面についての情報を伝えることができる。
【０２２３】
なお、遮光板３８は、照明の書類用紙２に対する照射領域についてその非照射領域との境界をある程度明瞭にするためのものなので、例えば、照明の光量分布自体が明瞭な境界を有するようなものであって、それが、図１２に示されるような受光グラフとしたときの結果においてその時間的変化がある程度明瞭に得られて図１２Ａの場合と図１２Ｂの場合との識別が可能な程度であれば、無くても構わないが、その時間的変化をより明瞭にして識別の精度を上げるのに効果的である。
【０２２４】
また、光透過窓は、その光の透過率が成すパターンを、直交する２の方向のそれぞれに有するものとしてもよい。
【０２２５】
図１４は、光透過窓における光の透過率が、直交する２の方向のそれぞれに成している無線ＩＣタグ１を模式的に示すもので、図１４Ａは上面図、図１４Ｂは線Ａ２での断面図、図１４Ｃは下面図である。
【０２２６】
図１４において、光透過窓４１及び光透過窓４２）は、図９における光透過窓（３０、３１）と同様に、タグカバー７の一部を成し、透明な樹脂を素材として無線ＩＣタグ１への外光をさらにタグ１の内部へ透過するためのものであり、光の透過率が、図示された白い部分（Ｗ）では高く、濃く網掛けされた部分（Ｂ）の部分では低い。そしてその光の透過率のパターンは、タグ１のおもて面（１ａ）と裏面（１ｂ）とでは異なるものとしている。
【０２２７】
ここで、光透過窓４１及び４２は、その光の透過率のパターンが、光透過窓３０及び３１とは異なって、図示したように、線Ａ２の方向に加え、その方向におけるＷ部分・Ｂ部分の並びをそれに直交した線Ａ３の方向についても同様として設けられている。すなわち、本実施例では、パターンは、図示したように、線Ａ２の方向について、また、それに直交した線Ａ３の方向についても、タグおもて面１ａの光透過窓４１では中央部をＷとして、ｗ−Ｂ−Ｗ−Ｂ−ｗの順に並んだものであり、タグ裏面１ｂの光透過窓４２では中央部をＢとして、Ｗ−Ｂ−Ｗの順に並んだものとしている。ここで、ｗは、幅がＷに比べて狭いものである。
【０２２８】
このように、光透過窓におけるその光の透過率のパターンを直交した２方向に設けることで、無線ＩＣタグ１が埋め込まれて設けられた書類用紙２がその画像読取りのためのスキャナ（照明）の移動（走査）の方向に対してデジタル複合機の原稿台面上のいずれの方向に置かれても、照明の移動（走査）によって、受光素子２９での受光量は、前述した図１１に示したような時間的変化を示す。これによって、原稿台面における書類用紙２の載置方向にかかわらず、すなわち、書類用紙２の縦横がいずれの方向であっても、ＣＰＵ３４は、その変化の様子を検知し、その変化の様子の違いを識別して、照明光が光透過窓４１及び光透過窓４２のいずれを透過してきたものかを判断することができる。
【０２２９】
なお、上述の実施例では、書類用紙に埋め込まれた無線ＩＣタグ１について説明した例を説明したが、無線ＩＣタグ１を書類用紙２に貼付するようにしてもよい。例えば書類用紙２のおもて面と裏面のそれぞれに無線ＩＣタグ１を貼付する。この場合、原稿台に面する無線ＩＣタグ１のみが、読取り完了コマンドに対し応答をリーダ２０９に送ることになる。これによっても、書類用紙のおもて面と裏面とを区別することが可能である。さらに、上述のように光透過部にパターンを設けることによって、書類用紙の置かれた方向を区別することができる。
【０２３０】
またデジタル複合機１００は、上述のような無線ＩＣタグ１が埋め込まれた紙などの媒体に画像を印刷出力する際に、無線ＩＣタグ１にタグ情報を書き込むためリーダをさらに備えることができる。
【０２３１】
図５の例において、画像形成部１０６は、給紙カセット３００に格納された印刷用紙に、カラー画像を形成するため、シアン、マゼンダ、イエロー、ブラックの各色に対応する４つの画像形成ユニット３０１を備えている。これらの画像形成ユニット３０１は、中間転写ベルト３０２上に各色のトナー像を形成し、４色のトナー像が重ねあわされる。そのトナー像は、中間転写ベルト３０２と転写ローラ３０３の対向する転写部で印刷用紙に転写される。レジストローラ３０４は、給紙カセット３００から搬送路３０５に給送された印刷用紙をトナー像に同期して転写部に搬送する。定着部３０６は、印刷用紙に転写されたトナー像を定着する。排出ローラ３０７は、排紙トレイ３０８に印刷用紙を排紙する。
【０２３２】
またこのデジタル複合機１００は、両面印刷をするために反転ユニット３０９を備えている。反転ユニット３０９は、定着部３０６を通過した用紙をレジストローラ３０４の上流に戻す反転搬送路３１０を備える。その反転搬送路３１０に用紙を搬送することで、その用紙の画像形成面を反転させる。印刷用紙の片面の印刷が完了してからその用紙を排紙せず、反転ユニット３０９により画像形成面を反転させ、印刷用紙の他の面に印刷を行うことにより、両面印刷を行うことができる。
【０２３３】
さらにこのデジタル複合機１００は、定着部３０６と排出ローラ３０７との間に、印刷用紙に埋め込まれた無線ＩＣタグ１にタグ情報を書き込むためのリーダ３１１と、その無線ＩＣタグ１を照明するための光源３１２Ａとを備える。この場合、情報処理回路２００には、リーダ３１１及び光源３１２Ａも接続される。例えば印刷用紙のおもて面が光源３１２Ａ側に向いている場合に、リーダ３１１の通信範囲内に無線ＩＣタグ１が入ると、光源３１２Ａを点灯しない状態で、タグ情報の書き込みコマンドを無線ＩＣタグ１に送る。無線ＩＣタグ１は、受光素子５及び６のいずれも外光を受光していないか受光量の差が小さければ、そのコマンドによるタグ情報を第１の記憶素子２６に書き込む。その書き込みが完了すると、情報処理回路２００は光源３１２Ａを点灯し、リーダ３１１はタグ情報の書き込みコマンドを無線ＩＣタグ１に送る。この状態では、無線ＩＣタグ１は、受光素子５が所定の受光をしているので、そのコマンドによるタグ情報を第３の記憶素子２８に書き込む。その後、その印刷用紙の画像形成面が反転ユニット３０９により反転される。反転搬送路３１０を通過すると、印刷用紙のうら面が光源３１２側に向くことになる。リーダ３１１の通信範囲内に再び無線ＩＣタグ１が入ると、情報処理回路２００は光源３１２Ａを点灯し無線ＩＣタグ１を照明し、リーダ３１１はタグ情報の書き込みコマンドを無線ＩＣタグ１に送る。その状態では、無線ＩＣタグ１は、受光素子６が所定の受光をしているので、そのコマンドによるタグ情報を第２の記憶素子２７に書き込む。このようにして無線ＩＣタグ１の複数の記憶素子それぞれに、異なるタグ情報を書き込むことができる。
【０２３４】
印刷用紙に埋め込まれた無線ＩＣタグ１がすでにタグ情報を記憶している場合、リーダ３１１は、タグ情報を書き込む場合と同様にしてタグ情報を無線ＩＣタグ１から読み出すことができる。また無線ＩＣタグ１に記憶されたタグ情報を書き換えてもよい。
【０２３５】
このような構成によって、印刷出力の際、印刷用紙などの媒体を搬送している時に光を無線ＩＣタグ１の外光として照射し、そのもとで、タグ情報における少なくとも無線ＩＣタグ１が記憶する情報についてやりとりを行うことができる。このため、デジタル複合機１００は、媒体の複数の方向または向きについて、受光状態の区別を無線ＩＣタグ１に可能とさせる光の照射を行うことができ、その照射光を受光した無線ＩＣタグ１での受光信号に応じた受光情報を含むタグ情報を、無線ＩＣタグ１へ書込み又はタグ１から読み出してやりとりすることができる。
【０２３６】
このようにリーダ３１１が、印刷用紙などの媒体に埋め込まれた無線ＩＣタグ１とタグ情報をやりとりするため、光源３１２Ａの照射量を複数段階用意し、無線ＩＣタグ１が受光量によってその段階を区別するようにしてもよい。この区別をすることによって、リーダ３１１は、媒体の搬送方向を変えずに、媒体の複数の方向に対応するタグ情報を無線ＩＣタグ１とやりとりすることができる。
【０２３７】
両面印刷を行う場合に、複数の記憶素子それぞれに、異なるタグ情報を書き込む例を説明したが、これに限られるものではない。片面印刷を行う場合に、３つの記憶素子２６乃至２８にタグ情報をそれぞれ書き込むため、光源３１２Ａとは逆側の面から印刷用紙を照明する光源３１２Ｂをデジタル複合機１００が備えるようにしてもよい。第１の記憶素子２６にタグ情報を書き込む場合、情報処理回路２００は、両光源３１２Ａ及び３１２Ｂを消灯する。第３の記憶素子２８にタグ情報を書き込む場合は、光源３１２Ａを点灯し、光源３１２Ｂを消灯する。第２の記憶素子２７にタグ情報を書き込む場合は、光源３１２Ａを消灯し、光源３１２Ｂを点灯する。印刷用紙を排出するまでにこれらの手順を行えば、片面印刷の場合でも、複数の記憶素子すべてに、異なるタグ情報を書き込むことができる。
【０２３８】
片面印刷の場合には、当該面に対応するタグ情報に、印刷済みであることを示す印刷済み情報を含めるようにしてもよい。片面印刷の行われた印刷用紙が、給紙カセット３００に再び収納され、もう一方の面について印刷が行われる場合に、その印刷済み情報を用いれば、当該面が印刷済みかどうかをデジタル複写機１００が判別することができる。その印刷済み情報の読み出しには、例えば給紙カセット３００の直上流にも、リーダ及び光源を設ければよい。その光源及びリーダにより、印刷済み情報を取得すると、デジタル複写機１００は、その印刷用紙の搬送を停止することができる。それによって、印刷済みの面に、さらに印刷を行うことを避けることができる。
【０２３９】
さらに印刷済み情報は、その印刷用紙の紙面から画像を読み取りその画像を印刷するときにも利用することができる。デジタル複写機１００は、画像の読取り面に対応するタグ情報に、印刷済み情報が含まれていない場合、読み取った画像を他の印刷用紙に印刷するのを中止する。これにより、無駄な印刷を避けることができる。
【０２４０】
また無線ＩＣタグ１に書き込むタグ情報には、機密情報またはその機密情報へのアクセスのためのアクセス情報を含めることができる。アクセス情報は、例えば、機密情報がネットワーク上のサイトなどに置かれているときのそのサイトのネットワークアドレス、サイト名、ファイル名、パスワード等である。デジタル複合機１００は、機密情報またはアクセス情報を含むタグ情報を無線ＩＣタグ１から取得した場合に、タグ情報を画像として印刷する際、アクセス条件を満足しなければ、そのタグ情報から機密情報またはアクセス情報を除いた情報を画像として印刷する。アクセス条件は、例えばユーザＩＤやパスワードが合致することである。アクセス条件を満足しなければ、機密情報は可視画像化されない。一方、アクセス条件を満足していれば、その機密情報またはアクセス情報を含むタグ情報を画像として印刷する。アクセス情報がネットワークアドレスやサイト名を表している場合、デジタル複合機１００は、そのアクセス情報を使ってそのサイトにネットワークを通じて接続し、機密情報を取得する。そして、無線ＩＣタグ１自体やサイトから取得した機密情報を原稿画像に重ねて可視画像化させて印刷したり、機密情報のみを印刷したりすることができる。さらに、パスワードが有する機密情報に対する権限レベルなどに応じてその権限に係る機能を種々異なるものとすることもできる。さらにデジタル複合機１００の有する複数の機能ごとに機密情報の扱いを異ならせるようにしてもよい。例えばファクシミリ送信や画像の転送を行う場合と印刷出力を行う場合とで、アクセス条件や権限レベルを異ならせることができる。
【０２４１】
そして、このような印刷物についてもその裏表の面毎に異なるセキュリティを掛けるなどして（例えばネットワークアドレス、パスワード、その他が異なる）、機密情報を印刷物の裏表の別によってそこに印刷された画像と関連付けて、特定の者のみに開示することなどができる。
【０２４２】
また、複数枚の書類用紙が綴じられた書類が、雑誌やカタログ、書籍などの見開き原稿である場合、一枚の書類用紙のおもて面と他の一枚の書類用紙の裏面とが同時にデジタル複合機１００の原稿台に面することになる。この場合、リーダ２０９は、その原稿の画像の読取りを完了するまでに、２つの無線ＩＣタグ１と通信を行う。リーダ２０９の検出範囲に同時に２つの無線ＩＣタグ１が入る場合、タイムスロットを異ならせるなどの衝突防止機能をリーダ２０９に設けて、各無線ＩＣタグ１と順次通信を行うことができる。この場合も、無線ＩＣタグ１から受信するタグ情報によって、リーダ２０９は、見開きを構成する２枚の書類用紙２の裏表などを区別することが可能である。また、原稿台に面しない書類用紙２に埋め込まれた無線ＩＣタグ１は読取り完了コマンドに対し応答しないので、見開き原稿の複写を行う者は、その見開き原稿から１枚の書類用紙を分離することなく、そのまま原稿台に載置することができる。
【０２４３】
また上述の実施例では、無線ＩＣタグ１が、リーダ２０９からの所定の電波などを受けたとき、タグ情報をデジタル複合機１００におくることで、書類用紙２が置かれた方向・向きをデジタル複合機１００に伝えていた。これに代えて、光に対する反射率が１次元又は２次元の方向において一様ではないパターンを成すように変えることができる面を所定の方向・向きに有した外光反射手段を用いて、書類用紙２などが置かれた方向・向きをデジタル複合機１００等に伝えるようにしてもよい。
【０２４４】
図１５はさらに他のタグの例を模式的に示すもので、図１５Ａは上面図、図１５Ｂは下面図である。この無線ＩＣタグ１は、タグカバー７表面に液晶表示部４０１を備えている。無線ＩＣタグ１は、デジタル複合機１００に内蔵されたリーダ２０９からの指示にしたがって、光に対する反射率が一様でない特定のパターンをその液晶表示部４０１に表示する。図１５ＡおよびＢに示すように、無線ＩＣタグ１は、リーダ２０９からの指示にしたがって、複数の異なるパターン４０２および４０３を液晶表示部４０１に表示する。ここでは、一次元方向において一様でないパターンを採用しているが、二次元方向において一様でないパターンを採用することも可能である。そのパターンには、一次元又は二次元のバーコード模様を用いることができる。
【０２４５】
デジタル複合機１００の情報処理回路２００は、パターンの表示を指示する通信をリーダ２０９が行った後、書類用紙２の紙面を読み取ることにより得た画像内から、予めＲＯＭ２０３に記憶された複数の基準パターンのいずれかに整合するパターンを抽出する。液晶表示部４０１に表示されるパターンは光に対する反射率が一様でないから、画像読取りの際に照明されると、読み取られた画像にそのパターンが含まれる。情報処理回路２００は、画像内からそのパターンを抽出する。
【０２４６】
ＲＯＭ２０３は、各基準パターンに対して、例えば書類用紙２の方向や向きを表す情報を関連付けて記憶している。情報処理回路２００は、いずれかの基準パターンに整合するパターンを抽出した場合、その基準パターンに関連付けられた情報をＲＯＭ２０３から読み出す。リーダ２０９は、その読み出された情報に基づいて無線ＩＣタグ１とそのタグ情報のやりとりを行う。読み出した情報が、書類用紙２の裏面またはおもて面を表している場合、リーダ２０９は、書類用紙２の裏面またはおもて面に対応するタグ情報を取得することができる。
【０２４７】
この例のように、無線ＩＣタグ１は液晶表示部４０１を所定の方向又は向きに対して複数有することができる。また一つの液晶表示部４０１が所定の方向又は向きに対して複数のパターン表示領域を有するようにしてもよい。
【０２４８】
このように、無線ＩＣタグ１が、光に対する反射率が一次元又は二次元の方向において一様でないパターンを成すように変えることができる面を所定の向き・方向に有した液晶表示部を備えることで、デジタル複合機１００の情報処理回路２００は、自らの指示に応答する無線ＩＣタグを選択することができ、さらには、そのようなタグからの情報を、電磁誘導又は電波でのデータ通信によって得ることができるほか、面にて反射された光がその面上の各所における反射率の差異によって成すパターンでもっても得ることができる。
【産業上の利用可能性】
【０２４９】
本発明の無線ＩＣタグは、書類の紙面上の画像を読取って原稿とし、その原稿を別の用紙に印刷して書類の複写などを行うデジタル複合機などの情報処理装置において用いられる書類用紙又は印刷用紙に利用すること、また、その無線ＩＣタグとの間で情報のやりとりを行うリーダは、デジタル複合機などの情報処理装置において利用することがそれぞれ可能である。
【図面の簡単な説明】
【０２５０】
【図１】図１は本発明に係る無線ＩＣタグが埋め込まれた書類用紙を模式図であり、図１Ａはその上面を示す図、図１Ｂは線Ａ１での断面を拡大して示す図である。
【図２】図２は第１の実施例に係る無線ＩＣタグを模式的に示し、図２Ａはその上面図、図２Ｂは線Ａ２での断面図、図２Ｃは下面図である。
【図３】図３は第１の実施例に係る無線ＩＣタグの回路ブロックの構成を示すブロック図である。
【図４】図４は第１の実施例に係る無線ＩＣタグにおけるメモリ切換え回路１５及びメモリー１４の回路構成図である。
【図５】図５は本実施例におけるデジタル複合機の概略構成を示す図である。
【図６】図６はデジタル複合機の原稿台に書類用紙を置いた状態の一例を示す図である。
【図７】図７はデジタル複合機における情報処理回路の概略構成の一例を示す図である。
【図８】図８は本実施例における無線ＩＣタグの動作に係る、同タグとデジタル複合機とのコマンドシーケンス図である。
【図９】図９は第２の実施例に係る無線ＩＣタグを模式的に示し、図９Ａはその上面図、図９Ｂは線Ａ２での断面図、図９Ｃは下面図である。
【図１０】図１０は第２の実施例に係る無線ＩＣタグの回路ブロックの構成を示すブロック図である。
【図１１】図１１は第２の実施例に係るタグが埋め込まれた書類用紙がデジタル複合機の原稿台に置かれた状態での断面を示す拡大模式図である。
【図１２】図１２は第２の実施例に係る無線ＩＣタグの受光量について、照明の走査に伴うその時間的変化を示す模式図である。
【図１３】図１３は第２の実施例に係る無線ＩＣタグの光照射方向識別機能の処理フローチャートである。
【図１４】図１４は第２の実施例に係る他のタグの例を模式的に示すもので、図１４Ａは上面図、図１４Ｂは線Ａ２での断面図、図１４Ｃは下面図である。
【図１５】図１５はさらに他のタグの例を模式的に示すもので、図１５Ａは上面図、図１５Ｂは下面図である。
【手続補正３】
【補正対象書類名】図面
【補正対象項目名】全図
【補正方法】変更
【補正の内容】
【図１】
2007105634.tif 000022
【図２】
2007105634.tif 000023
【図３】
2007105634.tif 000024
【図４】
2007105634.tif 000025
【図５】
2007105634.tif 000026
【図６】
2007105634.tif 000027
【図７】
2007105634.tif 000028
【図８】
2007105634.tif 000029
【図９】
2007105634.tif 000030
【図１０】
2007105634.tif 000031
【図１１】
2007105634.tif 000032
【図１２】
2007105634.tif 000033
【図１３】
2007105634.tif 000034
【図１４】
2007105634.tif 000035
【図１５】
2007105634.tif 000036
【国際調査報告】
2007105634.tif 000037
2007105634.tif 000038
2007105634.tif 000039
2007105634.tif 000040